(57)【要約】【課題】主基板によって制御される特別図柄表示装置と、周辺基板によって制御される演出用の表示手段とを備え、特別図柄表示装置及び演出用の表示手段の夫々にて抽選結果を表示するようにした遊技機において、演出用の表示手段を注目させ易くして、演出用の表示手段での表示によって遊技者に遊技を楽しませる。【解決手段】主基板によって制御され、抽選が行なわれると直ちに表示の変動を開始した後、表示する図柄を更新して、抽選が行なわれる毎に更新した図柄の表示によって抽選結果を表示する特別図柄表示装置７１０と、周辺基板によって制御され、抽選が行なわれる毎に、前記特別図柄表示装置での表示の変動を開始した後に表示の変動を開始して表示内容を更新し、更新した表示内容によって抽選結果を表示する抽選結果表示手段（第二演出表示装置８２０及び第四演出表示装置８４０）とを備える。【選択図】図１２
2008148978.tif 000002
【特許請求の範囲】
【請求項１】
遊技領域に遊技球を打込んで行われる遊技により所定の払出条件が成立すると遊技球を払出す遊技機であって、
前記遊技領域に設けられ、遊技球が入球可能な抽選入球口と、
該抽選入球口への遊技球の入球に基づき抽選を行なう抽選手段と、
該抽選手段の抽選結果が当選になると、遊技者にとって通常よりも多くの遊技球が獲得可能な特別状態を発生させる特別状態発生手段と、
コンピュータを用いて構成され、前記抽選入球口への遊技球の入球の有無を監視して、抽選入球口に遊技球が入球したタイミングによって抽選を行なうべく前記抽選手段を制御すると共に、抽選手段の抽選結果に応じて前記特別状態発生手段を制御する主基板と、
該主基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示する特別図柄表示装置と、
コンピュータを用いて構成され、前記主基板からの信号に基づいた処理を行う周辺基板と、
該周辺基板によって制御され、前記抽選手段によって抽選が行なわれる毎に、前記特別図柄表示装置での表示の変動を開始した後に表示の変動を開始して表示内容を更新し、更新した表示内容によって抽選結果を表示する抽選結果表示手段と
を備えることを特徴とする遊技機。
【発明の詳細な説明】
【技術分野】
【０００１】
本発明は、ぱちんこ遊技機（一般的に「パチンコ機」と称されることから、以下「パチンコ機」と称する）に代表される遊技機に関するものである。
【背景技術】
【０００２】
パチンコ機に代表される遊技機であり、遊技領域に遊技球を打込んで行われる遊技により所定の払出条件が成立すると遊技球を払出すようにした遊技機としては、種々のものがあるが、中には、遊技領域に設けられた抽選入球口への遊技球の入球に基づくコンピュータのプログラム処理によって抽選を行う抽選手段を備え、この抽選手段による抽選の結果が当選になると、遊技者にとって通常よりも多くの遊技球が獲得可能な特別な状態（以下「特別状態」という）を発生させるようにした遊技機がある。ここで、近年の遊技機では、遊技全体をコンピュータによって制御することが一般的に行われており、抽選手段による抽選や特別状態等の遊技の重要な事項は、コンピュータを用いて構成された主基板によって直接的に制御されている。
【０００３】
また、この種の遊技機では、抽選がコンピュータでのプログラム処理によって行われるため、遊技者にとって、抽選の結果が当選となったのか或いは落選となったのかを外観からは認識することができない。このため、この種の遊技機では、特別な図柄を表示する表示装置（以下、「特別図柄表示装置」という）を用いて、この特別図柄表示装置に図柄を表示することで、抽選結果を示すことが通常なされている。ここで、抽選結果の表示も、遊技の重要な事項である。よって、特別図柄表示装置も、主基板によって直接的に制御されている。
【０００４】
ところで、抽選結果を表示するようにした遊技機は、どのような表示がなされるかについて遊技者に興味を抱かせるものであり、抽選結果の表示が、遊技者に遊技を楽しませる上での重要な役割を果たしている。よって、この種の従来の遊技機では、表示に趣向を凝らし、これにより遊技の面白みを高めることが一般的に行われている。
【０００５】
しかしながら、主基板によって制御される特別図柄表示装置によって趣向を凝らした表示を行うとすると、主基板の負担が大きくなり、主基板単独では、十分に趣向を凝らした表示を行うことができなのが実状である。そこで、従前より、特別図柄表示装置とは別途に抽選結果を表示する演出用の表示手段を設け、この演出用の表示手段を、主基板から出力された情報に基づく処理を行なう周辺基板によって制御することで、抽選結果の表示について、趣向を凝らすことができるようにしている。
【０００６】
【特許文献１】特開２００６−１４８４５号公報
【発明の開示】
【発明が解決しようとする課題】
【０００７】
特別図柄表示装置と演出用の表示手段とで抽選結果を表示する遊技機は、遊技者に、演出用の表示手段に注目して遊技を行ってもらい、演出用の表示手段での表示を楽しんでもらいたいものである。特別図柄表示装置に注目され、演出用の表示手段での表示が無視されてしまうと、せっかく演出用の表示手段によって趣向を凝らした表示を行っても、この表示が無意味になってしまうからである。
【０００８】
本発明は、上記の実状を鑑みてなされたものであり、主基板によって制御される特別図柄表示装置と、周辺基板によって制御される演出用の表示手段とを備え、特別図柄表示装置及び演出用の表示手段の夫々にて抽選結果を表示するようにした遊技機において、遊技者に演出用の表示手段を注目させることができ、この演出用の表示手段での表示によって遊技者に遊技を楽しませることができるようにすることを課題とする。
【課題を解決するための手段】
【０００９】
＜手段１＞
遊技領域に遊技球を打込んで行われる遊技により所定の払出条件が成立すると遊技球を払出す遊技機であって、
前記遊技領域に設けられ、遊技球が入球可能な抽選入球口と、
該抽選入球口への遊技球の入球に基づき抽選を行なう抽選手段と、
該抽選手段の抽選結果が当選になると、遊技者にとって通常よりも多くの遊技球が獲得可能な特別状態を発生させる特別状態発生手段と、
コンピュータを用いて構成され、前記抽選入球口への遊技球の入球の有無を監視して、抽選入球口に遊技球が入球したタイミングによって抽選を行なうべく前記抽選手段を制御すると共に、抽選手段の抽選結果に応じて前記特別状態発生手段を制御する主基板と、
該主基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示する特別図柄表示装置と、
コンピュータを用いて構成され、前記主基板からの信号に基づいた処理を行う周辺基板と、
該周辺基板によって制御され、前記抽選手段によって抽選が行なわれる毎に、前記特別図柄表示装置での表示の変動を開始した後に表示の変動を開始して表示内容を更新し、更新した表示内容によって抽選結果を表示する抽選結果表示手段と
を備えることを特徴とする遊技機。
【００１０】
上記構成の遊技機では、抽選入球口への遊技球の入球によって抽選を行うと、主基板で制御する特別図柄表示装置にて抽選の結果を表示すべく、直ちに表示の変動を開始し、その後、図柄を更新するのであるが、周辺基板で制御する抽選結果表示手段においては、特別図柄表示装置での表示の変動を開始した後に、表示の変動を開始する。よって、抽選結果表示手段は、抽選入球口に遊技球が入球してある程度の時間が経過した後に、表示の変動を開始するものとなる。
【００１１】
ここで、特別図柄表示装置は、抽選入球口に遊技球が入球して抽選が行われると、直ちに表示の変動を開始するものであるため、抽選入球口への遊技球の入球を確認した遊技者にとって、表示の変動開始が分かり難いものである。これに対して、抽選結果表示手段は、抽選入球口に遊技球が入球してある程度の時間が経過した後に、表示の変動を開始するものであることから、抽選入球口への遊技球の入球を確認した遊技者にとって、表示の変動開始が分かり易いものとなる。しかも、抽選結果表示手段は、抽選入球口への遊技球の入球から少なくともワンテンポ遅れて変動を開始するものであるため、遊技者の注意を惹きつけることができるものとなる。よって、上記構成の遊技機によれば、遊技者に、抽選結果表示手段に注目させることができ、この抽選結果表示手段にて、特別図柄表示装置での表示よりも趣向を凝らした表示を行うことで、遊技者に遊技を楽しませることができる。
【００１２】
また、遊技者が、抽選入球口への遊技球の入球直後に変動を開始するといったあわただしい表示を行う特別図柄表示装置に注目するのではなく、抽選入球口への遊技球の入球からある程度の時間経過後に変動を開始するといったゆとりのある表示を行う抽選結果表示手段に注目して遊技を行うことで、趣のある遊技をおこなうことができる。よって、上記構成の遊技機によれば、この点から、遊技の興趣を向上させることもできる。
【００１３】
さらに、抽選入球口への遊技球の入球から少なくともワンテンポ遅れて変動を開始する抽選結果表示手段によって、遊技者に、この抽選結果表示手段にて抽選結果の表示が行われることについての心の準備を与えたり、抽選結果に対する期待感を持たせることができる。よって、上記構成の遊技機によれば、この点からも、遊技の興趣を向上させることができる。
【００１４】
ところで、特別図柄表示装置は、主基板にて直接的に制御されて抽選結果といった遊技の重要事項を出力するもの、換言すれば、遊技の本質部分を表示する表示手段であるに対して、抽選結果表示手段は、周辺基板によって制御されて、特別図柄表示手段での表示に加えて、補助的に抽選結果を表示するものであり、演出用の表示手段として捉えることができる。
【００１５】
なお、特別図柄表示装置や抽選結果表示手段を構成する表示装置としては、「動画や映像等の画像を表示することのできる液晶表示装置、プラズマ表示装置、ＥＬ表示装置、ＣＲＴ等の画像表示装置」、「単純な文字、数字或いは記号等の図柄を表示することのできる７セグメント表示装置や、単純な文字、数字或いは記号等の図柄だけでなく、種々のキャラクタや物品を模した絵等の複雑な図柄を表示することもできるドットマトリックス表示装置等の図柄表示装置」、「図柄を表示した物体、種々のキャラクタや物品を模した物体等の可動体を動作させることで視覚的に情報を提供することのできる可動装置」、「発光ダイオード、白熱球、蛍光管、ネオン管等の発光素子を用いた発光器（ランプ）」等、種々の表示装置を例示することができる。
【００１６】
また、抽選結果表示手段を構成する表示装置としては、特別図柄表示装置よりも多様な図柄を表示することができるものや、複雑で多彩な演出を伴う表示を行うことのできる表示装置を採用するのが好適である。これより、抽選結果表示手段において、特別図柄表示装置よりも趣向を凝らした表示を行うことができ、抽選結果表示手段に注目させてこの抽選結果表示手段にて趣向を凝らした表示を行うことで、遊技者に遊技を楽しませることができるからである。
【００１７】
ところで、上記構成は、種々の遊技機に適用することができるが、遊技機として、以下のような遊技機を代表的に例示することができる。
【００１８】
（１）遊技球を遊技領域に打込んで遊技が行われ、遊技領域の入賞口に遊技球が入球することで払出し条件が成立したとして、所定個数の遊技球の払出しを行うパチンコ機。
【００１９】
（２）所定個数の遊技球を、複数の到達口を有する遊技領域に打込むことで１ゲームの遊技が行われ、遊技球が到達した到達口の組合わせが所定の組合わせになることで払出し条件が成立したとして、所定個数の遊技球の払出しを行うパチンコ機。
【００２０】
また、遊技機としては、パチンコ機に代表される遊技機のように、遊技場に設置された実体を伴う遊技機に限らず、画像にて形成されたオンラインゲーム等の遊技機であってもよい。
【００２１】
また、抽選手段としては、抽選入球口への遊技球の入球に基づいて抽選を行うものであればよく、抽選入球口への遊技球の入球タイミングに応じてコンピュータによって電気的に抽選を行うものを、代表的に例示することができる。
【００２２】
また、特別状態としては、遊技者にとって、通常よりも多くの遊技球を獲得可能な状態であればよく、以下のような状態を例示することができる。
【００２３】
（１）入賞口への遊技球の入球に応じて遊技球の払出しを行うパチンコ機において、通常では閉塞されており遊技球が入球不能な或いは入球困難な特別な入賞口を開放作動させて、この特別な入賞口に遊技球が入球可能に或いは入球容易になるようにした状態。
【００２４】
（２）入賞口への遊技球の入球に応じて遊技球の払出しを行うパチンコ機において、通常では遊技球が入球困難な態様で開閉作動する特別な入賞口を入球容易な態様で開閉作動させて、この特別な入賞口に遊技球が入球し易くなるようにした状態。
【００２５】
（３）入賞口への遊技球の入球に応じて遊技球の払出しを行うパチンコ機において、通常では閉塞されており遊技球が入球不能な特別な入賞口について、開放させる権利を取得可能とした状態。特別な入賞口を開放させる権利が設定されたパチンコ機は、特別状態に関する抽選の結果が当選になることで自動的に権利を取得できるものではなく、上記抽選の結果が当選になった上で、この当選が有効中に、例えば所定の入球口に遊技球を入球させる等といった所定の権利取得条件を満たすことで権利を取得できるものである。そして、権利が取得されると、特別な入賞口の開放を許容する状態となり、この状態では、遊技者にとって通常よりも多くの遊技球が獲得可能となる。よって、特別な入賞口の開放を許容する状態が発生する前段階の状態である「権利を取得可能とした状態」も、遊技者にとって通常よりも多くの遊技球を獲得可能な特別な状態として捉えることができる。なお、特別な入賞口については、権利が取得されることで自動的に開放作動するものであってもよく、権利が取得された上で、所定の入球口に遊技球を入球させる等といった所定の開放作動条件を満たすことで開放作動するものであってもよい。
【００２６】
（４）１ゲーム中に遊技球が到達した到達口の組合わせに応じて遊技球の払出しを行うパチンコ機において、通常では閉塞されており遊技球が到達不能な或いは到達し難い特別な到達口を開放させて、この特別な到達口に遊技球が到達可能に或いは到達し易くなるようにした状態。
【００２７】
（５）１ゲーム中に遊技球が到達した到達口の組合わせに応じて遊技球の払出しを行うパチンコ機において、通常では閉塞されており遊技球が到達不能な特別な到達口について、開放させる権利を取得可能とした状態。特別な到達口を開放させる権利が設定されたパチンコ機は、特別状態に関する抽選の結果が当選になることで自動的に権利を取得できるものではなく、上記抽選の結果が当選になった上で、この当選が有効中に、例えば所定の入球口に遊技球を入球させる等といった所定の権利取得条件を満たすことで権利を取得できるものである。そして、権利が取得されると、特別な到達口の開放を許容する状態となり、この状態では、遊技者にとって通常よりも多くの遊技球が獲得可能となる。よって、特別な到達口の開放を許容する状態が発生する前段階の状態である「権利を取得可能とした状態」も、遊技者にとって通常よりも多くの遊技球を獲得可能な特別な状態として捉えることができる。なお、特別な到達口については、権利が取得されることで自動的に開放作動するものであってもよく、権利が取得された上で、所定の入球口に遊技球を入球させる等といった所定の開放作動条件を満たすことで開放作動するものであってもよい。
【００２８】
＜手段２＞
手段１の遊技機において、
前記抽選手段によって抽選が行なわれる毎に、演出動作体を動作させて抽選演出を行なう動作演出手段をさらに備え、
前記抽選結果表示手段は、前記動作演出手段の前記演出動作体が抽選演出の動作を開始した後に表示の変動を開始して表示内容を更新するものである
ことを特徴とする遊技機。
【００２９】
上記構成の遊技機では、抽選入球口への遊技球の入球後、抽選結果表示手段にて表示内容を更新すべく表示の変動を開始するまでに、演出動作体の動作といったワンクッションの演出が存在することになる。ここで、前述の通り、遊技者は、抽選結果表示手段での表示に注目するのであるが、抽選結果表示手段での表示の変動が開始する前に上記のようなワンクッションの演出があると、この演出が、抽選の結果を発表する前のデモンストレーションとなる。このため、抽選入球口に遊技球が入球したことを確認した遊技者に対して、単に時間が経過するだけの態様に比して、抽選結果に対して積極的に期待感を抱かせることができる。よって、上記構成の遊技機によれば、この点において、遊技の興趣を向上させることができる。
【００３０】
なお、上記構成の遊技機において、抽選結果表示手段にて表示の変動を開始するタイミングは、演出動作体の動作が終了したと同時、或いは、その後であってもよく、また、動作が終了する前であってもよい。抽選結果表示手段にて表示の変動を開始するまでに、動作演出手段において、抽選に関する演出、すなわち「抽選演出」が開始されれば、それだけで、興趣の向上に有効なワンクッションの演出を形成することができるからである。
【００３１】
また、動作演出手段としては、回転する動作演出体、上下や左右等、適宜方向に往復する動作演出体、初期位置から終期位置へと移動する動作演出体等、動作を目で確認することができる適宜の動作演出体を用いて構成することができる。
【００３２】
＜手段３＞
手段２の遊技機において、
前記動作演出手段は、前記特別図柄表示装置にて表示の変動が開始した後に前記演出動作体による抽選演出の動作を開始させるものである
ことを特徴とする遊技機。
【００３３】
上記構成の遊技機では、特別図柄表示装置にて表示の変動が開始した後に、すなわち、抽選入球口に遊技球が入球してある程度の時間が経過した後に、動作演出手段の演出動作体が動作を開始するため、演出動作体の動作開始があわただしくない。よって、遊技者にゆとりを持って動作演出手段での抽選演出を楽しませることができ、この点で、遊技の興趣を向上させることができる。
【００３４】
＜手段４＞
手段１から手段３までの何れか一つの遊技機において、
前記抽選手段は、少なくとも第一種抽選結果、第二種抽選結果及び第三種抽選結果を含む複数種類の抽選結果が設定されると共に、少なくとも前記第一種抽選結果が当選として設定された抽選を行なうものであり、
前記抽選手段によって行われる抽選の状態を、前記抽選手段の抽選結果が第二種抽選結果になると第一種抽選結果になる確率を高くした高確率状態とし、前記抽選手段の抽選結果が第三種抽選結果になると第一種抽選結果になる確率を低くした低確率状態とする抽選確率状態変更手段を備え、
前記特別図柄表示装置は、各抽選結果に夫々に対応する図柄を表示することで、抽選結果の種類を特定可能に表示するものであり、
前記抽選結果表示手段は、少なくとも第二種抽選結果及び第三種抽選結果については夫々で兼用される共通の表示内容を表示することで抽選結果の種類を特定不能に表示するものである
ことを特徴とする遊技機。
【００３５】
遊技機としては、「当選」または「落選」といった二種類の抽選を行うものでなく、例えば、「遊技者にとっての有利さが異なる複数種類（少なくとも二種類）の何れかの当選」または「落選」の抽選を行うもの、「当選」または「遊技者にとっての不利さが異なる複数種類（少なくとも二種類）の何れかの落選」の抽選を行うもの、「遊技者にとっての有利さが異なる複数種類（少なくとも二種類）の何れかの当選」または「遊技者にとっての不利さが異なる複数種類（少なくとも二種類）の何れかの落選」の抽選を行うもの、といったように、少なくとも三種類の複数の抽選結果についての抽選を行うものを想定することができる。そして、このような遊技機において、抽選結果の種類を特定可能に表示するのではなく、抽選結果の全種類或いは少なくとも一種類については特定不能となるように表示することで、抽選結果を遊技者に推測させて遊技を楽しませるといった新規な遊技性を持たせることが考えられる。
【００３６】
一方、このような遊技機においても、主基板の直接的な制御によって、抽選結果の種類を特定できるように表示することが要望される場合もある。このような場合、遊技の主体部分を表示する表示手段である特図柄表示装置によって、抽選結果の種類を特定可能に表示し、遊技の主体部分に付加された演出の表示を行う演出用の表示手段である抽選結果表示手段によって、抽選結果の種類を特定不能に表示すればよいのであるが、上述の新規な遊技性を確保しようとすると、遊技者に抽選結果表示手段を注目させなければならない。
【００３７】
上記構成の遊技機は、このような遊技機を対象とするものであり、抽選結果表示手段に注目させることができるのは前述の通りであることから、新規な遊技性を損なうことなく、抽選結果を特定可能に表示する表示手段と特定不能に表示する表示手段とを備えた遊技機を実現することができる。
【００３８】
＜手段５＞
手段４の遊技機において、
前記周辺基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示すると共に、各抽選結果に夫々に対応する図柄を表示することで、抽選結果の種類を特定可能に表示する特図対応演出表示装置
をさらに備えることを特徴とする遊技機。
【００３９】
上記構成の遊技機は、主基板によって制御される特別図柄表示装置に加えて、周辺基板によって制御される特図対応演出表示装置を具備し、特別図柄表示装置及び特図対応演出表示装置にて、夫々、抽選結果を遊技者が特定可能となるように抽選結果に対応した図柄を表示するようにしたタイプの遊技機を対象にしたものであり、このようなタイプの遊技機において、上述した新規な遊技性を損なうことのない遊技機を実現することができる。
【００４０】
＜手段６＞
遊技領域に遊技球を打込んで行われる遊技により所定の払出条件が成立すると遊技球を払出す遊技機であって、
前記遊技領域に設けられ、遊技球が入球可能な抽選入球口と、
該抽選入球口への遊技球の入球に基づき、少なくとも第一抽選結果、第二種抽選結果及び第三種抽選結果を含む複数種類の抽選結果が設定されると共に、少なくとも前記第一種抽選結果が当選として設定された抽選を行なう抽選手段と、
該抽選手段の抽選結果が当選になると、遊技者にとって通常よりも多くの遊技球が獲得可能な特別状態を発生させる特別状態発生手段と、
前記抽選手段によって行われる抽選の状態を、前記抽選手段の抽選結果が第二種抽選結果になると第一種抽選結果になる確率を高くした高確率状態とし、前記抽選手段の抽選結果が第三種抽選結果になると第一種抽選結果になる確率を低くした低確率状態とする抽選確率状態変更手段と、
コンピュータを用いて構成され、前記抽選入球口への遊技球の入球の有無を監視して、抽選入球口に遊技球が入球したタイミングに基づく処理によって抽選を行なうべく前記抽選手段を制御すると共に、抽選手段の抽選結果に応じて前記特別状態発生手段及び前記抽選確率状態変更手段を制御する主基板と、
該主基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示すると共に、各抽選結果に夫々に対応する図柄を表示することで、抽選結果の種類を特定可能に表示する特別図柄表示装置と、
コンピュータを用いて構成され、前記主基板からの信号に基づいた処理を行う周辺基板と、
該周辺基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示すると共に、各抽選結果に夫々に対応する図柄を表示することで、抽選結果の種類を特定可能に表示する特図対応演出表示装置と、
前記周辺基板によって制御され、前記抽選手段によって抽選が行なわれる毎に、前記特別図柄表示装置にて表示の変動が開始した後に演出動作体による抽選演出の動作を開始させて抽選演出を行なう動作演出手段と、
前記周辺基板によって制御され、前記動作演出手段の前記演出動作体による抽選演出の動作が開始した後に表示の変動を開始して表示内容を更新し、更新した表示内容によって抽選結果を表示すると共に、少なくとも第二種抽選結果及び第三種抽選結果については夫々で兼用される共通の表示内容を表示することで抽選結果の種類を特定不能に表示する抽選結果表示手段と
を備えることを特徴とする遊技機。
【００４１】
上記構成の遊技機は、上述した各手段の構成を具備するものであり、上述した通り、抽選結果表示手段に注目させることができ、この抽選結果表示手段にて、特別図柄表示装置での表示よりも趣向を凝らした表示を行うことで、遊技者に遊技を楽しませることができる。また、上述した通り、遊技の興趣を向上させることもできる。さらに、特別図柄表示装置及び特図対応演出表示装置にて抽選結果を特定可能に表示するタイプの遊技機において、抽選結果表示手段に注目させて、抽選結果表示手段にて抽選結果を特定不能に表示することで、遊技者に抽選結果を推測させて遊技を行わせるといった新規な遊技性をもたせることができることも、上述の通りである。
【発明の効果】
【００４２】
本発明によれば、主基板によって制御される特別図柄表示装置と、周辺基板によって制御される演出用の表示手段とを備え、特別図柄表示装置及び演出用の表示手段の夫々にて抽選結果を表示するようにした遊技機において、演出用の表示手段を注目させ易くして、演出用の表示手段での表示によって遊技者に遊技を楽しませることができる。
【発明を実施するための最良の形態】
【００４３】
以下、本発明の一実施形態であるパチンコ機を、図面に基づいて詳細に説明する。ここで、以下で例示するパチンコ機は、遊技者が遊技媒体である遊技球を投入し、投入した遊技球を遊技盤の遊技領域に打ち込んで遊技を行うものであり、遊技者が遊技媒体を投入して遊技を行う遊技機の代表的なものである。なお、本発明は、以下で例示するパチンコ機に限らず、他のタイプのパチンコ機にも適用することができる。また、パチンコ機に限らず、パチスロ機や、遊技者が遊技媒体を投入して遊技を行う他の遊技機にも適用することができる。
【００４４】
［パチンコ機の全体構成について］  図１に基づき説明する。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００４５】
［本体枠の構成について］  図２及び図３に基づき説明する。
本体枠３は、前枠体１１、遊技盤装着枠１２及び機構装着体１３を合成樹脂材によって一体成形することで構成されている。本体枠３の前枠体１１は、外枠２（図１参照）の前側の下受板６を除く外郭形状に対応する大きさの矩形枠状に形成されている。そして、前枠体１１の片側の上下部には、本体枠側ヒンジ具１５が固定されており、この本体枠側ヒンジ具１５は、外枠２の片側の上下部に固定された外枠側ヒンジ具１４に対して、ヒンジピン及びヒンジ孔によって回動自在に装着されている。外枠側ヒンジ具１４、本体枠側ヒンジ具１５、ヒンジピン及びヒンジ孔によってヒンジ機構７が構成されており、外枠２は、このヒンジ機構７によって、本体枠３に対して開閉自在に装着されている。
【００４６】
前枠体１１の前側において、遊技盤装着枠１２よりも下方に位置する前枠体１１の前下部左側領域には、スピーカボックス部１６が一体に形成され、そのスピーカボックス部１６の前側開口部には、同開口部を塞ぐようにしてスピーカ装着板１７が装着されている。そして、スピーカ装着板１７には、スピーカ１８が装着されている。また、前枠体１１前面の下部領域内において、その上半部分には、発射レール１９が傾斜状に装着されている。また、前枠体１１前面の下部領域内の下半部分には、下部前面板３０が装着されている。そして、下部前面板３０の前面の略中央部には、遊技球を貯留可能な下皿３１が設けられ、右側寄りには、操作ハンドル３２が設けられ、左側寄りには、灰皿３３が設けられている。なお、下皿３１には、遊技球を下方に排出するための球排出レバー３４が設けられている。
【００４７】
［前面枠の構成について］  図１及び図２に基づき説明する。
前枠体１１の前面には、その前枠体１１の上端から下部前面板３０の上縁にわたる部分を覆うようにして、前面枠４が、片側に設けられたヒンジ機構３６によって、前方に開閉可能に装着されている。また、前面枠４の略中央部には、遊技盤５の遊技領域３７を前方から透視可能な略円形の開口窓３８が形成されている。また、前面枠４の後側には、開口窓３８よりも大きな矩形枠状をなす窓枠３９が設けられ、その窓枠３９には、ガラス板や透明樹脂板等により形成された透明板５０が装着されている。また、前面枠４の前面の略全体は、ランプ等が内設された前面装飾部材によって装飾され、同前面枠４の前面の下部には、上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。
【００４８】
さらに、前面枠４の下部における上皿５１の側方（操作ハンドル３２側とは反対側）には、操作スイッチランプ２１が内蔵された操作スイッチ２０が設けられている。この操作スイッチ２０は、遊技媒体である遊技球を遊技領域３７に打ち込んで行われる遊技の実体に関する状態や、遊技に伴って行われる演出に関する状態等、遊技機の適宜の状態を変更したり、上記演出に遊技者が参加したり、遊技機から種々の情報を享受するため等、適宜目的のために遊技者によって操作されるものであり、遊技者による意図的な手動操作によって操作される操作手段や操作部等を構成するものである。
【００４９】
なお、操作スイッチ２０としては、押動操作される押しボタン式のスイッチ、傾動操作されるシーソ式のスイッチ、回動操作されるチャンネル式のスイッチ等を代表的に例示することができる。また、本例では、操作スイッチ２０が操作ハンドル３２とは反対側に設けられていることから、遊技者は、操作ハンドル３２を一方の手で操作しつつ、他方の手で操作スイッチ２０を操作することができる。
【００５０】
そして、操作スイッチ２０に内蔵された操作スイッチランプ２１は、遊技機の状態に応じて操作スイッチ２０による操作を許容する状態または許容しない状態となる態様等において、点灯することで許容する状態或いは許容しない状態であることを、遊技者に報知するためのものである。なお、このように機能する操作スイッチランプ２１については、操作スイッチ２０に内蔵するに限らず、操作スイッチ２０とは別途に設けてもよい。操作スイッチランプ２１を操作スイッチ２０とは別途に設ける場合には、操作スイッチ２０の近傍に設けるのが好適である。何故ならば、遊技者にとって、操作スイッチランプ２１の作動状態を確認し易くすることができるからである。
【００５１】
［施錠装置の構成について］  図１及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵を挿入して解錠操作可能となるように、前枠体１１及び下部前面板３０を貫通して露出されたシリンダー錠７５と、を備えている。そして、シリンダー錠７５の鍵穴に鍵を挿入して一方向に回動操作すると、本体枠施錠フック７２と外枠２の閉止具７１との係合が外れて本体枠３が解錠される。また、これとは逆方向に鍵を回動操作すると、扉施錠フック７４と前面枠４の閉止具７３との係合が外れて前面枠４が解錠される。
【００５２】
［遊技盤装着枠及び遊技盤の構成について］  図１、図３及び図４に基づき説明する。
本体枠３の遊技盤装着枠１２は、前枠体１１の後側に設けられており、遊技盤５が前方から着脱交換可能に装着されるように構成されている。そして、遊技盤５は、遊技盤装着枠１２の前方から嵌込まれる大きさの略四角板状に形成されている。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、遊技球が上記隙間から排出されて下皿３１に案内されるように構成されている。また、遊技盤５の前面には、その案内レール７８の外側領域において、合成樹脂製の前構成部材７９が装着されている。
【００５３】
遊技盤５の後側には、遊技領域３７に設けられた各種の入賞口に入球し、入賞口によって遊技盤５の前面から後面へと排出された遊技球を、入賞球として集めて本体枠３に設けられた入賞球通路３ａへと誘導する入賞球誘導通路と、種々のボックスを装着するボックス装着部とが設けられている。ここで、本例では、上記入賞球誘導通路及び上記ボックス装着部が、双方の機能を兼ね備えたボックス装着台１１８によって構成されている。
【００５４】
また、遊技盤５の後側には、各種の入賞口に入球せず、遊技領域３７の最下部に設けられたアウト口に到達し、このアウト口によって遊技盤５の前面から後面へと排出された遊技球を、アウト球として本体枠３に設けられたアウト球通路３ｂへと誘導するアウト球誘導通路も設けられている。ここで、本例では、アウト球誘導通路が、遊技盤５の後面に凹設された溝と、上記ボックス装着台１１８の前面とで、上記入賞球誘導通路とは個別に区画形成されている。
【００５５】
そして、ボックス装着台１１８には、音声制御基板、ランプ制御基板等の副制御基板１１９が収納された副制御基板ボックス１３０が装着され、その副制御基板ボックス１３０の後側に重ね合わされた状態で、主制御基板１３１が収納された主制御基板ボックス１３２が装着されている。さらに、遊技盤５の後側のボックス装着台１１８に対して副制御基板ボックス１３０及び主制御基板ボックス１３２がそれぞれ装着された状態において、本体枠３の遊技盤装着枠１２の前方から遊技盤５を嵌込んで装着できるように、遊技盤５の外郭より外側にはみ出すことなく、ボックス装着台１１８、副制御基板ボックス１３０及び主制御基板ボックス１３２が配置されている。
【００５６】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１９２等が取付基板１９３に組み付けられてユニット化された発射装置ユニット１９４が装着されている。また、前枠体１１の後下部領域の略中央部には、電源基板１９５を収容する電源基板ボックス１９６が装着され、その電源基板ボックス１９６の後側に重ね合わされた状態で払出制御基板１９７を収容する払出制御基板ボックス１９８が装着されている。払出制御基板１９７は、遊技球を払い出す数を記憶するＲＡＭを備え、主制御基板１３１から送信される払出用信号に従って、遊技球を払い出す制御信号を中継用回路基板（図示しない）に送信し、中継用回路基板を介して払出用モータ１７２を作動制御するものである。
【００５７】
［後カバー体の構成について］  図４及び図５に基づき説明する。
遊技盤５後面に配置された主制御基板ボックス１３２の後端部は、本体枠３の機構装着体１３の中央部に開口された窓開口部に向けて突出している。そして、機構装着体１３の窓開口部の一側壁を構成する側壁部と他側壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【００５８】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、上下及び中間の計３箇所に、ヒンジ体２１６が一体に形成されている。各ヒンジ体２１６には、夫々、下向きのヒンジピン２１５が設けられており、各ヒンジピン２１５は、機構装着体１３の側壁部の上下及び中間の計３箇所に設けられたヒンジ体２１４のヒンジ孔に、上方から着脱可能に嵌込まれている。また、後カバー体２１０の周壁部２１３のうち、他側の壁部２１３ｂには、弾性閉止体２１７が一体に形成されている。この弾性閉止体２１７は、払出装置装着部１３５の片側壁に形成された係止孔に弾性的に係合可能な係止爪を有するものである。
【００５９】
すなわち、後カバー体２１０は、その上下及び中間のヒンジ体２１６の各ヒンジピン２１５が機構装着体１３の側壁部のヒンジ体２１４のヒンジ孔の上方からそれぞれ嵌込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、後カバー体２１０を閉じ状態とすると、この後カバー体２１０によって、遊技盤５後面の主制御基板ボックス１３２の略中間部から上端にわたる部分が覆われる。主制御基板ボックス１３２の上部には、主制御基板１３１のコネクタが露呈されており、このコネクタに配線を接続することで、主制御基板１３１を他の適宜の基板に電気的に接続するのであるが、後カバー体２１０により主制御基板ボックス１３２の上部が覆われることで、主制御基板１３１のコネクタ部分が隠蔽される。よって、後カバー体２１０を開かない限り、主制御基板１３１のコネクタから配線を取外したり、主制御基板１３１のコネクタに他の配線を接続することができない構造となっている。
【００６０】
これに対し、主制御基板ボックス１３２の略中間部から下端にわたる部分は、後カバー体２１０によって覆われることなく露出されている。そして、主制御基板ボックス１３２の下部には、主制御基板１３１上に配置された検査用コネクタ２１８が露出されている。よって、後カバー体２１０が閉じられた状態であっても、主制御基板１３１の検査用コネクタ２１８に別途の基板検査装置を接続して、基板の検査を行うことが可能となっている。
【００６１】
後カバー体２１０には、多数の放熱孔２３０、２３１、２３２、２３３が貫設されており、これら多数の放熱孔２３０、２３１、２３２、２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され、後壁部２１２の下部には多数の長円形、楕円形等の放熱孔２３２と所定数の横長四角形状の放熱孔２３３が貫設されている。
【００６２】
また、横長四角形状の放熱孔２３３は、主制御基板ボックス１３２の封印ねじ（封印部材）によって封印される複数の並列状の封印部２３５の列の大きさ及び配設位置に対応する大きさ及び位置に貫設されている。これによって、不透明な後カバー体２１０が閉じられた状態であっても、主制御基板ボックス１３２の複数の並列状の封印部２３５が放熱孔２３３の部分において視認可能に露出される。このため、後カバー体２１０が閉じられた状態であっても、主制御基板ボックス１３２の封印部２３５の封印状態を容易に視認することができる。ここで、後カバー体２１０を透明な合成樹脂材によって形成してもよいが、不透明な合成樹脂材によって形成するのが好ましい。不透明な合成樹脂材は、透明な合成樹脂材と比べ、リサイクル使用される合成樹脂材を材料として用いることが容易であるため、後カバー体２１０を透明な合成樹脂材によって形成することで、後カバー体２１０を安価に製作することができるからである。
【００６３】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【００６４】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【００６５】
［本体枠の後側下部の下皿用球誘導体等の構成について］  図２及び図６に基づき説明する。
本体枠３の後下部領域のヒンジ機構７寄り部分には、そのスピーカボックス部１６の後段差部の凹み部分において下皿用球誘導体２５３が装着されている。この下皿用球誘導体２５３は、球払出装置１７０の賞球及び貸球用球通路から上皿連絡路（図示しない）を経て上皿５１に払い出された遊技球が満杯になったときに、上皿連絡路の遊技球を下皿３１に導くためのものである。
【００６６】
なお、この実施形態において、下皿用球誘導体２５３の後壁外面には、インタフェース基板２５２を収納している基板ボックス２５４が装着されている。なお、インタフェース基板２５２は、パチンコ機１に隣接して設置される球貸機と払出制御基板１９７との間に介在され、球貸に関する信号を球貸機と払出制御基板１９７との間で送受信可能に電気的に接続するためのものである。
【００６７】
［本体枠の機構装着体、球タンク及びタンクレールの構成について］  図７及び図８に基づき説明する。
本体枠３の機構装着体１３には、タンク装着部１３３、レール装着部１３４、及び、払出装置装着部１３５等がそれぞれ形成され、タンク装着部１３３には、球タンク１３６が装着されている。球タンク１３６は、島設備から供給される多数の遊技球を貯留可能な上方に開口する箱形状に形成されている。また、球タンク１３６の底板部１３７の後側隅部には、遊技球を放出する放出口１３８が形成されており、底板部１３７は、放出口１３８に向けて下傾する傾斜面に形成されている。なお、球タンク１３６は、透明な合成樹脂材により形成されており、遊技球の貯留状態が球タンク１３６の後側壁を透して視認可能となっている。
【００６８】
本体枠３の機構装着体１３には、タンク装着部１３３の下方にレール装着部１３４が一体に形成されている。そして、レール装着部１３４には、レール構成部材１３９が装着されており、これにより、タンクレール１５０が構成されている。すなわち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図８に向かって左端）から他端（図８に向かって右端）に向けて下傾する傾斜状のレール棚１５５が形成されている。そして、レール棚１５５の横方向に延びる上向き面をレール受け部１５８としている。
【００６９】
レール装着部１３４に装着されてタンクレール１５０を構成するレール構成部材１３９は、レール装着部１３４の前壁部１５１との間にレール通路を構成する後壁部１５２と、傾斜状をなす下板部（図示しない）と、下板部の上面の前後方向中央部に沿って突設され、レール通路を前後複数列（この実施形態では前後２列）に区画する仕切り壁（図示しない）とを一体に備えて形成されている。このレール構成部材１３９は、レール装着部１３４に対し適宜の取付手段によって装着され、これによって、前後複数列のレール通路を備えたタンクレール１５０が構成される。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。また、この実施形態において、レール構成部材１３９は、透明な合成樹脂材より形成され、これによって、レール通路内の遊技球の流れ状態が、レール構成部材１３９の後壁部１５２を透して視認可能となっている。
【００７０】
タンクレール１５０（レール装着部１３４）の前壁部１５１は、遊技盤５の後側に突出する種々の部材の後部の上端部との干渉を避けるために、遊技盤５の裏面との間に適宜の間隙を確保した状態で設けられている。また、この実施形態において、本体枠３の後端部となるレール棚１５５の後端と、タンクレール１５０の後壁部１５２とは、夫々、球タンク１３６の後側壁と略同一面をなしている。言い換えると、球タンク１３６の後壁部に対しタンクレール１５０の後壁部が略同一面となる位置までタンクレール１５０が遊技盤５の後面より後方に離隔して配置されている。これによって、レール通路の前後方向の幅寸法を十分に確保しつつ、遊技盤５の裏面とタンクレール１５０の前壁部１５１との間において、十分な間隙を確保できるようにしてある。
【００７１】
また、タンクレール１５０の上方には、レール通路を流れる遊技球を上下に重なることなく整列させる整流体１５６が、レール通路の上部において軸１５７を中心として揺動可能に装着されている。この整流体１５６には、その中央部から下部において錘が設けられており、整流体１５６の自重により、レール通路を流下する遊技球が整列させられる。
【００７２】
［払出装置装着部及び球払出装置の構成について］  図７及び図８に基づき説明する。
本体枠３の機構装着体１３の片側寄り（図７及び図８で右側）の上下方向には、次に述べる球払出装置（球払出ユニット）１７０に対応する縦長の払出装置装着部１３５が形成されている。ここで、払出装置装着部１３５は、後方に開口部をもつ凹状に形成されている。また、払出装置装着部１３５の段差状をなす奥壁部（図示しない）の所定位置には、球払出装置１７０の払出用モータ１７２（図３参照）が突出可能な開口部１７３が形成されている。
【００７３】
払出装置装着部１３５の凹部に球払出装置１７０が装着された状態において、球払出装置１７０と遊技盤５との間には、上述のタンクレール１５０と遊技盤５との間隙と略同一レベルの間隙が確保されている。これによって、タンクレール１５０のレール通路と球払出装置１７０の球通路とが前後方向に略同一レベルで配置される。また、本体枠３の後端、すなわち払出装置装着部１３５の周壁部後端、レール棚１５５の後端、球タンク１３６、タンクレール１５０及び球払出装置１７０のそれぞれの後面は略同一面をなしている。
【００７４】
球払出装置１７０は、払出装置装着部１３５の凹部と略同じ大きさの縦長のボックス形状をなし、払い出しに関する各種部品が装着されることでユニット化されている。なお、球払出装置１７０は、払出装置装着部１３５の凹部の後方開口部から嵌込まれて適宜の取付手段（例えば、弾性クリップ、係止爪、ビス等の取付手段）によって装着されるようになっている。
【００７５】
また、図示しないが、球払出装置１７０は、タンクレール１５０のレール通路の出口にそれぞれ連通する流入口を有する球通路が前後複数列（例えば前後２列）に区画されて形成されている。また、その内部に形成された前後複数列の球通路の下流部が二股状に分岐されており、二股状に分岐された通路によって、賞球及び貸球用球通路と球抜き用球通路とが構成されている。そして、賞球及び貸球用球通路と球抜き用球通路との分岐部には、遊技球をいずれかの通路に振り分けて払い出すための回転体よりなる払出部材（図示しない）が正逆回転可能に配設されている。
【００７６】
［遊技領域の構成について］  図９及び図１０に基づき説明する。なお、以下では、上下左右等の方向について、遊技者が遊技盤５の前面を正面から見た状態として説明する。
【００７７】
遊技盤５の盤面上には、合成樹脂により形成され盤面フレーム５００が一体化されており、この盤面フレーム５００の内側と、案内レール７８の内レール７７の内側とで略円形状に区画形成された遊技領域３７が設けられている。この遊技盤５では、遊技領域３７の左側に配設された案内レール７８の上端部分の打込口７８ａから遊技領域３７内に遊技球が打ち込まれ、遊技領域３７内に打ち込まれた遊技球の挙動によって遊技が行われる。
【００７８】
遊技領域３７には、遊技盤５に打設された多数の障害釘５１０（図１０では図示省略）が所定のゲージ配列で配設されている。また、遊技領域３７の左右方向のほぼ中央位置には、役物６００が配設されており、この役物６００によって、パチンコ機１の機種やゲームコンセプト等が特徴付けられている。
【００７９】
役物６００の上方には、遊技球が入球可能な入球口であり、遊技球の入球を契機として抽選（詳細は後述する）を行うための抽選入球口５２０が設けられている。そして、この抽選入球口５２０は、遊技球が入球し難い状態と入球し易い状態とで変動するように構成されている。具体的に、抽選入球口５２０は、開閉駆動される開閉部材５２１を備えており、開閉部材５２１が閉じた状態では、遊技球が入球し難い状態となるのであるが、開閉部材５２１が開いた状態になると、遊技球が入球し易い状態となる。
【００８０】
なお、本例では、抽選入球口５２０として、ソレノイド等の駆動装置によって左右方向に開閉駆動される左右一対の開閉部材５２１を備えた所謂「電動チューリップ（電チュー）」が採用されている。また、抽選入球口５２０は、入球した遊技球を入賞球として遊技盤５の後面側の入賞球誘導通路（ボックス装着台１１８）へと排出するもの、すなわち「入賞口」、となっている。よって、抽選入球口５２０に遊技球が入球すると、これに応じて所定個数の遊技球の払出しが行われるが、これに限らず、抽選入球口５２０を、入球した遊技球を遊技盤５の前面にて単に通過させるものとして、抽選入球口５２０に遊技球が入球しても遊技球の払出しを行わないようにしてもよい。
【００８１】
役物６００の左側方には、遊技球が入球可能な入球口であり、遊技球の入球を契機として閉状態となっている上記抽選入球口５２０の開閉部材５２１を開駆動させる作動入球口５３０が設けられている。なお、本例では、作動入球口５３０が、入球した遊技球を遊技盤５の前面にて単に通過させるものとなっているが、これに限らず、作動入球口５３０を入賞口として機能するものとし、作動入球口５３０への遊技球が入球に応じて所定個数の遊技球の払出しを行うようにしてもよい。
【００８２】
役物６００の右側方には、遊技球の入球に応じて所定個数の遊技球の払出しを行う入賞口である特別入賞口５４０が設けられている。そして、この特別入賞口５４０は、遊技球が入球不能な状態と入球可能な状態とで変動するように、または、遊技球が入球し難い状態と入球し易い状態とで変動するように、構成されている。具体的に、特別入賞口５４０は、開閉駆動される開閉部材５４１を備えており、開閉部材５４１が閉じた状態では、遊技球が入球不能または入球し難い状態になるが、開閉部材５４１が開いた状態になると、遊技球が入球可能または入球し易い状態となる。
【００８３】
なお、本例では、開閉部材５４１が閉じると遊技球が入球不能な状態になり、開閉部材５４１が開くと遊技球が入球可能な状態になる特別入賞口５４０を採用している。また、ソレノイド等の駆動装置によって前後方向に開閉駆動し、開駆動すると、複数の遊技球が同時に入球可能なように左右方向に大きな開放口を形成する開閉部材５４１、を備えた特別入賞口５４０を採用している。
【００８４】
また、特別入賞口５４０は、７セグメント表示装置等の適宜の表示装置を用いて構成された特別入賞口表示装置５４５をも備えている。この特別入賞口表示装置５４５は、特別入賞口５４０への遊技球の入球に基づく情報や、特別入賞口５４０の作動に関する情報等、適宜の情報を遊技者に案内すべく、種々の表示内容の表示を行うものである。
【００８５】
その他、遊技領域３７には、適宜の部位に、常時、遊技球が入球可能となっており、遊技球の入球に応じて所定個数の遊技球の払出しを行う一般入賞口５５０が設けられている。また、遊技領域３７の最下部には、入賞口への入球を果たせなかった遊技球を遊技盤５の後面側のアウト球誘導路へと排出するアウト口５６０が設けられている。
【００８６】
［抽選について］
抽選入球口５２０に遊技球が入球すると、当選であるか落選であるかの抽選が行われる。ここで、本例では、コンピュータを用いて構成された主制御基板１３１にて所定のプログラムを実行することで上記抽選を行うこととしてあり、このような抽選の手段を、コンピュータを用いた電気的抽選手段として捉えることができる。また、本例での電気的抽選手段は、具体的に、抽選入球口５２０に応じて乱数を取得し、この取得した乱数の値によって抽選の結果を判定するものであり、このような抽選は、抽選入球口５２０への遊技球の入球に基づいて行う抽選として捉えることができる。
【００８７】
ところで、当選としては、複数種類のものが用意されており、抽選結果が当選である場合には、複数種類の当選の内の何れか一つの当選となる。具体的に、第一種当選、第二種当選、第三種当選及び第四種当選といった四種類の当選が設定されており、抽選結果が当選である場合には、第一種当選、第二種当選、第三種当選及び第四種当選の内の何れか一つの当選となる。一方、抽選結果が何れの当選でもない場合には、抽選結果は、落選となる。
【００８８】
［特別遊技について］
本例のパチンコ機１では、抽選結果が当選になると、抽選入球口５２０に遊技球を入球させて抽選を受けることを主な目的とした通常の遊技（以下「通常遊技」という）よりも多くの遊技球を獲得することが可能な特別な遊技（以下「特別遊技」という）が発生する。
【００８９】
具体的に、特別遊技が発生すると、特別入賞口５４０の開閉部材が開駆動され、これにより、通常遊技では閉鎖されている特別入賞口５４０が開放されて、特別入賞口５４０に遊技球が入球可能となる。そして、特別入賞口５４０の開放は、所定の上限時間が経過するか、或いは、遊技球の入球が所定の上限個数に達するかの何れか一方の条件を満たすといったように、所定条件の成立によって終了する。また、このような特別入賞口５４０の１回の開放動作を１ラウンドとして、ラウンド数が所定の上限ラウンド数に達するまで、特別入賞口５４０の開放が繰り返される。
【００９０】
ここで、特別遊技としては、上記上限時間が長く（例えば３０秒）、しかも、上記上限ラウンド数が多く（例えば１５ラウンド）設定されており、多量の遊技球を獲得可能な第一種特別遊技と、上記上限時間が短く（例えば２秒）、しかも、上記上限ラウンド数が少なく（例えば２ラウンド）設定されており、第一種特別遊技ほど多くの遊技球を獲得できない第二種特別遊技との二種類のものが用意されている。なお、特別遊技については、抽選が当選、すなわち「当り」となると発生する遊技であることから、「当り遊技」と称することができる。また、第一種特別遊技及び第二種特別遊技を、夫々、遊技者にとって利益度合いの大小の差異から、「大当り遊技」及び「小当り遊技」と称することができる。
【００９１】
ところで、第二種特別遊技については、当選が第二種当選であっても、第三種当選であても、或いは、第四種当選であっても、特別入賞口５４０の作動態様が、外見上、同一態様であるが、内部的な作動態様は、換言すれば、特別入賞口５４０を作動させる制御処理は、以下のように異なっている。
【００９２】
特別入賞口５４０の１回（１ラウンド）の開放動作について、入球した遊技球が所定の上限個数に達することを、開放動作の終了条件としているのであるが、第二種当選及び第三種当選の場合には、上記上限個数が、例えば第一種特別遊技と同じ上限個数（例えば１０個）としてあるのに対して、第四種当選の場合には、これよりも少ない上限個数（例えば６個）としてある。よって、第二種当選及び第三種当選と、第四種当選との夫々の当選によって発生する第二種特別遊技については、厳密には態様が異なるのであるが、異なるのは、外見からは差異を判別できない内部的な態様、すなわち、外見からは差異を判別できない制御、が異なるだけであることから、本書では、特別な記載をしない限り、第二種当選及び第三種当選と、第四種当選とで発生する夫々の第二種特別遊技を、同種の特別遊技として取り扱うこととする。
【００９３】
［抽選状態について］
本例では、パチンコ機１において、特別遊技状態を発生させる抽選に関与する状態（以下「抽選状態」という）が適宜の条件の成立によって変更されるようにしてあり、遊技者が、種々の抽選状態の下で、特別遊技を発生させるべく通常遊技を行うことができるようにしてある。具体的に、パチンコ機１の抽選状態が、通常遊技中の大半を占める普通の状態（以下「普通状態」という）と、この普通状態に対して上記特別遊技が発生し易くなるようにした特殊な状態（以下「特殊状態」という）とで変更されるようにしてある。そして、抽選結果が所定の当選となると、抽選状態が、普通状態から特殊状態へと、或いは、特殊状態から普通状態へと変更されるようにしてある。
【００９４】
ここで、特殊状態として、確変状態及び時短状態といった二種類のものが用意されている。さらに、時短状態として、第一種時短状態及び第二種時短状態といった二種類のものが用意されている。なお、以下では、確変状態ではない状態を、確変状態と明確に区別できるように、非確変状態と称し、時短遊技状態ではない状態を、時短状態と明確に区別できるように、非時短状態と称することとする。これにより、普通状態は、非確変状態で、しかも、非時短状態の抽選状態であるいえる。
【００９５】
確変状態は、普通状態に比して、全ての種類の当選について、或いは、所定の種類の当選について、当選になる確率が高くなるように当選確率を変動させた状態である。特に、本例では、詳細は後述する第一種当選が、複数種類の当選の中で遊技者にとって最も利益の高い当選であり、確変状態では、少なくともこの第一種当選の当選確率が普通状態よりも高確率となるように、当選確率が変動される。
【００９６】
これに対して、時短状態は、次のような抽選状態である。
【００９７】
遊技球の入球によって抽選を行うための抽選入球口５２０は、開閉部材５２１を有しており、開閉部材５２１が開側に駆動されると、抽選入球口５２０は、遊技球が入球し易い開状態となる。ここで、抽選入球口５２０は、作動入球口５３０に遊技球が入球することを契機として、１回または複数回の開状態を形成する１セットの動作を行う。なお、以下では、抽選入球口５２０の１セットの動作を「抽選入球口５２０の作動」と称する。そして、このように抽選入球口５２０の作動を開始するのは、作動入球口５３０に遊技球が入球してから所定時間が経過した後となるように設定されているのであるが、普通状態と時短状態とでは、上記所定時間が異なるように設定されている。具体的に、普通状態では、上記所定時間として、長い時間（例えば３０秒）が設定されているのに対して、時短状態では、短い時間（例えば３秒）が設定されており、作動入球口５３０に遊技球が入球してから短時間で抽選入球口５２０の作動を開始する。
【００９８】
また、抽選入球口５２０の作動の態様についても、普通状態と時短状態とで異なる態様に設定されている。具体的に、普通状態では、抽選入球口５２０の１回の開状態が短い時間（例えば０．３秒）であり、１セットの動作にて、この短い時間の開状態を少ない回数（例えば１回）しか行わないこととしてあるのに対して、時短状態では、抽選入球口５２０の１回の開状態が長い時間（例えば１秒）であり、１セットの動作にて、この長い時間の開状態を多い回数（例えば３回）行うこととしてある。
【００９９】
なお、時短状態としては、普通状態に比して、「作動入球口５３０に遊技球が入球してから短時間で抽選入球口５２０の作動が開始する」、「抽選入球口５２０の１回の開状態の時間が長い」及び「１セットの動作における作動入球口５３０の開状態の作動回数が多い」といった全ての要件を満たす必要はなく、何れか一つの要件を満たす状態としたり、或いは、何れか二つの要件を満たす状態としてもよい。
【０１００】
このような時短状態では、普通状態に比して、単位時間当りに、抽選入球口５２０に多くの遊技球が入球可能であり、遊技者にとって、抽選を頻繁に受けることができることから、時短状態を、単位時間当りに、普通状態よりも多くの抽選を受けることが可能な抽選状態として捉えることができる。また、時短状態では、普通状態に比して、抽選入球口５２０に遊技球が入球し易いことから、時短状態を、普通状態よりも少ない遊技球の投入によって多くの抽選を受けることができる抽選状態として捉えることもできる。
【０１０１】
なお、本例では、時短状態及び非時短状態の何れの抽選状態においても、作動入球口５３０に遊技球が入球してから抽選入球口５２０の作動が終了するまでの間に、再度、作動入球口５３０に遊技球が入球したとしても、この入球を無効として、抽選入球口５２０の作動を行わないこととしてあるが、これに限らない。抽選入球口５２０の作動が終了するまでに、再度、作動入球口５３０に遊技球が入球した場合には、入球した回数分の抽選入球口５２０の作動を、回数の上限なく、或いは、所定回数を上限として、一旦保留しておき、抽選入球口５２０の作動が終了した後に、保留しておいた分の抽選入球口５２０の作動を行うようにしてもよい。
【０１０２】
また、作動入球口５３０への遊技球の入球に応じて抽選入球口５２０の作動を行うようにしてあるが、これに限らない。例えば、作動入球口５３０への遊技球の入球に基づいて作動用の抽選を行い、この作動用の抽選の結果が当選となる等、適宜の条件が成立した場合においてのみ、抽選入球口５２０の作動を行うこととしてもよい。
【０１０３】
ところで、時短状態は、無期限に継続されるのではなく、所定条件の成立によって終了する。ここで、本例では、第一種時短状態と第二種時短状態との二種類の時短状態があり、第一種時短状態は、抽選入球口５２０への遊技球の入球に基づいて行われた抽選の結果が所定の当選になることを条件として終了する。換言すれば、第一種時短状態は、所定の当選となるまで継続される時短状態である。
【０１０４】
第二種時短状態は、第一種時短状態と同様に、所定の当選になることを条件に終了するのであるが、この条件だけではなく、抽選入球口５２０への遊技球の入球に基づいて抽選が行われた回数や、抽選入球口５３０が作動した回数等、適宜事象の回数を時短遊技の回数としてカウントして、時短遊技の回数が所定の上限数に達することでも、終了条件が成立したとして、終了する。換言すれば、第二種時短状態は、所定の当選となるか、或いは、上記適宜事象が所定の上限の回数生じるまで、継続される時短状態である。なお、第二種時短状態は、第二種時短状態中に上記適宜事象が繰り返し生じることで、残りの時短遊技の回数（上限数からカウント数を減じた数）が少なくなり、やがて終了することから、第二種時短状態中に上記適宜事象が生じる都度、第二種時短状態が消化されることになる。よって、以下では、第二種時短状態中に上記適宜事象が生じることを「時短遊技の消化」と表現する。
【０１０５】
以上、説明した特別遊技（第一種特別遊技及び第二種特別遊技）が発生した状態は、通常遊技の状態よりも多くの遊技球を直ちに獲得可能な状態であり、遊技者にとって、通常遊技の状態よりも有利な状態である。よって、特別遊技が発生した状態を「有利遊技状態」と称することができる。また、確変状態や時短状態（第一種時短状態及び第二種時短状態）といった特殊状態は、普通状態よりも特別遊技が生じ易く、特別遊技によって多くの遊技媒体を獲得できる可能性が高まった状態であり、遊技者にとって、普通状態よりも有利な状態である。よって、特殊状態も、「有利遊技状態」と称することができる。
【０１０６】
［各種の当選の詳細について］
次に、第一種当選、第二種当選、第三種当選及び第四種当選の詳細について説明する。
【０１０７】
第一種当選は、第一種特別遊技を発生させるものである。また、第一種当選は、パチンコ機１の状態を、確変状態及び第一種時短状態にするものでもある。ここで、第一種当選の当選時の状態が確変状態及び第一種時短状態である場合には、第一種当選によって確変状態及び第一種時短状態になっても状態が変化しないことから、当選時の状態が、実質的に、そのまま継続されることになる。また、当選時の状態が非確変状態あれば、当選によって確変状態に変更され、当選時の状態が非時短状態や第二種時短状態であれば、当選によって第一種時短状態に変更されることになる。
【０１０８】
第二種当選は、第二種特別遊技を発生させるものである。また、パチンコ機１の状態を、当選時の状態が非確変状態であれば確変状態に変更し、当選時の状態が確変状態であれば、そのまま確変状態を継続させるものでもある。さらに、パチンコ機１の状態を、当選時の状態が非時短状態であれば、そのまま非時短状態を継続させ、当選時の状態が第一種時短状態であれば、第二種時短状態に変更し、当選時の状態が第二種時短状態であれば、この第二種時短状態を終了させて、新たな第二種時短状態にするものでもある。ここで、新たな第二種時短状態にすることは、第二種当選となるまでに第二種時短状態中にカウントされた時短遊技の回数をリセットすることである。換言すれば、前回の第二種時短状態中で消化された時短遊技の回数を無視して、許容する時短遊技の回数を再び上限数に戻すことである。
【０１０９】
第三種当選は、第二種特別遊技を発生させるものである。また、パチンコ機１の状態を、当選時の状態が非確変状態であれば、そのまま非確変状態を継続させ、当選時の状態が確変状態であれば、非確変状態に変更するものでもある。さらに、パチンコ機１の状態を、当選時の状態が非時短状態であれば、そのまま非時短状態を継続させ、当選時の状態が第一種時短状態であれば、第二種時短状態に変更し、当選時の状態が第二種時短状態であれば、この第二種時短状態を終了させて、新たな第二種時短状態にするものでもある。
【０１１０】
第四種当選は、第二種特別遊技を発生させるものである。また、パチンコ機１の状態として、当選時の状態をそのまま継続させるものでもある。すなわち、当選時の状態が非確変状態であれば、そのまま非確変状態を継続させ、当選時の状態が確変状態であれば、そのまま確変状態を継続させる。また、当選時の遊技状態が、非時短遊技状態であれば、そのまま非時短遊技状態を継続させ、第一種時短状態であれば、そのまま第一種時短状態を継続させ、第二種時短態であれば、そのまま第二種時短状態を継続させる。ここで、当選時の第二種時短状態をそのまま継続させることは、当選後の第二種時短状態について、新たな第二種時短状態にせず、消化された時短遊技の回数のカウントを継続させることである。
【０１１１】
ところで、本例では、種々の当選の当選確率が、概ね、以下のように設定されている。
【０１１２】
非確変状態においては、第一種当選の当選確率が「２０／１００００」に、第二種当選の当選確率が「１０／１００００」に、第三種当選の当選確率が「５／１００００」に、第四種当選の当選確率が「６０／１００００」に夫々設定されている。よって、非確変状態では、第四種当選が、他の当選に比して、現出頻度の高い当選となる。また、第一種当選、第二種当選及び第三種当選の３種類の当選の中では、第一種当選が現出頻度の最も高い当選となり、第三種当選が現出頻度の最も低い当選となる。
【０１１３】
これに対して、確変状態においては、第一種当選の当選確率が「２００／１００００」、第二種当選の当選確率が「１００／１００００」、第三種当選の当選確率が「５０／１００００」といったように、非確変状態よりも著しく高く変動するように設定されている。また、第四種当選の当選確率については、「６０／１００００」といったように、非確変状態と同一の確率で変動しないように設定されている。よって、確変状態では、第四種当選の現出頻度は、他の当選に比して、さほど高くならないばかりか、他の全ての当選を含めた現出頻度に比して、現出頻度の低い当選となる。また、第一種当選、第二種当選及び第三種当選の３種類の当選の中では、非確変状態と同様に、第一種当選が現出頻度の最も高い当選となり、第三種当選が現出頻度の最も低い当選となる。
【０１１４】
上述の例のように、適宜、確率を設定することで、非確変状態中においては、他の当選に比して、第四種当選になり易くすることができる一方で、確変状態中においては、他の当選に比して、第四種当選になり難くすることができる。なお、確変状態中において第四種当選の発生頻度を低くするためには、上述のように、確変状態において、他の当選の当選確率を高くする一方で第四種当選の当選確率については変動させないようにするに限らず、第四種当選の当選確率を、他の当選の当選確率ほど高めないように高くしたり、逆に、当選確率を低くするようにしてもよい。
【０１１５】
また、本例では、第二種時短状態が、以下のように設定されている。
【０１１６】
抽選入球口５２０への遊技球の入球に基づいて行われた抽選の回数が５０回に達すると、すなわち、時短遊技の回数が５０回に達すると、第二種時短状態を終了して非時短状態に変更することとしてある。また、上述の通り、第二種時短状態中において、第一種当選となると、第二種時短状態を終了して第一種時短状態に変更することとし、第二種当選または第三種当選の何れかの当選となると、当選時の第二種時短状態を終了して新たな第二種時短状態にすることとしてある。
【０１１７】
［パチンコ機の状態の変化について］  図１１に基づき説明する。
上述の通り、各種の当選に応じて、確変状態、非確変状態、時短状態や非時短状態といった抽選状態が変化するのであるが、抽選状態の変化の流れは、図１１に示すような流れとなる。なお、図１１では、第一種当選を白抜きの矢印で示し、第二種当選を実線の矢印で示し、第三種当選を破線の矢印で示し、時短遊技の消化を波線の矢印で示す。また、以下の説明では、第四種当選が抽選状態を変化させないものであることから、抽選状態と第四種当選との対応についての説明を省略する。また、以下では、種々の抽選状態について、非確変状態及び非時短状態の状態を「非確変非時短状態」と称し、確変状態及び第一種時短状態の状態を「確変第一種時短状態」と称し、確変状態及び第二種時短状態の状態を「確変第二種時短状態」と称し、確変状態ではあるが非時短状態の状態を「確変非時短状態」と称し、非確変状態ではあるが第二種時短状態の状態を「非確変第二種時短状態」と称して説明する。ここで、「非確変非時短状態」は、普通状態であり、「確変第一種時短状態」、「確変第二種時短状態」、「確変非時短状態」及び「非確変第二種時短状態」は、夫々、特殊状態の一種である。また、本例においては、非確変状態ではあるが第一種時短状態となっている状態はなく、この状態についての説明は不要である。
【０１１８】
（１）非確変非時短状態からの変化
非確変非時短状態は、他の抽選状態に比して、遊技者にとって最も不利な状態であり、パチンコ機１の初期状態（リセット後の状態）は、この非確変非時短状態になるように設定されている。通常遊技の大半は、この非確変非時短状態の下で行われ、通常遊技の結果、各種の当選になると、当選の種類に応じて、以下のように、所定の特別遊技が発生すると共に、抽選状態について所定の処理が行われる。
（１−１）第一種当選になると、第一種特別遊技が発生すると共に、抽選状態が非確変非時短状態から確変第一種時短状態に変更される。
（１−２）第二種当選になると、第二種特別遊技が発生すると共に、抽選状態が非確変非時短状態から確変非時短状態に変更される。
（１−３）第三種当選になると、第二種特別遊技が発生するのであるが、抽選状態は変更されずに当選時の状態のままで維持される。すなわち、抽選状態は、非確変非時短状態のままでループする。
【０１１９】
（２）確変第一種時短状態からの変化
確変第一種時短状態は、他の抽選状態に比して、遊技者にとって最も有利な状態である。そして、この確変第一種時短状態の下で各種の当選がなされると、当選の種類に応じて、以下のように、所定の特別遊技が発生すると共に、抽選状態について所定の処理が行われる。
（２−１）第一種当選になると、第一種特別遊技が発生するのであるが、抽選状態は変更されずに当選時の状態のままで維持される。すなわち、抽選状態は、確変第一種時短状態のままでループする。そして、繰り返し第一種当選になることで、抽選状態が最も有利な確変第一種時短状態で繰り返しループし、これにより、早期に複数回の第一種当選が発生する所謂「連荘」となり、遊技者は、この第一種当選の連荘によって多量の遊技球を獲得することができる。
（２−２）第二種当選になると、第二種特別遊技が発生すると共に、抽選状態が確変第二種時短状態に変更される。ここで、遊技者にとって有利な状態から不利な状態になることを「転落」と表現すると、確変第一種時短状態中に第二種当選になることで、抽選状態が確変第一種時短状態から確変第二種時短状態に転落することになる。
（２−３）第三種当選になると、第二種特別遊技が発生すると共に、抽選状態が非確変第二種時短状態に変更される。すなわち、抽選状態は、確変第一種時短状態から非確変第二種時短状態に転落する。
【０１２０】
（３）確変第二種時短状態からの変化
確変第二種時短状態は、遊技者にとって、確変第一種時短状態よりは不利であるが、非確変非時短状態、確変非時短状態及び非確変第二種時短状態よりは有利な状態である。また、この確変第二種時短状態は、非確変非時短状態から直接、変更されず、少なくとも確変第一種時短状態を経由して変更される状態である。換言すれば、確変第二種時短状態は、第一種当選がなされない限り、生じ得ない状態である。そして、この確変第二種時短状態の下で各種の当選がなされると、当選の種類に応じて、以下のように、所定の特別遊技が発生すると共に、抽選状態について所定の処理が行われる。
（３−１）第一種当選になると、第一種特別遊技が発生すると共に、抽選状態が確変第一種時短状態に変更される。ここで、確変第二種時短状態は、遊技中に第一種当選となって、一旦、抽選状態が確変第一種時短状態になった以降に生じた状態であり、確変第二種時短状態中に、再度、第一種当選になると、抽選状態が確変第二種時短状態から再び確変第一種時短状態に戻る。所謂「引戻し」である。
（３−２）第二種当選になると、第二種特別遊技が発生すると共に、抽選状態が新たな確変第二種時短状態にリセットされる。すなわち、抽選状態は、表現的には確変第二種時短状態のままでループするのであるが、実体的には、時短状態について、当選時の第二種時短状態を継続させるのではなく、新たな第二種時短状態にリセットされる。確変第二種時短状態中に第二種当選になると、時短遊技がある程度消化された第二種時短状態が新たな第二種時短状態にリセットされることから、遊技者にとっては、第二種当選までに消化した分の時短遊技が返還されることになり、時短遊技についての利益を受けることができる。
（３−３）第三種当選になると、第二種特別遊技が発生すると共に、抽選状態が非確変第二種時短状態に変更される。すなわち、抽選状態は、確変第二種時短状態から非確変第二種時短状態に転落する。ここで、時短状態については、当選時の第二種時短状態を継続させるのではなく、新たな第二種時短状態にリセットされる。よって、第三種当選になると、抽選状態は転落するものの、遊技者にとっては、時短遊技についての利益を受けることができる。
（３−４）確変第二種時短状態にて、すなわち、時短遊技の消化中において、第一種当選、第二種当選または第三種当選の何れの当選もなされず、時短遊技が全て消化されると、抽選状態が確変第二種時短状態から確変非時短状態に変更される。これは、時短遊技の消化による抽選状態の転落である。
【０１２１】
（４）確変非時短状態からの変化
確変非時短状態は、遊技者にとって、確変第一種時短状態及び確変第二種時短状態よりは不利であるが、非確変非時短状態よりは有利な状態である。また、この確変非時短状態は、確変第一種時短状態及び非確変第二種時短状態から直接、変更されず、前段階の状態として、確変第二種時短状態或いは非確変非時短状態から変更される状態である。そして、この確変非時短状態の下で各種の当選がなされると、当選の種類に応じて、以下のように、所定の特別遊技が発生すると共に、抽選状態について所定の処理が行われる。
（４−１）第一種当選になると、第一種特別遊技が発生すると共に、抽選状態が確変第一種時短状態に変更される。ここで、確変非時短状態が、前段階の状態として確変第二種時短状態から変更されたものである場合には、遊技中に第一種当選となって、一旦、抽選状態が確変第一種時短状態になった以降で、非確変非時短状態に戻る前に生じた確変非時短状態であることから、このような確変非時短状態中に、再度、第一種当選になると、所謂「引戻し」となる。
（４−２）第二種当選になると、第二種特別遊技が発生するのであるが、抽選状態は変更されずに当選時の状態のままで維持される。すなわち、抽選状態は、確変非時短状態のままでループする。
（４−３）第三種当選になると、第二種特別遊技が発生すると共に、抽選状態が非確変非時短状態に変更される。すなわち、抽選状態は、確変非時短状態から非確変非時短状態に転落する。
【０１２２】
（５）非確変第二種時短状態からの変化
非確変第二種時短状態は、遊技者にとって、確変第一種時短状態及び確変第二種時短状態よりは不利であるが、非確変非時短状態よりは有利な状態である。また、この確変非時短状態は、非確変非時短状態から直接、変更されず、前段階の状態として、確変第一種時短状態或いは確変第二種時短状態から変更される状態である。そして、この非確変第二種の下で各種の当選がなされると、当選の種類に応じて、以下のように、所定の特別遊技が発生すると共に、抽選状態について所定の処理が行われる。
（５−１）第一種当選になると、第一種特別遊技が発生すると共に、抽選状態が確変第一種時短状態に変更される。ここで、非確変第二種時短状態は、遊技中に第一種当選となって、一旦、抽選状態が確変第一種時短状態になった以降に生じた状態であり、非確変第二種時短状態中に、再度、第一種当選になると、抽選状態が非確変第二種時短状態から再び確変第一種時短状態に戻ることから、所謂「引戻し」となる。
（５−２）第二種当選になると、第二種特別遊技が発生すると共に、抽選状態が確変第二種時短状態に変更される。ここで、時短状態については、当選時の第二種時短状態を継続させるのではなく、新たな第二種時短状態にリセットされる。よって、第二種当選になると、遊技者にとては、確変状態への変更の利益ばかりでなく、時短遊技についての利益も受けることができる。
（５−３）第三種当選になると、第二種特別遊技が発生すると共に、抽選状態が新たな非確変第二種時短状態にリセットされる。すなわち、抽選状態は、表現的には非確変第二種時短状態のままでループするのであるが、実体的には、時短状態について、当選時の第二種時短状態を継続させるのではなく、新たな第二種時短状態にリセットされる。非確変第二種時短状態中に第二種当選になると、遊技者にとっては、時短遊技についての利益を受けることができる。
（５−４）非確変第二種時短状態にて、すなわち、時短遊技の消化中において、第一種当選、第二種当選または第三種当選の何れの当選もなされず、時短遊技が全て消化されると、抽選状態が非確変第二種時短状態から非確変非時短状態に変更される。これは、時短遊技の消化による抽選状態の転落である。
【０１２３】
［遊技の流れについて］
以上、詳細に説明した種々の当選や種々の抽選状態が用意されている本例のパチンコ機１における遊技の流れは、主に、以下の通りとなる。
【０１２４】
普通状態の下で通常遊技を行って第一種当選になると、第一種特別遊技が発生して、遊技者は、多量の遊技媒体を獲得できる。そして、第一種当選によって抽選状態が確変第一種時短状態となり、この確変第一種時短状態は、次回の当選が第二種当選となるか、或いは、第三種当選となるまで継続される。よって、第一種当選の後は、第一種当選、第二種当選または第三種当選の何れかの当選を、早期に引当てることができる。ここで、次回の当選が第一種当選であれば、所謂「連荘」となる。
【０１２５】
一方、次回の当選が第二種当選または第三種当選であれば、その後の抽選状態は、第二種時短状態となり、時短遊技の消化が開始される。ここで、第二種当選によって第二種時短状態となっていれば、抽選状態は確変状態になったままなので、時短遊技の消化中に、或いは、時短遊技の消化後に、早期に、再度、第一種当選になる可能性が高いため、所謂「引戻し」がし易い。
【０１２６】
これに対して、第三種当選によって第二種時短状態となっていれば、抽選状態は非確変状態であるので、時短遊技の消化中に、再度、第一種当選になったり、第二種当選によって確変状態になる可能性は低く、やがて、時短遊技を全て消化して、普通状態に戻る。また、第二種当選の後の時短遊技の消化中に第三種当選になった場合も、同様に、その後の時短遊技の消化中に、再度、第一種当選になったり、第二種当選によって確変状態になる可能性は低く、やがて、時短遊技を全て消化して、普通状態に戻る。
【０１２７】
［役物について］  図１２に基づき説明する。
遊技領域３７の左右方向の中央部分には、上部に抽選入球口５２０が一体的に形成された役物６００が設けられている。そして、この役物６００は、詳細は後述する特別図柄表示装置７１０、状態表示装置７２０、特図保留表示装置７３０、抽選演出表示装置８００、特図対応演出表示装置８５０及び状態演出表示装置８６０を備えている。ここで、特別図柄表示装置７１０、状態表示装置７２０及び特図保留表示装置７３０の夫々は、主制御基板１３１によって、その駆動の制御がなされるものである。一方、抽選演出表示装置８００、特図対応演出表示装置８５０及び状態演出表示装置８６０の夫々は、主制御基板１３１からの情報（信号）に基づいて、副制御基板１１９によって、その駆動の制御がなされるものである。
【０１２８】
［特別図柄表示装置について］
特別図柄表示装置７１０は、表示内容として図柄を表示することにより抽選結果を表示するものであり、「当選の可能がある」いったような、あやふやな抽選結果の情報を遊技者に提供するものではなく、表示内容によって抽選結果を明示するものである。そして、本例では、特別図柄表示装置７１が以下のように構成されている。
【０１２９】
特別図柄表示装置７１０は、夫々、単色または複数色で発光する複数の発光器７１１を用いて構成されており、各発光器７１１の発光パターンの組合わせからなる図柄を表示内容として表示することで、抽選結果が当選であるか或いは落選であるかを明示するものとして構成されている。また、当選である場合には、第一種当選か、第二種当選か、第三種当選か或いは第四種当選かを、明示するものとして構成されている。
【０１３０】
具体的に、本例では、夫々異なる色である第一色（例えば赤色）及び第二色（例えば緑色）の２色で発光する発光器７１１を用いて、５つの発光器７１１によって特別図柄表示装置７１０が構成されている。また、各発光器７１１は、ＬＥＤ（発光ダイオード）によって構成されている。このような特別図柄表示装置７１０では、各発光器７１１の発光パターンの組合わせによって、表示する図柄が形成されるのであるが、各発光器７１１の発光パターンが、「消灯」、「第一色点灯」及び「第二色点灯」の３パターンとなっており、発光器７１１が５つであるため、この特別図柄表示装置７１０によれば、「３の５乗」の２４３パターンといった多様な図柄（表示内容）を表示することができる。なお、全ての発光器７１１が消灯するパターンの図柄は、発光器７１１の故障等によっても生じる可能性があるパターンの図柄となるため、このパターンの図柄を、表示する図柄として用いないこととするのがよい。
【０１３１】
また、第一種当選であれば、例えば、各発光器７１１の全てを第一色で点灯させ、落選であれば各発光器７１１を全て第二色で点灯させるといったように、第一種当選及び落選の夫々については、図柄の種類に対して１対１で対応するように設定されている。これに対して、第二種当選、第三種当選及び第四種当選については、夫々の当選を表示する図柄として、複数種類の図柄が設定されている。特に、本例では、特別図柄表示装置７１０が多種類の図柄を表示できるものであることから、第二種当選、第三種当選及び第四種当選の夫々については、第一種当選を表示する図柄の種類よりも多い図柄で、具体的には、５パターン以上といったような多種類の図柄が設定されている。これにより、特別図柄表示装置７１０に表示された図柄の種類によっては、当選の種類を、簡単には特定できないようにしてある。しかも、第二種当選、第三種当選及び第四種当選の夫々を明示する複数種類の図柄のパターンは、例えば、特定の発光器７１１の発光態様が第一色で発光していれば、必ず第二種当選である等といったような規則性を有しておらず、不規則的（ランダム的）なパターンで設定されている。よって、夫々の当選に対応する複数種類の図柄を全て覚える等しない限り、特別図柄表示装置７１０に表示された図柄によっては、当選の種類を特定し難いようにしてある。
【０１３２】
ところで、当選の種類に応じてパチンコ機１の抽選状態が変化するのであるが、この抽選状態の変化は、何らかの情報を出力しない限り、外見からは判別不能である。特に、時短状態であるか否かについては、抽選状態が変化した後の遊技中において特別入賞口５４０の作動態様が異なることから、遊技中においては判別可能ではあるものの、確変状態であるか否かについては、遊技中においても、外見からは判別不能である。
【０１３３】
これに対して、特別遊技が発生したか否かの状態の変化については、特別遊技が発生すると特別入賞口５４０が作動することから、外見から判別可能である。しかも、第一種特別遊技と第二種特別遊技の差異も、特別入賞口５４０の作動態様が異なることから、外見から判別可能である。ここで、第一種特別遊技は、第一種当選によってのみ発生するものであり、第二種特別遊技は、第二種当選、第三種当選及び第四種当選の何れかの当選によって発生するものである。
【０１３４】
このことから、抽選結果が当選であるか或いは落選であるか、及び、当選である場合には第一種当選であるか否かについては、特別遊技が発生したか否か、及び、発生した特別遊技の種類によって、外見から判別可能である。よって、第一種当選及び落選を、外見上で判別可能な抽選結果として表現することができる。また、第一種当選は、他の当選とは異なる特別遊技（第一種特別遊技）を発生させるものであり、落選は、当選とは異なり特別遊技を行わない状態を発生させるものであることから、第一種当選及び落選を、外見上で他の抽選結果とは異なる状態を発生させる抽選結果として表現することもできる。
【０１３５】
これに対して、第二種当選、第三種当選及び第四種当選については、同じ特別遊技（第二種特別遊技）を発生させるものであることから、第二種特別遊技が発生しても、どの種類の当選によって発生したのかは分からない。よって、第二種当選、第三種当選及び第四種当選の夫々を、外見上で互いに判別不能な抽選結果として表現することができる。また、第二種当選、第三種当選及び第四種当選は、互いに同じ特別遊技（第二種特別遊技）を発生させるものであることから、第二種当選、第三種当選及び第四種当選の夫々を、外見上で互いに同じ状態を発生させる抽選結果として表現することもできる。
【０１３６】
このように、本例のパチンコ機１は、外見上で互いに判別不能な複数種類の当選、換言すれば、外見上で互いに同じ状態を発生させる複数種類の当選が用意されており、しかも、上述した通り、特別図柄表示装置７１０に表示された図柄によっては、当選の種類が特定し難いことから、本例のパチンコ機１特有の遊技性を持たせることができる。なお、この特有の遊技牲についての詳細は、後述することとする。
【０１３７】
特別図柄表示装置７１０では、抽選入球口５２０への遊技球の入球を契機として、すなわち、抽選が行われることを契機として、図柄の変動が開始される。そして、主制御基板での内部的な処理では既に抽選結果が導出されてはいるのであるが、直ちに抽選結果を表示するのではなく、図柄の変動開始から所定時間経過後に、変動中の図柄を停止して抽選結果を表示する。ここで、本例では、各発光器７１１にて、一定のリズムで、２色の点灯及び消灯を繰り返すことで、図柄が変動中であることを表現する。そして、変動を停止して表示した図柄については、次回の変動を開始するまで、変動させることなく、表示を維持させる。
【０１３８】
以上、特別図柄表示装置７１０の一例を示したが、特別図柄表示装置７１０としては、上述の例に限らない。例えば、複数の発光器７１１が、１箇所にまとめて配置されたものではなく、単一の特別図柄表示装置７１０において、或いは、複数の特別図柄表示装置７１０を用いて、複数の発光器７１１がばらばらに配置されたものであってもよい。また、発光器７１１の数も適宜、設定することができるし、発光器７１１として、７セグメント表示器を用いることもできる。さらには、点灯及び消灯するランプである発光器７１１を用いたものに限らず、静止画や動画等の画像或いは映像を表示する液晶表示装置等の表示器や、動作する可動体を用いたものであってもよい。
【０１３９】
また、特別図柄表示装置７１０は、役物６００の一部を構成するべく、役物６００に設けられており、しかも、役物６００の外縁部分における一部の領域に設けられ、目立つことのないものとなっているが、これに限らず、特別図柄表示装置７１０を、遊技領域３７の他の部位、遊技盤５における遊技領域３７外の部位、或いは、本体枠３や前面枠４等、遊技盤５以外の部位に設けてもよい。
【０１４０】
［状態表示装置について］
パチンコ機１の抽選状態は、抽選結果が当選になるといったような所定の条件の成立に応じて、適時、変化するのであるが、適宜の抽選状態については、現状の状態がその抽選状態になっていることが、状態表示装置７２０にて明示される。具体的には、以下の通りである。
【０１４１】
状態表示装置７２０は、確変表示器７２１、時短表示器７２２、第一種特別遊技表示器７２３及び第二種特別遊技表示器７２４といった４つの表示器を用いて構成されている。そして、本例では、各表示器７２１，７２２，７２３，７２４が、夫々、単色（例えば赤色）で点灯及び消灯する一つの発光器を用いて構成されており、各表示器７２１，７２２，７２３，７２４では、発光器の点灯又は消灯によって構成された図柄によって、適宜の抽選状態が明示される。
【０１４２】
確変表示器７２１は、抽選状態が確変状態となっていれば、点灯することで、抽選状態が確変状態であることを明示するものである。ここで、抽選状態が確変状態であるか、或いは、非確変状態であるかは、外見上、判別不能であるが、確変表示器７２１を採用することで、確変状態についての抽選状態を判別可能にすることができる。また、本例では、遊技性上、確変状態であることを簡単に判別できないようにしたいが故に、確変表示器７２１を、パチンコ機１の電源投入時においては作動するが、遊技中には作動しないように設定してある。具体的には、電源投入時において抽選状態が確変状態であれば、点灯してこれを明示するのであるが、所定時間（例えば３０秒）が経過すると消灯し、以降の遊技中においては、抽選状態が確変状態となったとしても、消灯したままで、点灯しないように設定してある。このように、確変表示器７２１を電源投入時においてのみ作動するようすることで、遊技中においては確認することができない確変状態であるか否かについて、一旦、電源を遮断して再度電源を投入することで、確認することができることとなる。
【０１４３】
時短表示器７２２は、抽選状態が、第一種時短状態及び第二種時短状態の何れであっても、時短状態となっていれば、点灯することで、抽選状態が時短状態となっていることを明示するものである。そして、この時短表示器７２２は、電源投入時に時短状態となっていれば、当然のことながら、これに対応して作動（点灯）し、遊技中において、抽選状態が非時短状態から時短状態に変化した場合も、これに対応して作動し（点灯）、第二種時短状態の終了（時短遊技の消化）によって、抽選状態が時短状態から非時短状態に変化した場合も、これに対応して作動（消灯）する。なお、時短状態であるか否かについては、抽選入球口５４０の作動態様が時短状態中と非時短状態中とで異なることから、遊技を行えば外見から確認することができるのであるが、時短表示器７２２を採用することで、遊技を行わなくても、時短状態であるか否かを確認することができることとなる。
【０１４４】
第一種特別遊技表示器７２３は、第一種当選となって、第一種特別遊技が開始されると点灯し、第一種特別遊技が終了すると消灯するものであり、点灯することで、第一種特別遊技が発生している状態であることを明示するものである。
【０１４５】
第二種特別遊技表示器７２４は、第二種当選、第三種当選または第四種当選となって、第二種特別遊技が開始されると点灯し、第二種特別遊技が終了すると消灯するものであり、点灯することで、第二種特別遊技が発生している状態であることを明示するものである。
【０１４６】
ところで、第二種特別遊技表示器７２４については、第二種当選及び第三種当選によって第二種特別遊技が発生した状態では作動（点灯）して、この状態であることを表示するが、第四種当選によって第二種特別遊技が発生した状態では作動（点灯）せず、この状態であることを表示しないこととしてもよい。
【０１４７】
第二種当選及び第三種当選は、抽選状態の変化に関与する当選である一方で、第四種当選は、抽選状態の変化には関与しない当選である。そして、第二種当別遊技の外見上の作動態様によっては、第四種当選であるか否かが判別不能なことから、当選が、抽選状態の変化に関与する当選であったのか否かは分からない。
【０１４８】
そこで、上記のような第二種特別遊技表示器７２４とすることで、第一種特別遊技よりも短い時間である第二種特別遊技中において、第二種特別遊技表示器７２４の作動状態を確認することで、第四種当選であったのか否かが、外見から判別可能となる。すなわち、このような第二種特別遊技表示器７２４によれば、第二種特別遊技が発生している時間（第一種特別遊技よりも短い僅かな時間）において、当選の種類をある程度、判別できる機会を与えることができる。
【０１４９】
このような第二種特別遊技表示器７２４を具備するパチンコ機１は、「抽選の結果の種類に応じて、外見上の差異がない所定の状態が発生した場合に、第二種特別遊技表示器７２４を観察することで、抽選の結果がある程度分かる」といった機能を有するものとなる。具体的に、本例では、「第二種当選、第三種当選または第四種当選の何れかの当選によって、外見上、同一の態様の第二種特別遊技が発生した場合に、第二種特別遊技表示器７２４を観察することで、少なくとも、当選が第四種当選であったのか否かが分かる」といった機能を有するものとなる。
【０１５０】
よって、上記機能を知った遊技者は、「上記所定の状態が発生した場合に、第二種特別遊技表示器７２４を観察することで抽選の結果を確認する」といった遊技を楽しむことができる。特に、本例では、第二種特別遊技表示器７２４が、詳細は後述する演出表示装置８００に比して、小さく、しかも、作動態様として発光器が点灯するだけであり、目立ち難いことから、遊技者に着目され難い。このため、上記機能は、淡々と遊技を行う遊技者にとっては知られ難く、ささいな現象にも注意を払ってこの種のパチンコ機１での遊技に励んだ遊技者が、上記機能を自ら発見すると、他の遊技者が知らない情報を知り得たことで大きな満足感が得られる。
【０１５１】
以上、状態表示装置７２０の一例を示したが、状態表示装置７２０としては、上述の例に限らない。例えば、確変表示器７２１、時短表示器７２２、第一種特別遊技表示器７２３及び第二種特別遊技表示器７２４といった各種の表示器が、１箇所にまとめて配置されたものではなく、単一の状態表示装置７２０において、或いは、複数の状態表示装置７２０を用いて、各種の表示器がばらばらに配置されたものであってもよい。また、各種の表示器の内、適宜の表示器を省略することもできるし、他の適宜の状態を表示する表示器を追加してもよい。さらに、７セグメント表示器によって各種の表示器を構成したり、７セグメント表示器を採用することで、複数の表示器を兼用することとしてもよい。また、点灯及び消灯するランプである発光器を用いたものに限らず、静止画や動画等の画像或いは映像を表示する液晶表示装置等の表示器や、動作する可動体を用いたものであってもよい。
【０１５２】
また、状態表示装置７２０は、役物６００の一部を構成するべく、役物６００に設けられており、しかも、役物６００の外縁部分における一部の領域に設けられ、目立つことのないものとなっているが、これに限らず、状態表示装置７２０を、遊技領域３７の他の部位、遊技盤５における遊技領域３７外の部位、或いは、本体枠３や前面枠４等、遊技盤５以外の部位に設けてもよい。
【０１５３】
［特図保留表示装置について］
上述した特別図柄表示装置７１０は、図柄が変動中に抽選入球口５２０に遊技球が入球することで行われた抽選の結果の表示については、一旦、保留して、先の抽選結果の表示が完了した後に、次の抽選結果の表示を行うように設定されている。そして、特別図柄表示装置７１０で図柄が変動中に抽選結果の表示が保留されていれば、結果の表示が保留されている抽選の回数（以下「保留数」という）が特図保留表示装置７３０にて表示される。なお、特図表示装置７１０の変動中に抽選入球口５２０に遊技球が入球することで行われる抽選については、所定の回数を上限（本例では４回分）として、上限回数を越えた分については無効として処理される。
【０１５４】
特図保留表示装置７３０は、単色（例えば赤色）で点灯及び消灯する複数（本例では、保留数の上限が４回分であることから４個）の発光器７３１を用いて構成されており、特別図柄保留表示装置７３０では、点灯した発光器７３１の個数によって構成された図柄が表示される。そして、１つの発光器７３１が点灯していれば、保留数が「１」であり、２つの発光器７３１が点灯していれば、保留数が「２」であるといったように、点灯している発光器７３１の数（図柄）によって、保留数が明示される。そして、本例では、発光器７３０として単色で発光するＬＥＤ（発光ダイオード）が用いられている。
【０１５５】
このような特図保留表示装置７３０は、表示内容として図柄を表示することにより、特図表示装置７１０での結果の表示が保留されている抽選の回数を表示するものであり、抽選に関する情報を遊技者に提供する抽選情報提供手段の一種として捉えることができる。また、この特図保留表示装置７３０は、主制御基板１３１によって駆動が制御される。
【０１５６】
以上、特図保留表示装置７３０の一例を示したが、特図保留表示装置７３０としては、上述の例に限らない。例えば、複数の発光器７３１が１箇所にまとめて配置されたものではなく、単一の特図保留表示装置７３０において、或いは、複数の特図保留表示装置７３０を用いて、各発光器７３１がばらばらに配置されたものであってもよい。また、点灯及び消灯するランプである複数の発光器７３１を用いたものに限らず、７セグメント表示器、静止画や動画等の画像或いは映像を表示する液晶表示装置等の表示器を用いて、保留数を数字で表示することとしてもよい。さらには、動作する可動体を用いて、保留数を表示することとしてもよい。
【０１５７】
また、特図保留表示装置７３０は、役物６００の一部を構成するべく、役物６００に設けられているが、これに限らず、特図保留表示装置７３０を、遊技領域３７の他の部位、遊技盤５における遊技領域３７外の部位、或いは、本体枠３や前面枠４等、遊技盤５以外の部位に設けてもよい。
【０１５８】
［抽選演出表示装置について］
役物６００に設けられた抽選演出表示装置８００は、上述の特別図柄表示装置７１０での図柄変動中の表現よりも、複雑な表示内容を表現可能なものであり、遊技中において、主に、特別図柄表示装置７１０での図柄の変動中に種々の演出を行うものである。そして、本例では、抽選演出表示装置８００全体が、複数の表示装置を用いて構成されている。具体的には、第一演出表示装置８１０、第二演出表示装置８２０、第三演出表示装置８３０及び第四演出表示装置８４０を用いて構成されている。
【０１５９】
第一演出表示装置８１０は、多様なパターンで動作する可動体８１０Ｔを用いて構成されている。具体的に、本例では、サングラスを掛けた丸い爆弾のキャラクタを模した可動体８１０Ｔを用いて構成されている。なお、図柄を表示する装置を表示装置と称することができることは明白であるが、上述のように可動体８１０Ｔを用いた装置も、可動体８１０Ｔの動作によって表示内容を構成することができることから、表示装置と称することができる。
【０１６０】
そして、この第一演出表示装置８１０では、可動体８１０Ｔの多様な動作によって、多様な演出が行われる。ここで、本例では、可動体８１０Ｔが、回転駆動装置によって回転駆動され、しかも、昇降駆動装置によって上下動されるものとなっており、動作パターンとして、上方から見て時計回りに回転（以下「右回転」という）したり、上方から見て時計回りとは逆に回転（以下「左回転」という）したり、或いは、回転中に上下動したり、回転せずに上下動する等、多様な動作パターンが設定されている。
【０１６１】
また、可動体８１０Ｔの大部分（キャラクタの顔の部分）は、種々の色の光が透過可能に白色の半透明な樹脂により形成されており、可動体８１０Ｔの内部には、光の三原色である「赤色」、「緑色」及び「青色」の三色の光を発光可能な発光器が設けられている。これにより、可動体８１０Ｔが動作する際に上記発光器から多彩な色の光を出力させて、可動体８１０Ｔの動作による演出（以下「動作演出」という）ばかりでなく、可動体８１０Ｔの色による演出（以下「色演出」という）も行うことができるようにしてある。
【０１６２】
第二演出表示装置８２０は、複数種類の図柄を表示可能なものであり、本例では、複数種類の図柄を夫々表示可能な複数の図柄表示器を用いて構成されている。具体的に、第一図柄表示器８２１、第二図柄表示器８２２及び第三図柄表示器８２３の三つの図柄表示器を用いて構成されている。そして、各図柄表示器８２１，８２２，８２３の夫々は、複数の色の光を発光可能な発光器を具備しており、複数種類の図柄の中から、発光器の発光色に応じた図柄を表示する。なお、本例では、青色及び赤色の２色の光を発光可能な発光器を用いて、発光器が青色で点灯すると、「○」の図柄（以下「作動用図柄」という）が表示され、赤色で点灯すると、「×」の図柄（以下「非作動用図柄」という）が表示される。
【０１６３】
第三演出表示装置８３０は、抽選表示装置８００全体で行われる一連の演出が進行することを示す表示（以下「進行表示」という）を行うことが可能なものであり、本例では、進行表示を夫々表示可能な複数の進行表示器を用いて構成されている。具体的に、第一図柄表示器８２１と後述する第四演出表示装置８４０と間に配置され、第一図柄表示器８２１から第四演出表示装置８４０へと進行表示を行う第一進行表示器８３１、第二図柄表示器８２２と第四演出表示装置８４０と間に配置され、第二図柄表示器８２２から第四演出表示装置８４０へと進行表示を行う第二進行表示器８３２、及び、第三図柄表示器８２３から第四演出表示装置８４０へと進行表示を行う第三進行表示器８３３の三つの進行表示器を用いて構成されている。そして、各進行表示器８３１，８３２，８３３の詳細は、以下の通りである。
【０１６４】
各進行表示器８３１，８３２，８３３の夫々は、図柄表示器８２１，８２２，８２３と第四演出表示装置８４０との間に連設され、単色で発光する複数の発光器（例えばＬＥＤ（発光ダイオード））を具備している。そして、第二演出表示装置８２０の図柄の変動が終了した際に、少なくとも一つの図柄表示器８２１，８２２，８２３にて作動用図柄が表示された場合には、第二演出表示装置８２０全体での表示完了と同時に、作動用図柄を表示した図柄表示器８２１，８２２，８２３に対応する各進行表示器８３１，８３２，８３３にて、全ての発光器が点灯または消灯した状態から、図柄表示器８２１，８２２，８２３から第四演出表示装置８４０に向かって、発光器を、順次、消灯または点灯させることで、図柄表示器８２１，８２２，８２３から第四演出表示装置８４０へと消灯または点灯が進行する表示を行う。ここで、本例では、導火線を模した進行表示器８３１，８３２，８３３を採用しており、進行表示によって、あたかも、導火線に火がついて、火種が第四表示装置８４０に向かって進むような表現がなされる。
【０１６５】
第四演出表示装置８４０は、複数種類の図柄を表示可能なものであり、本例では、７セグメント表示器を用いて構成されている。そして、この第四演出表示装置８４０では、上記第二演出表示装置８２０の三つの進行表示器８２１ａ，８２２ａ，８２３ａのうちの少なくとも一つによって進行表示が行われた場合に、進行表示の終了タイミングに合わせて図柄の変動を開始し、所定時間経過後に、変動を停止させて適宜の図柄が表示される。ここで、本例では、第四演出表示装置８４０にて、図柄として「１」〜「９」の数字を表示することとしてある。また、７セグメント表示器の各セグメントは、光の三原色である「赤色」、「緑色」及び「青色」の三色の光を発光可能であり、多彩な色の図柄を表示できることとしてある。
【０１６６】
［抽選演出表示装置の作動態様について］
以上のような抽選演出表示装置８００は、次のように作動する。
【０１６７】
まず、抽選入球口５２０に遊技球が入球して抽選が行われると、特別図柄表示装置７１０での図柄の変動が開始されるのであるが、これに合わせて、第一演出表示装置８１０の可動体８１０Ｔの作動（可動体８１０Ｔの動作演出及び色演出）を開始して、第一演出表示装置８１０にて第一演出を行う。ここで、第一演出では、可動体８１０Ｔが上下動すると共に、青色や赤色等、種々の色で発光する。また、第一演出は、作動中の可動体８１０Ｔを確実に確認できるように、例えば３秒といったように、十分に長い時間に設定されている。
【０１６８】
次に、第一演出表示装置８１０の可動体８１０Ｔの作動が停止して、第一演出表示装置８１０での第一演出が終了すると、第一演出の終了と同時に、第二演出表示装置８２０の図柄の変動を開始して、第二演出表示装置８２０での第二演出を行う。ここで、第二演出中においては、各図柄表示器８２１，８２２，８２３にて、作動用図柄（「○」）及び非作動用図柄（「×」）の表示を一定のリズムで交互に繰り返す、といった図柄変動中の単純な演出を行う。また、第一演出は、作動中の各図柄表示器８２１，８２２，８２３を確認できるように、例えば３秒といったように、十分に長い時間に設定されている。
【０１６９】
なお、第二演出中では、第三演出表示装置８３０の各進行表示器８３１，８３２，８３３の全ての発光器が点灯しており、各図柄表示器８２１，８２２，８２３と第四演出表示装置８４０との間に導火線があることが表現される。
【０１７０】
また、第二演出中においては、第一演出表示装置８２０にて、可動体８２０Ｔの作動による演出を行うこともある。例えば、第二演出表示装置８２０にて作動用図柄を表示する図柄表示器８２１，８２２，８２３が少なくとも一つある場合に、第二演出の終了に先駆けて、第一演出表示装置８１０の可動体８１０Ｔを１回転させたり、第二演出表示装置８２０にて作動用図柄を表示する図柄表示器８２１，８２２，８２３が三つである場合に、第二演出の終了に先駆けて、第一演出表示装置８１０の可動体８１０Ｔを高速で３回転させたりする等、第二演出表示装置８２０にて所定の事象が生じることを、第一演出表示装置８１０の演出によって、事前に予告する。なお、このような第二演出中に行われる第一演出表示装置８１０の演出は、上述の第一演出とは異なるものであり、第二演出と重なる「重複演出」として捉えることができる。また、この重複演出は、第二演出表示装置８２０にて所定の事象が生じる場合に、必ず現出するのではなく、所定の事象が生じる場合において、適宜確率で現出するように設定されている。これにより、重複演出が現出しないことで、対応する所定の事象が生じないことが判明してしまい、第二演出による演出効果が低下してしまうといった不具合が生じることを防止できる。
【０１７１】
次に、第二演出表示装置８２０での第二演出が終了し、各図柄表示器８２１，８２２，８２３の全てに図柄が表示され、少なくとも一つの図柄表示器８２１，８２２，８２３に作動用図柄が表示された場合には、第二演出の終了と同時に、作動用図柄を表示した図柄表示器８２１，８２２，８２３に対応する進行表示器８３１，８３２，８３３にて、進行表示を開始して、第三演出表示装置８３０にて第三演出を行う。ここで、第三演出は、第二演出表示装置８２０から第三演出表示装置８３０への演出の移行を単に示すに過ぎないものであり、演出が移行することを確認できさえすればよいものであることから、抽選演出表示装置８００全体での演出中に占める割合が過度に大きくならないように、例えば２秒といったように、第一演出や第二演出よりも短い時間に設定されている。
【０１７２】
一方、各図柄表示器８２１，８２２，８２３の少なくとも一つにて作動用図柄が表示されていない場合には、すなわち、各図柄表示器８２１，８２２，８２３の全てに非作動用図柄が表示された場合には、第三演出表示装置８３０の何れの進行表示器８３１，８３２，８３３も作動させずに、すなわち、第三演出表示装置８３０にて第三演出を行わずに、演出表示装置８００での演出を終了させる。
【０１７３】
最後に、第三演出表示装置８３０にて第三演出が行われた場合には、この第三演出が終了すると同時に、或いは、例えば１秒以内といったような短時間の経過後に、第四演出表示装置８４０にて図柄の変動を開始して、第四演出表示装置８４０にて第四演出を行う。そして、第四演出では、第四演出表示装置８４０において、図柄を、種々のパターンで変動させた後に停止させて表示する。ここで、第四演出については、図柄の種々のパターンの変動によって、遊技者を楽しませるものであり、第四演出の種類によって、演出時間に差異が生じるように設定されている。そして、第四演出表示装置８４０に表示された図柄については、次回に第四演出を開始するまで、すなわち、次回に第四演出表示装置８４０で図柄の変動を開始するまで、第四演出表示装置８４０にて表示したままの状態で維持する。
【０１７４】
なお、本例では、第四演出表示装置８４０にて、抽選の結果が第一種当選であれば、「７」の数字が表示することとしてあり、第二種当選、第三種当選及び第四種当選であれば、「３」の数字を表示することとしてある。一方、抽選の結果が落選であれば、「７」及び「３」以外の数字が表示することとしてある。よって、第四演出表示装置８４０にて「３」の数字が表示された場合には、当選であることは分かるものの、その当選が、第二種当選、第三種当選または第四種当選の何れの当選であるかは判別することができないこととしてある。
【０１７５】
ところで、第四演出については、現出すると、当選用の図柄（本例では「７」及び「３」の数字）が表示されるに至る可能性が高く、遊技者に高い期待感を与える演出（以下「高期待度演出」という）と、現出しても、当選用の図柄が表示されるに至る可能性が低く、遊技者に高い期待感を与えない演出（以下「低期待度演出」という）との少なくとも２種類の演出が用意されており、演出の種類によって、当選用の図柄が表示されることへの期待感に差を生じさせることができるようにしてある。
【０１７６】
ここで、低期待度演出の期待度が低く、高期待度演出の期待度が高くなるようにするためには、演出の種類を選出するに際して、抽選結果が落選であれば、高期待度演出よりも低期待度演出が選出され易くする一方で、当選であれば、低期待度演出よりも高期待度演出が選出され易いようにすればよい。また、期待度が異なる３種類以上の演出がある場合には、落選であれば、期待度が高い演出ほど、選出され難くすればい。
【０１７７】
また、第四演出の種類は、第二演出表示装置８２０及び第三演出表示装置８３０の表示内容に対して、以下のように関連付けられている。
【０１７８】
すなわち、第二演出表示装置８２０にて作動用図柄を表示した図柄表示器８２１，８２２，８２３の数が多く、第三演出表示装置８３０にて進行表示を行った（作動した）進行表示器８３１，８３２，８３３の数が多くなればなるほど、第四演出として、高期待度演出が現出し易くなるようにしてある。特に、本例では、作動した進行表示器８３１，８３２，８３３の数が多くなればなるほど、第四演出として、より期待度の高い演出が現出し易くしてある。これにより、第二演出表示装置８２０及び第三演出表示装置８３０の表示内容によって、現出する第四演出に対する期待感に差を生じさせることができ、ひいては、第四演出表示装置８４０にて当選用の図柄が表示されることへの期待感に差を生じさせることができる。よって、第二演出表示装置８２０での第二演出及び第三演出表示装置８３０での第三演出は、抽選演出表示装置８０全体の一連の演出において、第四演出が行われるまでの単なる過程的な演出ではなく、遊技者に興味を抱かすことのできる重要な役割を果たす演出となる。
【０１７９】
具体的に、本例では、第四演出として、「第１期待度演出」、「第２期待度演出」、「第３期待度演出」、「第４期待度演出」、「第５期待度演出」及び「第６期待度演出」といったように、６種類の演出が用意されている。ここで、各演出については、第１〜第６のうち、数字が大きいほど、期待度が高い演出となっており、特に、第６期待度演出は、現出すると、当選用の図柄が表示されるに至ることが確定する、所謂「確定演出」となっている。そして、作動した進行表示器８３１，８３２，８３３の数が一つであるパターン（以下「１進行表示パターン」）では、期待度の低い演出ほど、現出し易い一方で、期待度の高い演出ほど、現出し難くなっている。なお、「期待度の低い（高い）演出ほど、現出し易い（難い）」といった表現は、期待度の順で隣接する演出について、夫々の演出における現出のし易さ（し難さ）が必ず異なることを示すものではなく、現出のし易さ（し難さ）が同じであることを含むものであり、以下の表現においても同様である。
【０１８０】
また、作動した進行表示器８３１，８３２，８３３の数が二つであるパターン（以下「２進行表示パターン」）では、第１期待度演出及び第２期待度演出が現出しない、換言すれば、第３期待度演出以上の期待度の演出が現出することが確定する、こととなっている。そして、２進行表示パターンで現出する可能性のある第３〜第６までの演出については、期待度の低い演出ほど、現出し易い一方で、期待度の高い演出ほど、現出し難くなっている。
【０１８１】
また、作動した進行表示器８３１，８３２，８３３の数が三つであるパターン（以下「３進行表示パターン」）では、第１期待度演出、第２期待度演出、第３期待度演出及び第４期待度演出が現出しない、換言すれば、第５期待度演出以上の期待度の演出が現出することが確定する、こととなっている。そして、３進行表示パターンで現出する可能性のある第５及び第６の演出については、期待度の低い演出ほど、現出し易い一方で、期待度の高い演出ほど、現出し難くなっている。
【０１８２】
このように第二演出表示装置８２０及び第三演出表示装置８３０の表示内容によって、第四演出の現出可能性を異ならせるためには、第二演出表示装置８２０及び第三演出表示装置８３０の表示内容と第四演出の種類とを組合わせた複数種類の演出パターンを予め用意しておき、抽選結果に基づいて、適宜の演出パターンが適宜の確率で選出されるように、設定すればよい。また、これに限らず、抽選結果に基づいて、第一段階の処理にて、第四演出の種類を決定し、第二段階の処理として、決定された第四演出に応じて、第二演出表示装置８２０及び第三演出表示装置８３０の表示内容を決定するようにしてもよい。なお、第三演出表示装置８３０の表示内容は、第二演出表示装置８２０の表示内容に対応するものであることから、第四演出の種類に応じて、第三演出表示装置８３０の表示内容を決定するようにしてもよい。
【０１８３】
第四演出表示装置８４０に表示される図柄は、第４演出の種類ばかりでなく、第一演出表示装置８１０の表示内容、すなわち「演出の種類」に対して、以下のように関連付けられている。
【０１８４】
第一演出表示装置８１０での第一演出においては、可動体８１０Ｔが、上下動すると共に、「第１色」（例えば青色）、「第２色」（例えば黄色）、「第３色」（例えば緑色）、「第４色」（例えば赤色）、「第５色」（例えば白色）、「第６色」（例えば虹の７色）といったように、複数の種類の色から適宜選出された色で発光するようにしてある。そして、第１〜第６までの色のうち、数字が大きい色で可動体８１０Ｔが発光するほど、当選用の図柄が表示される可能性が高く、遊技者にとっての期待度が高い第一演出となっている。特に、第６色で可動体８１０Ｔが発光する演出は、当選用の図柄を表示することが確定したことを示す演出となっている。これにより、第一演出表示装置８１０での第一演出は、抽選演出装置８００での一連の演出において、単なる初期段階の演出ではなく、遊技者に興味を抱かせることのできる重要な役割を果たす演出となる。
【０１８５】
なお、第一演出の種類に応じて第四演出表示装置８４０にて当選用の図柄を表示する可能性を異ならせるためには、抽選結果に基づいて、第一演出として、適宜の種類の演出が適宜の確率で選出されるように、設定すればよい。
【０１８６】
また、第一演出表示装置８１０での第一演出、第二演出表示装置８２０及び第三演出表示装置８３０での表示内容、第四演出表示装置８４０での第四演出、及び、第四演出表示装置８４０で表示される図柄の夫々を関連付けさせて、これにより、一連の演出の演出効果を向上させることもできる。例えば、「第一演出として所定の演出がなされ、第二演出表示装置８２０及び第三演出表示装置８３０での表示内容が所定の表示内容となれば、第四演出表示装置８４０にて所定の第四演出が現出することが確定する」、「第一演出として所定の演出がなされ、第四演出表示装置８４０にて所定の第四演出が現出すれば、第四演出表示装置８４０で当選用の図柄が表示されることが確定する」等といったような関連付けを例示できる。
【０１８７】
そして、このように関連付けするためには、第一演出の種類、第二演出表示装置８２０及び第三演出表示装置８３０での表示内容の種類、第四演出表示装置８４０での第四演出の種類、及び、第四演出表示装置８４０で表示される図柄の種類等、適宜事項を組合わせた演出パターンを予め用意しておき、抽選結果に基づいて、適宜の演出パターンが適宜の確率で選出されるように、設定すればよい。また、これに限らず、抽選結果に基づいて、複数段階の処理によって、第四演出の種類を決定し、これに基づいて、第二演出表示装置８２０及び第三演出表示装置８３０の表示内容を決定すると共に、第一演出の種類を決定するようにしてもよい。
【０１８８】
一方、第一演出の種類と第四演出の種類を決定するに際しては、相互に影響されない抽選結果に基づく個別の処理によって、夫々を決定することも、有効である。第一演出として期待度の高い演出がなされ、しかも、第四演出としても期待度の高い演出がなされれば、抽選結果が当選であるが故に夫々期待度の高い演出が選出された可能性が高く、遊技者に大きな期待感を抱かせることができる一方で、一つの演出として期待度の高い演出がなされても、他の演出として期待度の低い演出がなされれば、上述の例よりも抽選結果が当選である可能性が低く、遊技者に無用に大きな期待感を抱かせないようにすることができる、といったように、一連の演出における複数の演出の相乗効果によって、演出効果を向上させることができるからである。
【０１８９】
ところで、特別図柄表示装置７１０での図柄の変動中に、上述した通り、抽選演出表示装置８００では、第一演出、第二演出、第三演出及び第四演出といったような種々の演出が行われるのであるが、抽選演出表示装置８００での演出については、特別図柄表示装置７１０での図柄の変動開始と同時或いは変動開始後に、演出を開始し、特別図柄表示装置７１０での図柄の変動停止（図柄の表示）の前或いは変動停止（図柄の表示）と同時に、演出を終了するように設定されている。これにより、特別図柄表示装置７１０での図柄の変動開始に先駆けて抽選演出表示装置８００での演出が開始されることを防止することができる。また、特別図柄表示装置７１０での図柄表示後においても、抽選演出表示装置８００での演出が無用に継続されることを防止することができる。なお、本書においては、特筆しない限り、「同時」とは、時間的に厳密な同時を示すものではなく、遊技者が認識できない程度の時間的ズレを含むこととし、「時間の前後」については、遊技者が認識可能な時間的な差を示すこととする。
【０１９０】
また、抽選演出表示装置８００で行う演出としては、複数種類のものが用意されており、主制御基板１３１から送られた情報（信号）に対応して適宜の処理を行う副制御基板１１９にて、複数種類の中から、抽選演出表示装置８００で行う演出が、適宜、選出される。また、特別図柄表示装置７１０での図柄の変動開始から変動終了までの時間（以下「特別図柄表示装置７１０での図柄変動時間」という）は、複数種類の時間の中から、抽選結果に基づいて、適宜、設定されるのであるが、抽選演出表示装置８００で行う演出として、開始から終了までの時間が異なる演出が用意されており、抽選演出表示装置８００での演出開始から演出終了までの時間（以下「抽選演出表示装置８００での演出時間」という）が特別図柄表示装置７１０での図柄変動時間に対応するように、抽選演出表示装置８００で行う演出が選出される。特に、本例では、特別図柄表示装置７１０での図柄変動時間と、抽選演出表示装置８００での演出時間とが、合致するような演出が選出される。
【０１９１】
ここで、本例では、第一演出、第二演出及び第三演出については、その演出の種類に関わらず、演出時間が、常時、一定にしてあるのに対して、第四演出については、種類によって、演出時間が異なることとしてある。なお、本例では、第四演出について、期待度の低い演出よりも期待度の高い演出の方が、演出時間が長くなるようにしてある（期待度の順で隣接する演出について、夫々の演出時間が必ず異なることを示すものではなく、同じ演出時間であることを含む）。
【０１９２】
よって、抽選演出表示装置８００での演出全体の時間は、第四演出表示装置８４０での第四演出の種類によって変動するのであるが、第四演出を、既に設定された特別図柄表示装置７１０での図柄変動時間に対応して決定することとしてある。これにより、抽選演出表示装置８００での演出全体の時間を、特別図柄表示装置７１０の図柄変動時間に対応させることができることとしている。このような処理は、既に設定された特別図柄表示装置７１０での図柄変動時間に基づいて、抽選演出表示装置８００の演出、より具体的には、第四演出表示装置８４０の演出、を決定する処理であるともいえる。
【０１９３】
［特図対応演出表示装置］
この特図対応演出表示装置８５０は、上述した特別図柄表示装置７１０と同様に、表示内容として図柄を表示することにより抽選結果を明示するものである。そして、本例では、特図対応演出表示装置８５０が以下のように構成されている。
【０１９４】
特図対応演出表示装置８５０は、夫々、単色または複数色で発光する複数の発光器７１１を用いて構成されており、各発光器７１１の発光パターンの組合わせからなる図柄を表示内容として表示することで、抽選結果が当選であるか或いは落選であるかを明示するものとして構成されている。また、当選である場合には、第一種当選か、第二種当選か、第三種当選か或いは第四種当選かを、明示するものとして構成されている。
【０１９５】
具体的に、本例では、夫々異なる色である第一色（例えば赤色）及び第二色（例えば緑色）の２色で発光する発光器８５１を用いて、１０個の発光器７１１によって特図対応演出表示装置８５０が構成されている。また、各発光器８５１は、ＬＥＤ（発光ダイオード）によって構成されており、第三演出表示装置８３０の左右両側の夫々、５個づつ、左右対称となるように配置されている。このような特図対応演出表示装置８５０では、各発光器８５１の発光パターンの組合わせによって、表示する図柄が形成されるのであるが、各発光器８５１の発光パターンが、「消灯」、「第一色点灯」及び「第二色点灯」の３パターンとなっており、発光器８５１が１０個であるため、この特図対応演出表示装置８５０によれば、「３の１０乗」の５９０４９パターンといった極めて多様な図柄（表示内容）を表示することができる。
【０１９６】
また、第一種当選であれば、例えば、各発光器８５１の全てを第一色で点灯させ、落選であれば各発光器８５１を全て第二色で点灯させるといったように、第一種当選及び落選の夫々については、図柄の種類に対して１対１で対応するように設定されている。これに対して、第二種当選、第三種当選及び第四種当選については、夫々の当選を表示する図柄として、複数種類の図柄が設定されている。特に、本例では、特図対応演出表示装置８５０が、特別図柄表示装置７１０よりも極めて多様な図柄を表示できるものであることから、第二種当選、第三種当選及び第四種当選の夫々については、第一種当選を表示する図柄の種類よりも多く、しかも、特別図柄表示装置７１０で表示する図柄の種類も多い、例えば１０パターン以上といったような多種類の図柄が設定されている。これにより、特別図柄表示装置７１０に表示された図柄の種類によって当選の種類を特定することは、特別図柄表示装置７１０よりも、より一層、困難となっている。
【０１９７】
また、第二種当選、第三種当選及び第四種当選の夫々を明示する複数種類の図柄のパターンは、例えば、特定の発光器８５１の発光態様が第一色で発光していれば、必ず第二種当選である等といったような規則性を有しておらず、不規則的（ランダム的）なパターンで設定されている。また、当選に対応する図柄として、対称（本例では左右対称）に配置された複数の発光器８５１の発光パターンが対称となっていない図柄を含んでおり（当選に対応する全ての図柄をこのようにしてもよい）、当選に対応する図柄を、覚え難いものとしてある。よって、特別図柄表示装置７１０に表示された図柄によっては、当選の種類を特定し難くなっている。
【０１９８】
ところで、７セグメント表示器等を用いて構成され、数字、文字、記号等の分かり易い図柄を表示する第四演出表示装置８４０は、遊技者にとって目立つ表示装置となるが、特図対応演出表示装置８５０は、この目立つ第四演出表示装置８４０の近傍に配置されており、しかも、単独で単に点灯及び消灯するランプである発光器８５１を用いた簡素な表示装置となっている。よって、特図対応演出表示装置８５０は、あたかも、第四演出表示装置８４０の周りを装飾するランプであるかのように見え、遊技者に注目され難いものとなっている。また、図柄の変動中においては、全ての発光器８５１が同じ色で点灯するように同調させ、しかも、全ての発光器８５１において２色の点灯を、パチンコ機１から出力されるＢＧＭのテンポに合わせて、交互に繰り返すといったように、単純で違和感のない態様でさせる。よって、この点からも、特図対応演出表示装置８５０が、あたかも、単なる装飾用のランプであるかのように見え、遊技者に注目され難いものとなっている。
【０１９９】
［状態演出表示装置について］
状態演出表示装置８６０は、多様なパターンで動作する可動体８６０Ｔを用いて構成されている。そして、この状態演出表示装置８６０では、可動体８６０Ｔの動作によって、遊技状態に関する演出が行われる。そして、この遊技状態に関する演出についての詳細は、以下の通りである。
【０２００】
可動体８６０Ｔは、回動駆動装置によって点Ｏを回転中心として回転駆動されるように構成されており、可動体８６０Ｔの周囲には、第一指標８６１、第二指標８６２、第三指標８６３といった複数の指標が配設されている。そして、可動体８６０Ｔの回動位置によって、適宜の指標が指し示される。ここで、本例では、第一指標８６１には、「Ｖ」の文字が描かれており、第二指標８６２には、「天国」の文字が描かれている。そして、第三指標８６３は、カウント前指標部８６３ａとカウントダウン指標部８６３ｂとを備えてなる。ここで、カウント前指標部８６３ａには、線が単に描かれているだけなのであるが、カウントダウン指標部８６３ｂは、単色で点灯及び消灯する複数の発光器（例えばＬＥＤ（発光ダイオード）等）の夫々によって構成されている。
【０２０１】
また、可動体８６０Ｔの回動位置によって指し示される指標が明確となるように、可動体８６０Ｔには、先端によって指し示す部位を示す指針部８６４が設けられている。ここで、可動体８６０Ｔは、丸い爆弾を模しており、指針部８６４は、爆弾から延び出る導火線を模している。また、指針部８６４の先端形状は、指先や矢印等（本例では指先を採用している）、指し示す部位を明確に案内可能な先細の形状としてある。
【０２０２】
このような状態演出表示装置８６０では、図１２に示す状態を、遊技状態に関する演出も行わない初期状態として、第一種当選により第一種特別遊技が発生すると、初期状態から、可動体８６０Ｔが第一指標８６１を指し示す状態に変動する。そして、第一種特別遊技が終了して、抽選状態が確変第一種時短状態になると、可動体８６０Ｔが第一指標８６１を指し示す状態から第二指標８６２を指し示す状態に変動する。そして、確変第一種時短状態中に、再度、第一種当選になり、第一種特別遊技が発生すると、可動体８６０Ｔが第二指標８６２を指し示す状態から、再び、第一指標８６１を指し示す状態に変動する。そして、繰り返し第一種当選がなされると、上記変動を繰り返す。
【０２０３】
一方、確変第一種時短状態中に第二種当選または第三種当選になり、第二種特別遊技が発生すると、時短に関する抽選状態が第二種時短状態に変化するので、可動体８６０Ｔが第二指標８６２を指し示す状態から、第三指標８６１のカウント前指標部８６３ａを指し示す状態に変動する。そして、時短遊技の残り回数がｎ回（本例では１６回）の所定のカウントダウン回数になるまで、可動体８６０Ｔがカウント前指標部８６３ａを指し示す状態で維持されるのであるが、時短遊技が消化されて、時短遊技の残り回数がｎ回になると、可動体８６０Ｔがカウント前指標部８６３ａを指し示す状態からカウントダウン指標部８６３ｂを指し示す状態に変動する。具体的には、可動体８６０Ｔの周りに一定間隔で配設されたｎ個の発光器のうち、カウント前指標部８６３ａに最も近接する発光器を指し示す状態に変動する。
【０２０４】
そして、その後、時短遊技が１回、消化されるごとに、指し示す発光器を、カウント前指標部８６３ａから離れる方向に一つづつ変更し、最後の時短遊技が行われて時短遊技が全て消化されると、すなわち、第二種遊技状態から非時短遊技状態になると、可動体８６０は、第一指標８６１、第二指標８６２及び第三指標８６３の何れの指標も指し示さない初期状態となる。
【０２０５】
なお、可動体８６０Ｔがカウント前指標部８６３ａを指し示す状態では、カウントダウン指標部８６３ｂを構成する発光器は、全て点灯した状態となっているが、可動体８６０Ｔがカウントダウン指標部８６３ｂを指し示す状態になった後は、すなわち、時短遊技の残り回数のカウントダウンが開始された後は、可動体８６０Ｔが回動して隣の発光器を指し示す状態に変動するごとに、先ほどまで指し示されていた発光器が消灯する。よって、時短遊技の残り回数が少なくなってカウントダウンが始まると、１回の時短遊技が消化されるごとに、点灯している発光器が、可動体８６０Ｔの外形に沿って、順次、一つづつ消灯することから、点灯している発光器の数によっても、時短遊技の残りの回数が示されることになる。
【０２０６】
［遊技性について］
以上のような構成を具備する本例のパチンコ機１は、主制御基板１３１によって制御される特別図柄表示装置７１０及び状態表示装置７２０と、副制御基板１１９によって制御される特図対応演出表示装置８５０とを備え、特別図柄表示装置７１０及び特図対応演出表示装置８５０の夫々によって、抽選結果が、当選の種類も含めて明示されものであり、また、状態表示装置７２０によって、抽選状態等の遊技の状態が変化したことがある程度、案内されるものではあるが、以下のような特有の遊技性を有するものとなっている。
【０２０７】
特別図柄表示装置７１０、状態表示装置７２０及び特図対応演出表示装置８５０は、目立たず、注目され難い。また、特別図柄表示装置７１０及び特図対応演出表示装置８５０の夫々に表示された図柄によっては、抽選結果を的確に特定することは困難である。
【０２０８】
特に、本例では、特図対応演出表示装置８５０が、抽選演出表示装置８００の第四演出表示装置８４０の側方に配設された役物６００の装飾用のランプのような体裁となっている。また、特別図柄表示装置７１０及び状態表示装置７２０も、状態演出表示装置８６０の側方である役物６００の外縁部に配設された装飾用のランプのような体裁となっている。よって、特図対応演出表示装置８５０、特別図柄表示装置７１０及び状態表示装置７２０が、極めて目立ち難いものとなっている。しかも、図１０及び図１２に示すように、役物６００において、状態演出表示装置８６０の周囲には、遊技盤５の盤面から前方に突出すると共に状態演出表示装置８６０を囲む枠壁６１０が設けられており、特別図柄表示装置７１０及び状態表示装置７２０が、枠壁６１０の外側に配設されている。よって、遊技者が役物６００を正面からではなく、斜めから見ると、斜めに見る方向によっては、特別図柄表示装置７１０または状態表示装置７２０が、枠壁６１０に隠れて見えなくなる。この点からも、特別図柄表示装置７１０及び状態表示装置７２０は、状態演出表示装置８６０よりも目立ち難いものとなっている。
【０２０９】
これに対して、抽選演出表示装置８００は、特別図柄表示装置７１０、及び特図対応演出表示装置８５０よりも格段に目立つものであり、遊技者は、この目立つ抽選演出表示装置８００に注目して遊技を行い、抽選演出表示装置８００での表示に対して一喜一憂する。そして、遊技中に注目している演出表示装置８００にて、第二種当選、第三種当選及び第四種当選の表示として兼用される図柄（以下「兼用図柄」という）が表示された場合には、この演出表示装置８００での表示によっては当選の種類を特定できないことから、抽選状態が有利な状態に変更されたか或いは不利な状態に変更されたを遊技者に分からせることなく、期待と不安とを抱かせて、その後の遊技に興じさることができる。
【０２１０】
特に、抽選状態が普通状態である場合には、抽選状態が変化することのない第四種当選が、他の当選に比して、頻繁に生じ、兼用図柄が頻繁に表示されるのであるが、この兼用図柄の表示によって、「第二種当選によるものであり、抽選状態が確変状態に変更されているのではないか？」といった期待を遊技者に抱かせることができる。また、第一種当選後の確変第一種時短状態である場合には、抽選状態が変化することのない第四種当選によって兼用図柄が表示されても、時短遊技が開始されないことから、抽選状態に変化がないことを遊技者に分からせることができ、安心感を抱かせることができる。
【０２１１】
このような特有の遊技性を有するパチンコ機１において、特別図柄表示装置７１０、特図対応演出表示装置８５０及び抽選演出表示装置８００は、夫々、抽選結果に関する何らかの情報を表示するものであり、これらを、「抽選結果情報表示手段」として捉えることができる。特に、特別図柄表示装置７１０及び特図対応演出表示装置８５０については、抽選結果を特定できるように明示するものであり、特別図柄表示装置７１０及び特図対応演出表示装置８５０を、「抽選結果明示手段」として捉えることができる。
【０２１２】
また、第一種当選、第二種当選、第三種当選及び第四種当選は、夫々、特別遊技を発生させるものであり、「特別遊技に関する抽選の当選」として捉えることができる。また、第一種当選、第二種当選及び第三種当選は、夫々、抽選状態を変化させるものであることから、「抽選状態の変更に関する抽選の当選」として捉えることができる一方で、第四種当選については、抽選状態を変化させないものであることから、「抽選状態の変更に関する抽選の落選」として捉えることができる。
【０２１３】
ところで、第二種当選、第三種当選及び第四種当選については、特別遊技を発生させないこととしてもよい。この場合、第二種当選及び第三種当選が「抽選状態の変更に関する抽選の当選」であるのに対して、第四種当選は、「抽選状態の変更に関する抽選の落選」であり、第一種当選、第二種当選、第三種当選及び第四種当選以外の抽選結果である落選（以下「単純な落選」という）と、機能的な差異がないものとなる。しかしながら、第四種当選は、第一種当選、第二種当選及び第三種当選と同様に、抽選演出表示装置８００にて当選の表示がなされるものであることから、第一種当選、第二種当選、第三種当選及び第四種当選を、「抽選演出表示装置での表示当選」として捉えることで、第四種当選を単純な落選と区別することができる。なお、このような態様では、第四種当選の場合には、抽選演出表示装置８００において、他の適宜の当選を示す図柄と同一の表示当選用の図柄を表示する一方で、特別図柄表示装置７１０及び特図対応演出表示装置８５０においては、単純な落選と同様な図柄を表示することとしてもよい。
【０２１４】
［制御について］  電気的構成の概略を示す図１３に基づき説明する。
パチンコ機１の制御は、大きく分けて主基板３１０のグループと周辺基板３１１のグループとで分担されている。ここで、主基板３１０のグループは、主制御基板１３１と払出制御基板１９７とを具備するものとして構成されており、遊技者が遊技球を打ち込んで賞球を獲得するといった遊技の主要な部分に関する制御、換言すれば、遊技球の払出しに関与する実体的部分に関する制御を行うものである。一方、周辺基板３１１のグループは、副制御基板１１９を具備するものとして構成されており、主に、主基板３１０のグループからの情報（信号）に基づいて、種々の機器による演出や装飾の制御等、遊技球の払出しに関与しない付加的部分に関する制御を行うものである。
【０２１５】
主制御基板１３１は、図示省略するが、ＣＰＵ（中央演算装置）、ＲＯＭ（読出し専用メモリ）及びＲＡＭ（読書き可能メモリ）を具備するコンピュータを用いて構成されており、入力された情報に基づいて所定の制御プログラムを実行することで、遊技球の入賞や払出しに関わる駆動装置、遊技の実体的部分に関する情報を表示する表示装置等の各種装置に対する作動の制御処理、他の制御基板等への信号の出力処理等、種々の処理を行う。
【０２１６】
具体的に、主制御基板１３１に、抽選入球口５２０への遊技球の入球を検出する抽選入球口センサ５２０Ｓ、作動入球口５３０への遊技球の入球を検出する作動入球口センサ５３０Ｓ、特別入賞口５４０への遊技球の入球を検出する特別入賞口センサ５４０Ｓ、各種の一般入賞口５５０への遊技球の入球を検出する各種の一般入賞口センサ５５０Ｓ等、各種のセンサからの検出信号が入力されると、主制御基板１３１は、各種のセンサから入力された検出信号に応じて所定の処理を行い、抽選入球口５２０を駆動させる抽選入球口駆動装置５２０Ｋ、特別入賞口５４０を駆動させる特別入賞口駆動装置５４０Ｋ等の駆動装置や、特別図柄表示装置７１０、状態表示装置７２０、特図保留表示装置７３０等の表示装置等、種々の装置の作動を制御する。また、主制御基板１３１は、主制御基板１３１の指令に基づいて他の制御基板にて所定の処理を行わせるべく、コマンド信号等の適宜の制御信号を他の制御基板へと出力する。特に、主制御基板１３１は、一般入賞口センサ５５０Ｓ等の入賞口への遊技球の入球を検出するセンサから検出信号が入力されると、入力された検出信号に応じた制御信号を払出制御基板１９７に出力する。
【０２１７】
払出制御基板１９７は、図示省略するが、ＣＰＵ，ＲＯＭ及びＲＡＭを具備するコンピュータを用いて構成されており、主制御基板１３１から入力された制御信号に基づいて球払出装置１７０の作動を制御する。また、払出制御基板１９７は、球払出装置１７０の作動状態に関する情報として、適宜の制御信号を主制御基板１３１に出力する。これにより、主制御基板１３１にて、実際に払出された遊技球に関する情報が管理される。
【０２１８】
このように、主制御基板１３１と払出制御基板１９７との間では、それぞれの入出力インタフェースを介して双方向通信が実施されており、例えば主制御基板１３１が賞球コマンドを送信すると、これに応えて払出制御基板１９７から主制御基板１３１にＡＣＫ信号が返される。
【０２１９】
一方、主制御基板１３１と副制御基板１１９との間では、それぞれの入出力インタフェースと入力インタフェースとの間で一方向だけの通信が行われており、主制御基板１３１から副制御基板１１９への制御信号の送信はあっても、その逆は行われない。
【０２２０】
副制御基板１１９は、ＣＰＵ、ＲＯＭ及びＲＡＭを具備するコンピュータを用いて構成されており、主制御基板１３１から入力された制御信号に応じて所定の制御プログラムを実行することで、遊技中の演出や装飾等、パチンコ機１で行われる遊技の付加的な部分を制御する。
【０２２１】
具体的に、副制御基板１１９は、主制御基板１３１から入力された制御信号に応じた処理を行い、特図対応演出表示装置８５０、抽選演出表示装置８００（第一演出表示装置８１０、第二演出表示装置８２０、第三演出表示装置８３０及び第四演出表示装置８４０）、状態演出表示装置８４０といった演出用の表示装置の作動を制御する。なお、図示は省略するが、副制御基板１１９は、本体枠３、前面枠４や遊技盤５等に設けられ、点灯及び消灯することで適宜の装飾を行う各種の装飾ランプ、音楽、音声や効果音等の適宜の音を出力して適宜の演出を行う音出力装置等、演出用や装飾用の各種装置の作動を制御するものでもある。
【０２２２】
ところで、副制御基板１１９によって制御される演出用の表示装置に代表される各種装置の作動の制御については、副制御基板１１９によって直接的に制御するに限らず、副制御基板１１９からコンピュータを用いて構成された他の制御基板に制御信号を出力することとし、この制御信号を受取った他の制御基板での適宜の処理によって、各種装置の作動を制御することとしてもよい。この場合、上記他の制御基板は、当然、周辺基板３１１のグループに含まれるものとなる。
【０２２３】
［主制御基板での処理について］
主制御基板１３１は、一定の時間間隔（例えば２ｍｓ）の定時割込み処理にて所定の制御プログラムを実行し、これにより、抽選（抽選入球口５２０に遊技球が入球することで行われる抽選）の結果の判定処理、種々の装置に対する作動の制御処理、他の制御基板への制御信号の出力処理等、種々の処理を行う。以下に、主制御基板１３１が行う代表的な処理を説明する。
【０２２４】
主制御基板１３１は、乱数を発生させるための種々の乱数カウンタを備えている。ここで、本例では、種々の乱数カウンタが、初期値から値が「１」づつ更新（加算または減算）され、所定の限度値（上限値または下限値）を越えると初期値に戻る周期カウンタとして構成されている。このような周期カウンタでは、例えば、初期値を「０」とし上限値を「ｎ」として値が「１」づつ加算されるものとすると、カウンタ値が「０」から「ｎ」までの範囲で「１」つづ、変化する。そして、適宜の事象が生じた際のカウンタ値を用いることで、「ｎ＋１」個の乱数を発生させることができる。
【０２２５】
また、乱数カウンタとしては、定時割込み処理が行われるごとに値が更新されるもの、他の乱数カウンタが１周するごとに値が更新されるもの、時間的に不定な適宜の事象が生じるごとに値が更新されるもの、適宜のタイミングで値が更新されるもの、一定の時間内に所定の制御プログラムを実行した後の時間的に不定な残余の時間に値が繰返し更新されるもののうち、適宜のものを用いることができる。そして、本例で乱数カウンタを用いる場合には、特筆しない限り、上述の種々の乱数カウンタのうち、何れかの乱数カウンタが適用されている。なお、定時割込み処理が行われるごとに値が更新される乱数カウンタに代表されるように、値の更新タイミングが、時間的に、常時、一定である乱数カウンタを、「定常更新乱数カウンタ」と捉えることができる。一方、時間的に不定な適宜の事象が生じるごとに値が更新される乱数カウンタに代表されるように、値の更新タイミングが、時間的に、常時、不定である乱数カウンタを、「不定常更新乱数カウンタ」と捉えることができる。
【０２２６】
主制御基板１３１は、抽選入球口センサ５２０Ｓからの検出信号を受けると、抽選入球口５２０への遊技球の入球がなされたとして、抽選を行う。ここで、抽選結果の判定では、抽選を行った際の抽選判定用の乱数カウンタのカウンタ値が、予め定められた所定の当選値であるか否かによって、抽選結果が当選であるか落選であるかが判定される。また、所定の当選値としては、当選の種類に対応する値が設定されており、当選である場合には、当選の種類も特定される。さらに、当選値としては、確変用当選値及び非確変用当選値といったように、複数種類の当選値が用意されており、抽選結果の判定に際しては、抽選状態に応じた当選値が参照される。すなわち、抽選状態が確変状態であれば、確変用当選値が参照され、抽選状態が非確変状態であれば、非確変用当選値が参照される。これにより、抽選状態に応じた抽選結果の判定が行われ、確変状態と非確変状態とで、当選となる確率に差異を生じさせることができる。
【０２２７】
主制御基板１３１は、上述の抽選を行うと、抽選結果を特別図柄表示装置７１０に表示させるために、特別図柄表示装置７１０の作動を制御する。ここで、主制御基板１３１では、複数の図柄の中から特別図柄表示装置７１０に表示する図柄を選出し、また、図柄の変動開始から変動停止までの変動時間（以下「変動時間」という）が異なる複数の変動パターンの中から現出させる変動パターンを選出する。具体的に、主制御基板１３１では、抽選結果が単一の図柄に対応するものであれば、この図柄を表示する図柄として選出するのであるが、抽選結果が複数の図柄に対応するものであれば、適宜の選出手法によって、対応する図柄の中から一つの図柄を選出する。また、抽選結果が単一の変動パターンに対応するものであれば、この変動パターンを現出させる変動パターンとして選出するのであるが、抽選結果が複数の変動パターンに対応するものであれば、適宜の選出手法によって、対応する変動パターンの中から一つの変動パターンを選出する。
【０２２８】
そして、主制御基板１３１は、上述の抽選を行った定時割込み処理にて、或いは、それ以降の定時割込み処理にて、特別図柄表示装置７１０で図柄の変動を開始させると共に、変動時間のタイマー（例えば、定時割込み処理の回数によって計測されるタイマー）をセットし、タイマーがタイムアップした定時割込み処理にて、特別図柄表示装置７１０で図柄の変動を終了させ、図柄を表示させる。
【０２２９】
なお、本例では、上述の図柄の選出に際して、図柄選出用の乱数カウンタを用いた選出手法を採用している。具体的に、この選出手法では、複数の図柄の個々に対応するカウンタ値が割り振られており、図柄を選出する際のカウンタ値に応じて、図柄が選出される。
【０２３０】
また、変動パターンの選出に際しても、変動パターン選出用の乱数カウンタを用いた選出手法を採用しているのであるが、カウンタ値に応じて図柄パターンを単純に選出するのではなく、複数種類の選出テーブルの中から、抽選結果に応じた選出テーブルを参照して、図柄パターンを選出することとしてある。ここで、複数種類の選出テーブルの夫々では、複数の変動パターンの個々に対応するカウンタ値の割り振り方が異なっており、選出テーブルごとに、適宜の変動パターンが選出される可能性（確率）に差異が生じるようにしてある。これにより、抽選結果の種類に応じて、適宜の変動パターンが選出され易くしたり、逆に、選出され難くすることができる。そして、本例では、抽選結果が落選であれば、変動時間の短い変動パターンが選出され易い一方で、変動時間の長い変動パターンが選出され難くなり、抽選結果が当選であれば、変動時間の長い変動パターンが選出され易い一方で、変動時間の短い変動パターンが選出され難くなるように設定されている。
【０２３１】
なお、上述したような選出テーブルを用いた選出手法は、複数の選出対象を異なる振分け方で振分けた複数の選出テーブルを用意しておき、既に特定された既定事項に対応した選出テーブルを参照することで、選出対象の選出可能性（選出確率）に差異が生じるようにした手法であり、このような手法を、以下「選出テーブル方式」と称することとする。
【０２３２】
ところで、本例のパチンコ機１では、特別図柄表示装置７１０で図柄の変動中において、抽選入球口５２０に遊技球が入球して、主制御基板１３１に抽選入球口センサ５２０Ｓからの検出信号が入力された場合にも、抽選を行うのであるが、この抽選の結果を判定する処理、抽選結果を表示する処理、パチンコ機１の状態を抽選結果に応じた状態に変更する処理等、抽選に基づいた抽選対応処理については、一旦、処理の実行を保留しておき、先発の抽選についての抽選対応処理を終了させた後に後発の抽選についての抽選対応処理を行うこととしてある。
【０２３３】
具体的に、先発の抽選を行い、この抽選の結果を特別図柄表示装置７１０にて表示するために図柄を変動させている時等、先発の抽選についての抽選対応処理の実行中に後発の抽選を行うと、「抽選時に取得した抽選判定用の乱数カウンタのカウンタ値等、抽選結果を判定するための情報」、「抽選時に取得した図柄選出用の乱数カウンタのカウンタ値等、表示する図柄を選出するための情報」、「抽選時に取得した変動パターン選出用の乱数カウンタのカウンタ値等、変動パターンを選出するための情報」、「抽選時に取得した種々の乱数カウンタのカウンタ値等、特別図柄表示装置７１０以外の例えば演出表示装置８００等の各種装置を作動させるための情報」等、抽選に関する処理にて取得した各種の情報（以下「抽選情報」という）、及び、抽選対応処理を保留させるための情報（以下「保留情報」という）を、データとしてＲＡＭに記憶させておき、先発の抽選の抽選対応処理を終了した後の所定のインターバル時間の経過後に、記憶されたデータに基いて、後発の抽選についての抽選対応処理を実行する。
【０２３４】
なお、先発の抽選についての抽選対応処理の実行中に、繰り返し抽選を行った場合には、抽選を行った順に、後発の抽選についての抽選対応処理を順次、実行するのであるが、本例では、所定の上限回数を限度として抽選を保留するものであり、保留数が上記上限回数に達した後に、抽選入球口５２０に遊技球が入球して、抽選入球口センサ５２０Ｓから主制御基板１３１に検出信号が入力されても、主制御基板１３１では抽選を行わずに無効（入賞については有効として賞球の払出は行う）とする。
【０２３５】
他の代表的な処理として、主制御基板１３１は、上述の抽選を行うと、抽選情報を含んだ制御信号を副制御基板１１９に出力する。ここで、先発の抽選についての抽選対応処理の実行中に抽選を行った場合には、この抽選を行った際に、抽選情報を含む制御信号を副制御基板１１９に出力することとしてもよいが、本例では、先発の抽選についての抽選対応処理を終了した後であって、後発の抽選についての抽選対応処理を実行する際に、この後発の抽選の抽選情報を含む制御信号を副制御基板１１９に出力することとしてある。これにより、副制御基板１１９が、未処理の情報（データ）を無用に長時間の間、保有することを抑制でき、副制御基板１１９での処理において、誤ったデータが処理される等といった不具合を生じ難くすることができる。
【０２３６】
また、主制御基板１３１は、抽選結果に応じて、特別遊技を発生させたり、抽選状態を変化させたりする等、種々の処理を行う。そして、種々の処理を行った情報を含んだ制御信号を副制御基板１１９に出力する。
【０２３７】
［副制御基板での処理について］
主制御基板１３１からの制御信号を受けた副制御基板１１９は、所定の制御プログラムを実行して、主制御基板１３１からの制御信号に対応した態様で、特図対応演出表示装置８５０、抽選演出表示装置８００、状態演出表示装置８４０といった演出用の表示装置を作動させる。
【０２３８】
［特図対応演出表示装置の作動制御処理について］
副制御基板１１９は、抽選が行われた情報を含む制御信号を受けると、特図対応演出表示装置８５０で図柄の変動を開始させると共に、特図対応演出表示装置８５０で表示する図柄を選出する。ここで、図柄の選出に際して、抽選結果に対応する図柄が複数種類、用意されている場合には、複数種類の中から図柄を選出する。なお、この図柄の選出に際しては、主制御基板１３１から適宜の乱数カウンタのカウンタ値の情報を含む制御信号が送信されている場合に、この制御信号を用いたり、副制御基板１１９がそもそも具備する適宜の乱数カウンタのカウンタ値を用いる等すればよい。そして、主制御基板１３１から図柄の変動終了の情報を含む制御信号を受取ると、特図対応演出表示装置８５０での図柄の変動を終了させて、選出した図柄を特図対応演出表示装置８５０に表示させる。なお、特図対応演出表示装置８５０で表示する図柄については、副制御基板１１９にて選出するに限らず、主制御基板１３１にて選出することとし、副制御基板１１９は、主制御基板１３１から特図対応演出表示装置８５０で表示する図柄の情報を含む制御信号を受取って、これに応じて特図対応演出表示装置８５０の作動を制御するものであってもよい。
【０２３９】
［抽選演出表示装置の作動制御処理について］
副制御基板１１９は、抽選が行われた情報を含む制御信号を受取ると、抽選用演出表示装置８００にて現出させる演出を選出し、選出した演出を現出させるべく、抽選用演出表示装置８００の作動を制御する。ここで、抽選用演出表示装置８００での演出の選出に際しては、主制御基板１３１から適宜の乱数カウンタのカウンタ値の情報を含む制御信号が送信されている場合に、この制御信号を用いたり、副制御基板１１９がそもそも具備する適宜の乱数カウンタのカウンタ値を用いる等して、選出テーブル方式にて、主制御基板１３１からの抽選結果の情報、及び、特別図柄表示装置７１０での変動パターン（変動時間）の情報に応じて、演出用の選出テーブルを参照して演出を選出する。これにより、抽選結果、及び、特別図柄表示装置７１０の変動時間に対応した演出を、抽選用演出表示装置８００にて現出させることができる。
【０２４０】
なお、段階的に組合される複数の演出や、時間的に重複して組合される複数の演出等、複数の演出の組合わせにより演出全体が構成される場合には、選出テーブル方式にて抽選用演出表示装置８００の演出を選出するに際して、一つの選出テーブルを参照することで、演出全体の全てを決定できるようにしてもよいが、これに限らない。例えば、演出全体の一部を構成する個々の演出別に専用の選出テーブルを用意しておき、各演出の夫々を、対応する選出テーブルを参照して個別に選出して、演出全体を決定することとしてもよい。また、演出全体を構成する複数の演出の全てを個別に選出するに限らず、演出全体における一部分の演出の組合わせを、組合わせ決定用の選出テーブルを参照して選出し、決定することとしてもよい。
【０２４１】
ここで、複数の演出の組合わせからなる演出全体のうち、各演出の夫々を、或いは、一部分の演出の組合わせと他の演出との夫々を、相互に影響されないように独立した選出テーブルを用いて個別に選出することとすると、現出した演出の夫々の期待度により、各演出が相乗的に機能することから、演出全体の興趣を向上させることができる。
【０２４２】
一方、各演出の夫々を、或いは、一部分の演出の組合わせと他の演出との夫々を、順次、選出することとすると共に、先に選出した演出を選出テーブル方式における既定事項として、この既定事項に対応する選出テーブルを参照して、残りの演出を選出することとすると、各演出が関連付けられた演出全体を現出させることができることから、演出全体の興趣を向上させることができる。
【０２４３】
［状態演出表示装置の作動制御処理について］
副制御基板１１９は、抽選を行った情報（１回の時短遊技が消化された情報である）を含む制御信号、抽選状態を変更した情報を含む制御信号、特別遊技を発生させた情報を含む制御信号や、特別遊技を終了させた情報を含む制御信号を受取ると、生じた事象に応じた態様で状態演出表示装置８６０を作動させるべく、制御信号に応じて状態演出表示装置８６０の作動を制御する。
【０２４４】
ところで、本例のパチンコ機１では、図１３に示すように、副制御基板１１９に特別入賞口表示装置５４５が接続されており、副制御基板１１９が、主制御基板１３１からの信号に基づいて所定のプログラムを実行することで、特別入賞口表示装置５４５を駆動制御するように構成されている。次に、特別入賞口表示装置５４５の詳細を説明する。
【０２４５】
特別入賞口表示装置５４５は、特別入賞口５４０の開閉部材５４１の近傍に配置された「０」〜「９」の数字を表示可能な７セグメント表示装置や、「０」〜「１９」の数字を表示可能な９セグメント表示等の適宜の図柄表示装置によって構成されており、第一種当選によって第一種特別遊技が発生した状態において、特別入賞口５４０が所定のラウンド回数だけ開閉作動する（厳密には、開閉部材５４１が開閉作動するのであるが、以下では、特別入賞口５４０の開閉として説明する）際に、以下のように作動する。
【０２４６】
まず、特別入賞口表示装置５４５は、特別入賞口５４０が開作動するのに先駆けて、ラウンド数の数字を表示する。そして、特別入賞口５４０が開作動中においては、初期値として「０」の数字を表示し、特別入賞口５４０に遊技球が１個、入球するごとに「１」、「２」、「３」といったように、「１」を加算した数字を表示する。すなわち、１回のラウンド中において、特別入賞口５４０に入球した遊技球の数をカウントする表示を行う。なお、第一種特別遊技を発生させている状態では、主制御基板１３１から副制御基板１１９に、ラウンド数の情報信号や、特別入賞口５４０に入球した遊技球の数の情報信号が出力され、副制御基板１１９は、受取った情報信号に応じたプログラムを実行することで、上述したように作動するよう、特別入賞口表示装置５４５の駆動を制御する。
【０２４７】
一方、特別入賞口表示装置５４５は、第二種当選または第三種当選によって第二種特別遊技が発生した状態、及び、第四種当選によって第二種特別遊技が発生した状態においては、以下のように作動する。なお、第二種当選または第三種当選によって発生する第二種特別遊技と、第四種当選によって発生する第二種特別遊技とは、特別入賞口５４０の開閉作動態様は同一であり、外観上、区別できないものであるが、内部的な制御処理が異なるものである。よって、以下では、第二種当選または第三種当選によって発生するものを「第二種特別遊技Ａ」と称し、第四種当選によって発生するものを「第二種特別遊技Ｂ」と称することで、区別することとする。
【０２４８】
第二種特別遊技Ａの下では、開作動した特別入賞口５４０に遊技球が一つでも入球すると、パチンコ機１の状態に応じて演出種類を選出し、選出した演出の表示を行う。一方、第二種特別遊技Ｂの下では、開作動した特別入賞口５４０に遊技球が入球しても、第二種特別遊技Ａの下で行う演出を現出させない。よって、遊技者は、第二種特別遊技中において特別入賞口５４０に遊技球を入球させて、現出した演出を確認することで、抽選結果が第四種当選であったのか否を判別することができる。すなわち、本例のパチンコ機１では、第二種特別遊技中といった所定の状況下において、特別入賞口５４０に遊技球を入球させるといった遊技者の意図的な操作がなされると、抽選結果が第四種当選であったのか否が判別可能になっている。
【０２４９】
ところで、第二種特別遊技Ａの下で現出可能な演出としては、第二種当選により発生した第二種特別遊技Ａの状態と、第三種当選により発生した第二種特別遊技Ａの状態とで、夫々異なる割合で選出されるように割振られたＡ演出、Ｂ演出及びＣ演出の三種類の演出が用意されており、状態に応じた割合で適宜の演出が選出される。
【０２５０】
具体的に、Ａ演出は、開動作した特別入賞口５４０に遊技球が入球すると、特別入賞口表示装置５４５にて、「１」の数字を初期値として、「１」から「８」まで数字がカウントアップする表示を行う演出となっている。また、Ａ演出では、特別入賞口表示装置５４５での「１」から「８」まで数字のカウントアップのタイミングに合わせて、スピーカを用いて構成されると共に副制御基板１１９に接続され、この副制御基板１１９によって駆動が制御される音出力装置から、「ド、レ、ミ、ファ、ソ、ラ、シ、ド」といった８音階の効果音が、順次、出力される。
【０２５１】
Ｂ演出は、開動作した特別入賞口５４０に遊技球が入球すると、特別入賞口表示装置５４５にて、「１」の数字を初期値として、「１」から「７」まで数字がカウントアップする表示を行う演出となっている。また、Ｂ演出では、特別入賞口表示装置５４５での「１」から「７」まで数字のカウントアップのタイミングに合わせて、スピーカを用いて構成されると共に副制御基板１１９に接続され、この副制御基板１１９によって駆動が制御される音出力装置から、「ド、レ、ミ、ファ、ソ、ラ、シ」といった７音階の効果音が、順次、出力される。
【０２５２】
Ｃ演出は、開動作した特別入賞口５４０に遊技球が入球すると、特別入賞口表示装置５４５にて、「１」の数字を初期値として、「１」から「６」まで数字がカウントアップする表示を行う演出となっている。また、Ｃ演出では、特別入賞口表示装置５４５での「１」から「６」まで数字のカウントアップのタイミングに合わせて、スピーカを用いて構成されると共に副制御基板１１９に接続され、この副制御基板１１９によって駆動が制御される音出力装置から、「ド、レ、ミ、ファ、ソ、ラ」といった６音階の効果音が、順次、出力される。
【０２５３】
また、第二種当選により発生した第二種特別遊技Ａの状態では、Ａ演出、Ｂ演出及びＣ演出が夫々「５：４：１」の割合で選出されるように割振られており、第三種当選により発生した第二種特別遊技Ａの状態では、Ａ演出、Ｂ演出及びＣ演出が夫々「１：４：５」の割合で選出されるように割振られている。
【０２５４】
よって、Ａ演出が現出すると、第二種特別遊技Ａが第二種当選により発生した可能性が高いことになり、このＡ演出を確認した遊技者は、第二種当選によって以降の抽選状態が確変状態となったことへの期待感を高めて、以降の遊技に熱中する。また、Ｂ演出が現出すると、第二種特別遊技Ａが第二種当選により発生した可能性と第三種当選により発生した可能性とが半々であり、このＢ演出を確認した遊技者は、第二種当選によって以降の抽選状態が確変状態となったことへの期待感と、第三種当選によって以降の抽選状態が非確変状態となったことへの不安感とを交錯させながら、以降の遊技に熱中する。また、Ｃ演出が現出すると、第二種特別遊技Ａが第二種当選により発生した可能性は低いものの、まだ、その可能性は残されており、このＣ演出を確認した遊技者は、第三種当選によって以降の抽選状態が非確変状態となったことへの不安感を感じつつも、第二種当選によって以降の抽選状態が確変状態となったことへの淡い期待を抱いて、以降の遊技に熱中する。
【０２５５】
このように、本例のパチンコ機１では、第二種特別遊技Ａの下で種々の演出を現出させることで、遊技者に異なる感情を与えて、以降の遊技に熱中させることができるものとなっている。換言すれば、本例のパチンコ機１は、第二種特別遊技Ａの下で、状態に応じて現出する可能性が異なる種々の演出を現出させることで、状態をある程度正確に想像できるように、遊技者に状態を示唆するものであり、遊技者が、状態を想像して遊技を行うことで、面白みの増した遊技を行うことのできるものとなっている。
【０２５６】
なお、第二種当選により発生した第二種特別遊技Ａの状態は、抽選結果が第二種当選になった状態や、第二種当選により確変状態になった状態として捉えることもできる。また、第三種当選により発生した第二種特別遊技Ａの状態は、抽選結果が第三種当選になった状態や、第三種当選により非確変状態になった状態として捉えることもできる。そして、上述のように状態を示唆する手段は、状態に関する情報を出力する状態情報出力手段として捉えることもできる。
【０２５７】
ところで、第二種特別遊技Ａの下で現出可能な演出して、第二種当選により発生した第二種特別遊技Ａの状態の下では選出される可能性があるものの、第三種当選により発生した第二種特別遊技Ａの状態の下では選出される可能性がないように状態に応じて割振られた演出や、第三種当選により発生した第二種特別遊技Ａの状態の下では選出される可能性があるものの、第二種当選により発生した第二種特別遊技Ａの状態の下では選出される可能性がないように状態に応じて割振られた演出を用意してもよい。このような演出は、現出することで、第二種特別遊技Ａが、第二種当選により発生したものであるかや、第三種当選により発生したものであるかを確実に特定できる演出、所謂「確定演出」となる。
【０２５８】
なお、このような確定演出を用意する場合には、その選出割合を、他の演出に比して選出され難い割合に設定するのがよい。このようにすることで、確定演出を、めったに現出しないプレミア的な演出とすることができ、プレミア的な確定演出が現出することで遊技者を驚愕させることができ、遊技中の演出の興趣を向上させることができるからである。
【０２５９】
また、第二種特別遊技Ａが第二種当選により発生したものであることを特定できる確定演出を用意する一方で、第二種特別遊技Ａが第三種当選により発生したものであることを特定できる確定演出については用意しないことが望ましい。抽選結果が第三種当選となり、抽選状態が非確変状態になったことが判明すると、遊技者が、その後の遊技に対する意欲を失ってしまう虞があるからである。
【０２６０】
上述の例では、第二種特別遊技Ｂの下では、状態に応じた割合で選出する演出を行わず、状態を示唆しないこととしているが、第二種特別遊技Ｂの下でも、上述の演出を現出させることとしてもよい。この場合には、現状の状態、すなわち、「確変状態」または「非確変状態」の各状態に応じて、演出の選出割合を異ならせて、具体的には、確変状態では、上述の第二種当選により発生した第二種特別遊技Ａの状態と同様な割合で、非確変状態では、上述の第三種当選により発生した第二種特別遊技Ａの状態と同様な割合で、演出の選出割合を割振ることとすればよい。
【０２６１】
上述のような第二種特別遊技中での特別入賞口表示装置５４５や音出力装置の作動は、副制御基板１１９によって制御される。具体的に、第二種特別遊技中には、主制御基板１３１から副制御基板１１９に、この第二種特別遊技が第二種特別遊技Ａであるか或いは第二種特別遊技Ｂであるかについての情報信号や、特別入賞口５４０に遊技球が入球したことを示す情報信号が出力され、副制御基板１１９は、受取った情報信号に応じたプログラムを実行することで、上述したように作動するよう、特別入賞口表示装置５４５や音出力装置の駆動を制御する。
【０２６２】
以上、詳細に説明した本例のパチンコ機１は、機能的構成として、図１４に示すように、抽選手段９００と、抽選確率状態変更手段９１０と、特別状態発生手段９２０と、特別図柄表示装置７１０と、特図対応演出表示装置８５０と、抽選演出表示手段９５０と、操作対応演出手段９６０とを具備するものとして構成されている。以下、本例のパチンコ機１における機能的構成の詳細を説明する。
【０２６３】
抽選手段９００、抽選確率状態変更手段９１０及び特別状態発生手段９２０は、夫々、遊技者が遊技球を獲得するために行う遊技球の実体に関与するものであり、遊技の実体についての制御処理を行う主基板３１０の機能的構成であり、主基板３１０において所定のプログラムを実行することで作動するものである。
【０２６４】
抽選手段９００は、遊技に基づいて、具体的には、抽選入球口５２０への遊技球の入球に基づいて抽選を行うものである。ここで、抽選手段９００では、第一種抽選結果、第二種抽選結果、第三種抽選結果、第四種抽選結果、及び、それ以外の抽選結果が設定された抽選を行う。なお、上述の例において、第一種当選が第一種抽選結果に、第二種当選が第二種抽選結果に、第三種当選が第三種抽選結果に、第四種当選が第四種抽選結果に、及び、落選がそれ以外の抽選結果に、夫々相当する。
【０２６５】
抽選確率状態変更手段９１０は、抽選結果が第一種当選または第二種当選になると、所定の昇格条件が成立したとして、抽選手段９００によって行われる抽選状態を、第一種当選となる確率を高くした高確率状態である確変状態とし、抽選結果が第三種当選になると、所定の降格条件が成立したとして、抽選状態を第一種当選となる確率を低くした低確率状態である非確変状態とするものである。ここで、現状の抽選状態が非確変状態であれば、第一種当選または第二種当選によって抽選状態が確変状態に変更、所謂「昇格」されるのであるが、現状の抽選状態が確変状態であれば、第一種当選または第二種当選によって抽選状態が確変状態になっても、抽選状態は、実質的には変更されずに現状のままで維持されることになる。また、現状の抽選状態が確変状態であれば、第三種当選によって抽選状態が非確変状態に変更、所謂「降格」されるのであるが、現状の抽選状態が非確変状態であれば、第三種当選によって抽選状態が非確変状態になっても、抽選状態は、実質的には変更されずに現状のままで維持されることになる。さらに、この抽選確率状態変更手段９１０は、抽選結果が第四種当選または落選である場合には、現状の抽選状態を変更せず、現状のままで維持させるものでもある。
【０２６６】
特別状態発生手段９２０は、抽選手段９００によって行われた抽選の結果が、第一種当選、第二種当選、第三種当選または第四種当選になると、遊技者にとって、通常の状態よりも多くの遊技球を獲得可能な特別状態を発生させるものである。なお、特別状態発生手段９２０は、本例では、通常では閉じている特別入賞口５４０を所定の態様で開閉作動させるといった特別遊技を発生させるものであり、「特別遊技発生手段」と称することができる。また、本例では、当選の種類に応じた特別遊技を発生させることとしてあり、特別遊技発生手段９２０は、第一種当選になると第一種特別遊技を発生させる第一種特別遊技発生手段９２１と、第二種当選または第三種当選になると第二種特別遊技Ａを発生させる第二種特別遊技Ａ発生手段９２２と、第四種当選になると第二種特別遊技Ｂを発生させる第二種特別遊技Ｂ発生手段９２３とを備えたものとして構成されている。
【０２６７】
特別図柄表示装置７１０は、その駆動が主基板３１０によって直接的に制御され、抽選手段９１０によって行われた抽選結果を遊技者が特定可能となるように抽選結果に対応した図柄を表示すものである。ここで、特別図柄表示装置７１０に表示される図柄は、主基板３１０の抽選手段９１０によって行われた抽選の結果として、主基板３１０自体の直接的な制御によって表示されるものであり、遊技者に対して出力される最も重要な表示情報である。よって、この点で、特別図柄表示装置７１０での図柄表示を、各種の演出用の機器を用いて遊技中に遊技を盛り上げるために行われる種々の演出表示と区別することができる。
【０２６８】
特図対応表示装置８５０は、その駆動が、主基板３１０からの出力信号に基づいて作動する周辺基板３１１によって制御され、特別図柄表示装置７１０と同様に、抽選手段９１０によって行われた抽選結果を遊技者が特定可能となるように抽選結果に対応した図柄を表示するものである。なお、特図対応表示装置８５０は、その駆動が主基板３１０によって直接的に制御されるものではなく、周辺基板３１１によって制御されるものであり、特図対応表示装置８５０での表示は、周辺基板３１１によって制御される演出表示の一種であると捉えることができる。
【０２６９】
抽選演出表示手段９５０は、抽選演出表示装置８００を用いて構成されており、抽選演出表示装置８００の第四演出表示装置８４０にて、抽選手段９００によって行われた抽選の結果が、第一種当選であると、第一種当選に対応する表示内容である図柄（本例では「７」の数字）を表示し、第二種当選、第三種当選または第四種当選であると、夫々に対応する表示内容である図柄で、しかも、兼用表示内容でもある兼用図柄（本例では「３」の数字）を表示するものである。そして、この抽選演出表示手段９５０での表示は、演出表示の一種であり、抽選演出表示手段９５０は、その駆動が、主基板３１０からの出力信号に基づいて作動する周辺基板３１１によって制御される。
【０２７０】
操作対応演出手段９６０は、周辺基板３１１によってその駆動が制御される特別入賞口表示装置５４５や音出力装置を用いて構成されており、遊技を盛り上げるために種々の演出を行うものである。具体的に、操作対応演出手段９６０は、上述したように、第二種特別遊技中といった所定の状況下において、特別入賞口５４０に遊技球を入球させるといった遊技者の意図的な操作がなされると、その時の状態に応じて、種々の演出を現出させるものである。
【０２７１】
また、図示は省略するが、周辺基板３１１は、主基板３１０からの信号に基づいて所定のプログラムを実行することで、予め用意された第一種操作対応演出及び第二種操作対応演出を含む複数種類の操作対応演出の中から、操作対応演出手段９６０にて現出させる操作対応演出を選出する操作対応演出選出手段を具備するものとして構成されている。そして、この操作対応演出選出手段は、確変状態においては、非確変状態よりも高い割合で第一種操作対応演出を選出し、非確変状態においては、確変状態よりも高い割合で第二種操作対応演出を選出するものとして機能する。ここで、具体的に、第一種操作対応演出は、上述したＡ演出であり、第二種操作対応演出は、上述したＣ演出である。また、本例の操作対応演出選出手段では、前述した「選出テーブル方式」を採用することで、状態に応じて異なる割合で操作対応演出の種類を選出するようにしてある。
【０２７２】
以上、詳細に説明した本例のパチンコ機１によれば、次のような作用効果を得ることができる。
【０２７３】
抽選結果に応じて抽選状態を低確率状態や高確率状態に変更するようにしたパチンコ機では、従来、抽選結果が抽選状態を低確率状態とするものになった場合や、高確率状態とするものになった場合に、この抽選結果を特定できるように明示していたが、このようなパチンコ機では、抽選結果が抽選状態を高確率状態とするものになった場合にこれを示す表示を行って遊技者に喜びを与えることができ、抽選結果が抽選状態を低確率状態とするものになった場合にこれを示す表示を行って遊技者を残念がらせることができるだけであり、抽選の結果や、現状の抽選の状態について想像させることができず、遊技の面白みが浅いものであった。
【０２７４】
これに対して、本例のパチンコ機１では、抽選結果が抽選状態を高確率状態（確変状態）とする第二種抽選結果（第二種当選）になった場合や、抽選状態を低確率状態（非確変状態）と第三種抽選結果（第三種当選）になった場合に、抽選演出表示手段（抽選演出表示装置８００の第四演出表示装置８４０）にて兼用表示内容（兼用図柄）を表示するため、遊技者に、抽選結果を特定させずに想像させることができる。よって、遊技者に、期待感と不安感とを与えつつ以降の遊技を楽しませることができ、このような新規な遊技性によって、遊技の面白みを深めることができる。
【０２７５】
特に、本例では、抽選状態を変更しない第四種抽選結果（第四種当選）になった場合も、兼用表示内容（兼用図柄）を表示することしてあることから、遊技者に抽選結果を想像させる機会を頻繁に生じさせることができる。よって、これにより、淡々と行われがちな遊技にメリハリを与えることができる。
【０２７６】
また、所定の状況下である第二種特別遊技中においては、特別入賞口５４０に遊技球を入球させるといった遊技者の意図的な操作によって、遊技者に、抽選結果や抽選状態に関する情報が与えられ、遊技者は、この情報によって抽選結果や抽選状態についてある程度の可能性を把握することができる。よって、期待感を大きく膨らませたり、不安感を感じる一方で淡い期待を抱かせる等、遊技者に多様な感情を生じさせることができ、この点からも遊技の面白みを深めることができる。
【０２７７】
また、本例では、遊技球の打込み口７８ａが遊技領域３７の左側に設けられており、入球に基づいて抽選を行う抽選入球口５２０が左右方向の中央の位置に配置されている。よって、遊技者は、抽選入球口５２０を狙い易いように、遊技領域３７の左側の部位に遊技球を打込む所謂「左打ち」をする。特に、開閉する抽選入球口５２０が開動作する契機となる作動入球口５３０が遊技領域３７の左側に設けられているため、より一層、積極的に左打ちをする。一方、特別入賞口５４０は、遊技領域３７の右側に配置されており、第二種特別遊技では、第一種特別遊技に比して、特別入賞口５４０が開作動する時間は短く、しかも、開閉する回数も少ない。よって、第二種特別遊技が発生しても、遊技者は、左打ちを継続するか、或いは、遊技球の打込みを中断してしまう可能性が高い。このように、遊技球の打込み位置を常時一定とする遊技では、遊技が単純な作業となりがちであり、また、遊技球の打込みが中断されると、パチンコ機の稼働率が低下する。
【０２７８】
これに対して、本例のパチンコ機１では、遊技者にとって、第二種特別遊技中において特別入賞口５４０に遊技球を入球させることで、抽選結果や抽選状態をある程度、正確に把握できる情報を入手することができる。よって、第二種特別遊技が発生すると、遊技者は、今まで左打ちをしていた遊技を、遊技球を遊技領域３７の右側に打ち込む所謂「右打ち」に変えようとする。また、遊技球の打込みを中断せずに、特別入賞口５４０に遊技球を積極的に入球させようとする。従って、本例のパチンコ機１によれば、単純な作業になりがちな遊技に変化を与えることができ、また、稼働率が低下することを抑制することができる。特に、第四種抽選結果（第四種当選）によって第二種特別遊技を頻繁に発生させることができることから、単純な作業になりがちな遊技に対して頻繁に変化を与えて、遊技者に充実した遊技を行わせることができる。
【０２７９】
ところで、本例のパチンコ機１は、図１４に示すように、特殊演出手段９７０を備えている。この特殊演出手段９７０は、遊技中において、パチンコ機１の内部状態が、抽選手段９１０で行なわれた抽選の結果が当選になる確率の高い高確率状態、すなわち「確変状態」になっている場合には、当選になる確率の低い低確率状態、すなわち「非確変状態」になっている場合に比して、高い割合で特殊演出を行なうものであり、その作動が、周辺基板３１１によって制御されるものである。
【０２８０】
次に、この特殊演出手段９７０及び特殊演出の詳細について説明する。
【０２８１】
特殊演出手段９７０は、状態演出表示装置８６０を用いて構成されており、特殊演出として、抽選手段９１０で行なわれた抽選の回数をカウント表示するものである。具体的に、特殊演出を行なう場合には、状態演出表示装置８６０の可動体８６０Ｔによって第三指標部８６３を指し示して、抽選が行なわれる毎に所定回数（本例では１６回）に対するカウントダウンの表示を行なう。このようなカウントダウンの表示では、所定回数のカウントダウンを開始することで、特殊演出を開始し、最終カウント（残り１回）の表示後に抽選が行なわれて、カウントダウンが完了されると、可動体８６０Ｔを初期状態に戻して、特殊演出を終了することになる。
【０２８２】
なお、パチンコ機１の内部状態が非確変状態である場合には、上述の通り特殊演出を終了した後においては、特殊演出に関連した他の演出を行なわないようにする一方で、確変状態である場合には、特殊演出を終了した後に、カウントダウンをリセットしたり、最終カウントにてカウントダウンを中断したり、専用のランプ等、状態演出表示装置８６０以外の機器を作動させたりする等して、特殊演出に関連した演出を行なう、換言すれば、特殊演出後に追加された追加演出を行なうこととしてもよい。このような追加演出を現出させることで、内部状態が確変状態であることを遊技者に明確に告知することができる。そして、このような告知機能を有するパチンコ機１では、特殊演出の終了後に確変状態であることが告知される可能性のあることから、遊技者は、特殊演出が終了するまで遊技を継続しようとする。よって、上述のような告知機能をもたせることで、遊技者に遊技意欲を湧かせることができる。
【０２８３】
また、カウントダウンの完了にて特殊演出を終了するばかりでなく、カウントダウンの途中において第一種当選、第二種当選または第三種当選になった場合にも、可動体８６０Ｔを初期状態に戻して、特殊演出を終了する。これは、第一種当選、第二種当選または第三種当選になると、特殊演出を開始した時点での内部状態が変化している可能性があり、内部状態を示唆する特殊演出が機能を果たさなくなるからである。
【０２８４】
なお、当選によって特殊演出を終了させる場合には、抽選演出表示装置８００にて当選の表示内容を表示した後に、特殊演出を終了させることする。抽選演出表示装置８００にて当選の表示内容を表示する前に特殊演出を終了させると、特殊演出が終了したことで当選であることが判明してしまい、抽選演出表示装置８００での演出効果が低下してしまうからである。
【０２８５】
また、カウントダウンの途中において第一種当選、第二種当選または第三種当選になった場合に限らず、第四種当選になった場合にも、特殊演出を終了することとしてもよい。しかしながら、第四種当選になった場合には特殊演出を終了せずに継続させることとすると、特殊演出が継続されたことを確認した遊技者に、当選がパチンコ機１の内部状態を変化させない第四種当選であったことを知らせることができる。
【０２８６】
ところで、本例のパチンコ機１では、非時短状態では、遊技球が入球し難い態様で抽選入球口５２０が開作動するのであるが、第一種時短状態や第二種時短状態といった時短状態では、遊技球が入球し難い態様で抽選入球口５２０が開作動する。そして、第二種時短状態は、第一種当選によって形成された確変第一種時短状態中に第二種当選や第三種当選になって、抽選手段９１０によって所定回数の抽選が行なわれることを限度に継続されるものである。
【０２８７】
よって、本例のパチンコ機１は、本例のパチンコ機１において相当する構成を括弧書きで示すと、
「抽選入球口が開作動する状態として、遊技球が入球し難い態様で開作動する通常作動状態（非時短状態）と、遊技球が入球し易い態様で開作動する特別作動状態（時短状態）とが用意されており、
抽選手段によって所定回数の抽選が行なわれることを限度に、抽選入球口が開作動する状態を特別作動状態（時短状態）とする上限付作動状態変更手段（内部状態を第二種時短状態とする状態変更手段）と、
上限付作動状態変更手段による特別作動状態中（第二種時短状態中）において、抽選手段によって行われる抽選の回数をカウント表示する抽選回数カウント表示手段（状態演出表示装置）と
を具備する遊技機（パチンコ機）」
として捉えることができる。そして、特殊演出手段９７０は、上記遊技機の抽選回数カウント表示手段を用いて構成されたものとして捉えることができる。
【０２８８】
なお、本例のパチンコ機１においては、主基板３１０にて所定のプログラムを実行することで内部状態が適宜の状態に変更されることから、上限付作動状態変更手段を、主基板３１０が具備する機能的構成として捉えることができる。また、抽選回数カウント表示手段（状態演出表示装置８６０）は、主基板３１０からの信号に基づいて所定のプログラムを実行する周辺基板３１１にて、その作動の制御がなされることから、周辺基板３１１を、抽選回数カウント表示手段（状態演出表示装置８６０）を制御する制御手段、換言すれば、「特殊演出手段を制御する特殊演出制御手段」を具備するものとして捉えることができる。
【０２８９】
特殊演出手段９７０による特殊演出は、抽選入球口５２０への遊技球の入球に基づいて行なわれる。具体的に説明すると、以下の通りである。なお、これに限らず、遊技領域３７に設けられた作動入球口５３０、普通入賞口５５０、アウト口５６０等の入球口や、特殊演出発生用に専用に設けられた入球口への遊技球の入球に基づく等、遊技球を遊技領域３７に打込んで遊技を行うといった遊技者の遊技操作に基づいて特殊演出を行なうようにしてもよい。
【０２９０】
抽選入球口５２０に遊技球が入球すると、この情報信号が主基板３１０から周辺基板３１１へと送信される。そして、周辺基板３１１は、機能的構成として、主基板３１０から受取った情報信号に基づいて所定のプログラムを実行することにより機能する特殊演出実行決定手段を具備しており、この特殊演出実行決定手段によって、特殊演出を行なうか否かを決定する。
【０２９１】
特殊演出実行決定手段では、内部状態が確変状態になっている場合には、非確変状態になっている場合に比して、高い割合で特殊演出を行なうことを決定するように、内部状態が確変状態であるか非確変状態であるかで異なる選出テーブルを参照する所謂「選出テーブル方式」によって、特殊演出を行なうか否かを決定する。そして、特殊演出を行なうことを決定した場合には、周辺基板３１１が具備する機能的構成であり、所定のプログラムを実行することにより機能する特殊演出制御手段によって、特殊演出手段である状態演出表示装置８６０の作動を制御して、上述した通りのカウントダウンの表示を行なう特殊演出を開始させる。
【０２９２】
なお、本例では、内部状態が第二種時短状態になっていると、状態演出表示装置８６０にて時短遊技の消化回数をカウントダウンしているため、特殊演出を行なうことができない。よって、内部状態が第二種時短状態である場合には、特殊演出を行なわないこととしてある。また、内部状態が第一種時短状態である場合には、状態演出表示装置８６０にて時短遊技の消化回数をカウントダウンしていないのであるが、第一種時短状態は、確変状態の下で形成される状態であり、第一種時短状態であれば、確変状態でもあることが遊技者にとって明白である。よって、内部状態が第一種時短状態である場合にも、特殊演出を行なわないこととしてある。このように、本例のパチンコ機１では、非時短状態である場合に限って、特殊演出が現出する可能性のあるものとして構成されている。
【０２９３】
また、非確変状態では、第一種当選、第二種当選、第三種当選及び第四種当選の当選確率は、夫々、「２０／１００００」、「１０／１００００」、「５／１００００」及び「６０／１００００」に設定されており、当選全体の合成確率が「約１／１１１」、特に、内部状態を変更する当選である第一種当選、第二種当選及び第三種当選の合成確率が「約１／３３３」となっているのに対して、確変状態では、第一種当選、第二種当選、第三種当選及び第四種当選の当選確率は、夫々、「２００／１００００」、「１００／１００００」、「５０／１００００」及び「６０／１００００」に設定されており、当選全体の合成確率が「約１／２８」、特に、内部状態を変更する当選である第一種当選、第二種当選及び第三種当選の合成確率が「約１／３３」となっている。
【０２９４】
これに対して、特殊演出は、１６回の抽選回数をカウントダウンする演出となっている。よって、非確変状態でのカウントダウン中に何らかの当選（特に、内部状態を変更する当選である第一種当選、第二種当選及び第三種当選）となる現象は生じ難いのであるが、確変状態でのカウントダウン中においては、何らかの当選（特に、内部状態を変更する当選である第一種当選、第二種当選及び第三種当選）となる現象が生じ易く、適度な頻度で生じる。従って、カウントダウン中の遊技を、確変状態中のチャンスゲーム的な遊技であるかのようにイメージさせることができる。
【０２９５】
このように、確変状態の当選確率（特に、内部状態を変更する当選確率）を「１／ｎ」とした場合に、この逆数である「ｎ」を基準して、カウントダウンする抽選回数を、ｎ／２回程度に設定するのがよい。なお、これに限らず、カウントダウンする抽選回数を、ｎ／５以上、ｎ／１０以上としてもよいが、上限値については、無用に長期に渡ってカウントダウンの演出が継続しないように、ｎ回以内とするのがよい。
【０２９６】
また、特殊演出を現出させる割合としては、非確変状態では、確変状態の１／２以下、好ましくは１／５以下、より好ましくは１／１０以下とすると、特殊演出の現出により、確変状態である可能性に対する十分な期待感を遊技者に与えることができる。一方、非確変状態では、確変状態の１／１００といったように、極めて現出頻度が低いこととすると、特殊演出の現出により、確変状態であることが、ほぼ特定できてしまう。よって、非確変状態では、確変状態の１／５０以上、好ましくは１／２０以上、より好ましくは１／１０以上とするのが好適である。
【０２９７】
また、非時短状態での遊技中において、確変状態であれば特殊演出が頻繁に現出することとすると、特殊演出が現出しないことで、内部状態が非確変状態であることが明白となってしまう。よって、特殊演出が適度な頻度で現出するように、確変状態において、当選確率（特に、内部状態を変更する第一種当選、第二種当選及び第三種当選の当選確率）の逆数の２倍程度（１〜３倍）の確率で、特殊演出が現出するようにするのが好適である。
【０２９８】
以上のように特殊演出を行なう特殊演出手段を具備する本例のパチンコ機１によれば、次のような作用効果を得ることができる。
【０２９９】
現状の内部状態が確変状態であるか或いは非確変状態であるか分かり難いのであるが、特殊演出の現出により確変状態である可能性が高いことを遊技者に示唆することができる。よって、特殊演出を確認した遊技者に、内部状態が確変状態であり、当選になり易いことに対する大きな期待感を抱かせることができ、遊技者の遊技意欲を向上させることができる。
【０３００】
特殊演出としてカウントダウンの演出が、突然、現出するため、非時短状態の下で淡々と遊技を行なっている遊技者を驚愕させることができ、退屈になりがちな通常の遊技にメリハリを与えることができる。特に、確変状態では、カウントダウンの回数が当選確率に対して適度な回数に設定されているため、「カウントダウン中に当選になる」といった事象が適度に生じる。よって、カウントダウン中の遊技をチャンスゲーム的な遊技と思わせることができ、遊技の面白みを深めることができる。
【０３０１】
本例のパチンコ機１は、操作対応演出を行なう操作対応演出手段９６０を具備しており、第二種当選や第三種当選によって発生した所定の状況下である第二種特別遊技中においては、特別入賞口５４０に遊技球を入球させるといった遊技者の意図的な操作に応じて操作対応演出を行なって、遊技者に、抽選結果や抽選状態に関する情報を与える。そして、遊技者は、この情報によって抽選結果や抽選状態についてある程度の推測することができるのであるが、第二種特別遊技が終了した後の遊技にて特殊演出が現出する可能性があり、特殊演出が現出することで、遊技者が推測した抽選結果や抽選状態について、さらに信憑性が高いことを確認することができる。よって、操作対応演出と特殊演出とが相俟って、遊技の面白みを深めることができる。
【０３０２】
特に、遊技者が、第二種特別遊技中に特別入賞口５４０に遊技球を入球させることができず、操作対応演出にて抽選結果や抽選状態に関する情報を得ることができなかった場合には、情報を得ることができなかった分だけ不利な感情を抱き、遊技意欲を失うこともある。しかしながら、本例のパチンコ機１では、確変状態になっていれば、その後の遊技において特殊演出が現出する可能性が高いため、現出した特殊演出によって、操作対応演出によっては得られなかった抽選状態に関する情報を遊技者に与えることができる。よって、特殊演出を、操作対応演出の補填的な演出として機能させることができ、遊技意欲を失いかけた遊技者に、再び遊技意欲を湧かせることができる。
【０３０３】
ところで、抽選入球口５２０に遊技球が入球すると、入球タイミングに基づいて抽選が行われる。具体的に、抽選入球口５２０に設けれられた抽選入球口センサ５２０Ｓによって遊技球の入球が検出されると、主基板３１０でのプログラム処理にて、検出タイミングに応じた乱数が取得され、この取得された乱数を参照して、第一種当選であるか、第二種当選であるか、第三種当選であるか、第四種当選であるか、或いは、何れの当選でもない落選であるかを判定するといった抽選が行われる。そして、主基板３１０は、この抽選結果を表示させるべく、特別図柄表示装置７１０の作動を制御する。また、主基板３１０は、抽選結果を特図対応演出表示装置８５０及び抽選演出表示装置８００に表示させるべく、抽選結果に応じた制御コマンドを周辺基板３１１に送信する。そして、主基板３１０から制御コマンドを受取った周辺基板３１１は、制御コマンドに応じたプログラム処理を行い、抽選結果に対応する表示を行わせるべく、特図対応演出表示装置８５０及び抽選演出表示装置８００を制御することは、前述の通りである。
【０３０４】
次に、抽選入球口５２０への遊技球の入球によって行われた抽選の結果を表示すべく作動する特別図柄表示装置７１０、特図対応演出表示装置８５０及び抽選演出表示装置８００（第一演出表示装置８１０、第二演出表示装置８２０、第三演出表示装置及び第四演出表示装置８４０）の時間的な作動態様を、図１５のタイミングチャートに基づいて説明する。
【０３０５】
抽選入球口５２０に遊技球が入球し、これに応じた主基板３１０でのプログラム処理により抽選が行われ、抽選の結果が導出されると、特別図柄表示装置７１０は、前回の抽選結果を示す図柄を更新して、今回の抽選結果の図柄を表示すべく、図柄の変動を開始する。これと同時に、特図対応演出表示装置８５０も、前回の抽選結果を示す図柄を更新して、今回の抽選結果の図柄を表示すべく、図柄の変動を開始する。ここで、主基板３１０で行われる抽選に関するプログラム処理は、４ミリ秒といった極めて短い時間で行われ、特別図柄表示装置７１０及び特図対応演出表示装置８５０は、この抽選に関するプログラム処理後に直ちに作動するように制御される。このため、抽選入球口５２０への遊技球の入球を確認した遊技者は、抽選入球口５２０に遊技球が入球した直後に特別図柄表示装置７１０及び特図対応演出表示装置８５０にて図柄の変動が開始したと認識する。
【０３０６】
一方、抽選演出表示装置８００では、特別図柄表示装置７１０及び特図対応演出表示装置８５０での図柄の変動開始から所定時間の経過後に、第一演出表示装置８１０の可動体８１０Ｔの変動を開始させる。ここで、上記所定時間は、０．５秒といった短い時間ではあるが、遊技者が十分に認識できる時間に設定されている。これにより、抽選入球口５２０への遊技球の入球を確認した遊技者は、抽選入球口５２０に遊技球が入球した後、一呼吸おいてから、第一演出表示装置８１０の可動体８１０Ｔの変動が開始したと認識する。
【０３０７】
第一演出表示装置８１０では、可動体８１０Ｔの変動開始から変動停止までの間、可動体８１０Ｔの適宜の動作によって、所定時間の第一演出を行う。ここで、上記所定時間は、可動体８１０Ｔの動作による第一演出を遊技者が確実に認識できるように、３秒に設定されている。
【０３０８】
可動体８１０Ｔの変動が停止して第一演出が終了すると、同時に、第二演出表示装置８２０にて、前回の抽選結果を示す図柄を更新して、今回の抽選結果の図柄を表示すべく、表示の変動を開始する。そして、第二演出表示装置８２０は、所定時間、表示の変動を行った後、表示の変動を停止させて、今回の抽選結果として、抽選結果に応じた第一次段階の表示を行う。ここで、第二演出表示装置８２０での表示の変動は、第二演出表示装置８２０の第一図柄表示器８２１、第二図柄表示器８２２及び第三図柄表示器８２３の三つの図柄表示器にて、青色と赤色との２色の発光を交互に繰返すことで行われる。そして、表示の変動が停止すると、最終的に、第一図柄表示器８２１、第二図柄表示器８２２及び第三図柄表示器８２３の夫々が、個々に青色または赤色で点灯し、青色の点灯によって「〇」を表示し、赤色の点灯によって「×」を表示する。このような、第二演出表示装置８２０の作動は、第二演出であり、この第二演出は、遊技者が確実に認識できるように、３秒に設定されている。
【０３０９】
第二演出表示装置８２０の第一図柄表示器８２１、第二図柄表示器８２２及び第三図柄表示器８２３の全てのに「×」が表示されると、この表示は、一次落選表示であり、この一次落選表示よって、抽選結果として落選であることが示される。また、一次落選表示によって、抽選演出表示装置８００全体において、抽選結果を示す表示内容の更新が完了したことも示される。そして、第二演出表示装置８２０にて一次落選表示がなされると、第二演出を終了すると共に、同時に、特別図柄表示装置７１０及び特図対応演出表示装置８５０での図柄の変動を停止して、夫々に、今回の抽選の結果として、落選に対応する図柄を表示させる。
【０３１０】
一方、第二演出表示装置８２０の第一図柄表示器８２１、第二図柄表示器８２２及び第三図柄表示器８２３のうちの少なくとも一つに「〇」が表示されると、この表示は、抽選演出表示装置８００全体において、抽選結果を示す表示内容の更新が未だ完了しておらず、表示の変動が進行することを示す一次通過表示となる。ここで、一次通過表示は、抽選の結果が当選であるか落選であるかを特定できる表示ではなく、抽選結果の表示として、単に第一段階がクリアした状態を示すものである。
【０３１１】
第二演出表示装置８２０にて一次通過表示を行って第二演出が終了すると、同時に、第三演出表示装置８３０にて所定時間の第三演出を開始する。ここで、第三演出は、第二演出表示装置８２０から第四演出表示装置８４０へと演出が進行することを示す進行表示であり、第二演出表示装置８２０の第一図柄表示器８２１と第四演出表示装置８４０との間の第一進行表示器８３１、第二演出表示装置８２０の第二図柄表示器８２２と第四演出表示装置８４０との間の第二進行表示器８３２、または、第二演出表示装置８２０の第三図柄表示器８２３と第四演出表示装置８４０との間の第三進行表示器８３１のうち、第二演出にて「〇」を表示した図柄表示器８２１，８２２，８３に対応する進行表示器８３１，８３２，８３３にて、第二演出表示装置８２０から第四演出表示装置８４０へと進行するような表示の変動が開始された後、表示の変動が停止される。また、第三演出は、遊技者が確実に認識できるように、しかも、単なる進行の表示であることから表示による演出がむやみに長くならないように、第一演出や第二演出よりも短い２秒に設定されている。
【０３１２】
第三演出表示装置８３０での第三演出が終了すると、同時に、第四演出表示装置８４０にて、表示の変動を開始させた後、表示の変動を停止させて最終的な抽選結果の表示を行うといった第四演出を行なう。ここで、第四演出では、現出すると当選の表示に至る可能性が高い高期待度演出を伴う表示パターンと、現出しても当選の表示に至る可能性が低い低期待度演出を伴う表示パターンとの少なくとも二種類の表示パターンがあり、各表示パターンの時間は異なるように設定されている。そして、何れの表示パターンが現出しても、第四演出が終了して抽選結果が表示されれば、これと同時に、特別図柄表示装置７１０及び特図対応演出表示装置８５０での図柄の変動を停止して、夫々に、今回の抽選の結果に対応する図柄を表示させる。また、第四演出表示装置８４０には、抽選結果が当選であれば、当選表示が行われ、落選であれば、最終落選表示が行われる。
【０３１３】
なお、実際の制御では、抽選演出表示装置８００全体での抽選結果の表示と同時に特別図柄表示装置７１０及び特図対応演出表示装置８５０にて図柄の変動を終了させるのではなく、主基板３１０にて、抽選結果が導出され、特別図柄表示装置７１０で抽選結果を表示するパターンとして、夫々変動時間の異なる複数の表示パターンの中から現出させる表示バターンを選出して決定した後に、この主基板３１０で決定された表示パターンの情報に基づいて、主基板３１０自体または周辺基板３１１にて、特図対応演出表示装置８５０及び抽選演出表示装置８００で現出させる表示パターンとして、夫々変動時間の異なる複数の表示パターンの中から特別図柄表示装置７１０の表示パターンの時間に合致したものを選出して現出させることで、特別図柄表示装置７１０、特図対応演出表示装置８５０及び抽選演出表示装置８００の夫々において、表示の変動時間を同調させている。
【０３１４】
また、第二演出表示装置８２０にて行われる一次通過表示としては、複数種類の表示が用意されている。そして、主基板３１０及び周辺基板３１１でのプログラム処理により機能的に構成される抽選結果表示制御手段によって、第二演出表示装置８２０にて特定の一次通過表示がなされると、第四演出表示装置８４０では、高期待度度演出を伴う表示が行われるように、夫々複数種類が用意された中から適宜の第二演出及び第四演出が選出決定される。具体的に、第二演出表示装置８２０の三つの図柄表示器８２１，８２２，８２３のうち、二つに「〇」が表示されると、第四演出表示装置８４０にて、高期待度演出を伴う表示が行なわれる。また、第二演出表示装置８２０の三つの図柄表示器８２１，８２２，８２３の全部に「〇」が表示されると、第四演出表示装置８４０にて、上記よりもさらに期待度の高い高期待度演出を伴う表示が行なわれる。
【０３１５】
ところで、第二演出表示装置８２０、第三演出表示装置８３０及び第四演出表示装置８４０は、三つの装置全体で、抽選結果を表示するものである。よって、これら三つの装置全体を「抽選結果表示手段」として捉えることができる。また、第二演出表示装置８２０を、一次落選表示または一次通過表示を行なう「第一表示部」として、第四演出表示装置８４０を、第一表示部にて一次通過表示が行われると、最終落選表示または当選表示を行う「第二表示部」として、第三演出表示装置８３０を、第一表示部と第二表示部との間に配設され、第一表示部での表示に対応した表示を行う「第一表示対応表示部」として、夫々捉えることができる。
【０３１６】
そして、上記のように捉えた場合、本例のパチンコ機１は、
「遊技領域３７に遊技球を打込んで行われる遊技により所定の払出条件が成立すると遊技球を払出す遊技機（パチンコ機１）であって、
前記遊技領域３７に設けられ、遊技球が入球可能な抽選入球口５２０と、
該抽選入球口５２０への遊技球の入球に基づき抽選を行なう抽選手段９００と、
該抽選手段９００の抽選結果が当選になると、遊技者にとって通常よりも多くの遊技球が獲得可能な特別状態を発生させる特別状態発生手段９２０と、
コンピュータを用いて構成され、前記抽選入球口５２０への遊技球の入球の有無を監視して、抽選入球口５２０に遊技球が入球したタイミングに基づく処理によって抽選を行なうべく前記抽選手段９００を制御すると共に、抽選手段９００の抽選結果に応じて前記特別状態発生手段９２０を制御する主基板３１０と、
該主基板３１０によって制御され、前記抽選手段９００によって抽選が行なわれる毎に図柄の表示によって抽選結果を表示する特別図柄表示装置７１０と、
コンピュータを用いて構成され、前記主基板３１０からの信号に基づく処理を行なう周辺基板３１１と、
該周辺基板３１１によって制御され、前記抽選手段９００によって抽選が行なわれる毎に図柄の表示によって抽選結果を表示する特図対応演出表示装置８５０と、
夫々別個の表示装置によって構成された第一表示部（第二演出表示装置８２０）、第一表示対応表示部（第三演出表示装置８３０）及び第二表示部（第四演出表示装置８４０）を有し、前記周辺基板３１１によって制御され、前記抽選手段９００によって抽選が行なわれる毎に抽選結果を表示する抽選結果表示手段（第二演出表示装置８２０、第三演出表示装置８３０及び第四演出表示装置８４０）と
を備え、
前記第一表示部（第二演出表示装置８２０）は、前記抽選手段９００によって抽選が行われる毎に表示内容を更新して、抽選結果が落選であることを示す一次落選表示、または、該一次落選表示以外の一次通過表示、の何れかの表示を行なうものであり、
前記第一表示対応表示部（第三演出表示装置８３０）は、前記第一表示部（第二演出表示装置８２０）と前記第二表示部（第四演出表示装置８４０）との間に配設され、前記第一表示部（第二演出表示装置８２０）にて表示内容が更新された後に第一表示部（第二演出表示装置８２０）の表示内容に対応した表示を行なうものであり、
前記第二表示部（第四演出表示装置８４０）は、前記第一表示部（第二演出表示装置８２０）にて前記一次落選表示が行なわれると表示内容を更新しない一方で、前記一次通過表示が行なわれると表示内容を更新して、抽選結果が落選であることを示す最終落選表示、または、抽選結果が当選であることを示す当選表示、の何れかの表示を行なうと共に、表示内容を更新する場合に、前記第一表示対応表示部（第三演出表示装置８３０）での表示が行なわれた後に表示内容を更新するものであり、
且つ、
前記第一表示部（第二演出表示装置８２０）は、前記一次通過表示を行なう場合に、予め用意された複数の一次通過表示用の表示内容の中から選出された一つの表示内容を表示するものであり、
前記第二表示部（第四演出表示装置８４０）は、表示内容を更新するに際して、現出すると当選表示に至る確率の低い低期待度演出、及び、現出すると当選表示に至る確率の高い高期待度演出、を含む複数の演出の中から選出された一つの演出を伴う表示を行なうものであり、
前記第一表示部（第二演出表示装置８２０）にて特定の一次通過表示用の表示内容が表示された場合には前記第二表示部（第四演出表示装置８４０）にて前記高期待度演出を現出させるように、前記第一表示部（第二演出表示装置８２０）にて表示する表示内容及び前記第二表示部（第四演出表示装置８４０）にて現出させる演出を決定する抽選結果表示制御手段（主基板３１０及び周辺基板３１１）を備える
ことを特徴とする遊技機（パチンコ機１）」
の一例であると言える。
【０３１７】
ところで、本例のパチンコ機１では、抽選入球口５２０の真下に第一演出表示装置８１０が配設されており、第一演出表示装置８１０の真下に第二演出表示装置８２０が配設されており、第二演出表示装置８１０の真下に第三演出表示装置８２０が配設されており、第三演出表示装置８３０の真下に第四演出表示装置８４０が配設されている。
【０３１８】
よって、本例のパチンコ機１は、本例での構成を括弧書きで示すと、
「遊技領域に遊技球を打込んで行われる遊技により所定の払出条件が成立すると遊技球を払出す遊技機であって、
前記遊技領域に設けられ、遊技球が入球可能な抽選入球口と、
該抽選入球口への遊技球の入球に基づき抽選を行なう抽選手段と、
該抽選手段の抽選結果が当選になると、遊技者にとって通常よりも多くの遊技球が獲得可能な特別状態を発生させる特別状態発生手段と、
コンピュータを用いて構成され、前記抽選入球口への遊技球の入球の有無を監視して、抽選入球口に遊技球が入球したタイミングに基づく処理によって抽選を行なうべく前記抽選手段を制御すると共に、抽選手段の抽選結果に応じて前記特別状態発生手段を制御する主基板と、
該主基板によって制御され、前記抽選手段によって抽選が行なわれる毎に図柄の表示によって抽選結果を表示する特別図柄表示装置と、
コンピュータを用いて構成され、前記主基板からの信号に基づく処理を行なう周辺基板と、
該周辺基板によって制御され、前記抽選手段によって抽選が行なわれる毎に図柄の表示によって抽選結果を表示する特図対応演出表示装置と、
前記抽選入球口の下方に配設されると共に前記周辺基板によって制御され、前記抽選手段によって抽選が行なわれる毎に演出動作体（可動体）を動作させて抽選演出を行なう動作演出手段（第一演出表示装置）と、
前記抽選手段によって抽選が行なわれる毎に抽選結果を表示する抽選結果表示手段であり、前記動作演出手段（第一演出表示装置）の下方に配設され、前記演出動作体（可動体）が抽選演出の動作を開始した後に表示の変動を開始して表示内容を更新し、更新した表示内容によって前記抽選結果を表示する抽選結果表示手段（第二演出表示装置、第三演出表示装置及び第四演出表示装置）と
を備え、
前記抽選結果表示手段（第二演出表示装置、第三演出表示装置及び第四演出表示装置）は、第一表示部（第二演出表示装置）、該第一表示部（第二演出表示装置）の下方に配設された第一表示対応表示部（第三演出表示装置）、及び、該第一表示対応表示部（第三演出表示装置）の下方に配設された第二表示部（第四演出表示装置）を有するものであり、
前記第一表示部（第二演出表示装置）は、前記抽選手段によって抽選が行われる毎に、前記演出動作体（可動体）が抽選演出の動作を開始した後に表示の変動を開始して表示内容を更新し、抽選結果が落選であることを示す一次落選表示、または、該一次落選表示以外の一次通過表示、の何れかの表示を行なうものであり、
前記第一表示対応表示部（第三演出表示装置）は、前記第一表示部（第二演出表示装置）にて表示内容が更新された後に第一表示部（第二演出表示装置）の表示内容に対応した表示を行なうものであり、
前記第二表示部（第四演出表示装置）は、前記第一表示部（第二演出表示装置）にて前記一次落選表示の表示が行なわれると表示内容を更新しない一方で、前記一次通過表示が行なわれると表示内容を更新して、抽選結果が落選であることを示す最終落選表示、または、抽選結果が当選であることを示す当選表示、の何れかの表示を行なうと共に、表示内容を更新する場合に、前記第一表示対応表示部（第三演出表示装置）にて表示が行なわれた後に表示内容を更新するものである
ことを特徴とする遊技機」
の一例であると言える。
【０３１９】
また、夫々抽選の結果を表示する抽選結果表示手段の一つである特別図柄表示装置７１０及び特図対応演出表示装置８５０については、遊技者から見て、抽選入球口５２０に遊技球が入球すると、直ちに表示内容の更新（図柄の変動）を開始するものである。これに対して、第二演出表示装置８２０、第三演出表示装置８３０及び第四演出表示装置８４０によって構成された抽選結果表示手段では、遊技者から見て、抽選入球口５２０に遊技球が入球しても、直ちに表示内容の更新（第二演出表示装置８２０の表示の変動）を開始しない。
【０３２０】
よって、本例のパチンコ機１は、
「遊技領域３７に遊技球を打込んで行われる遊技により所定の払出条件が成立すると遊技球を払出す遊技機であって、
前記遊技領域に設けられ、遊技球が入球可能な抽選入球口と、
該抽選入球口への遊技球の入球に基づき、少なくとも第一抽選結果、第二種抽選結果及び第三種抽選結果を含む複数種類の抽選結果が設定されると共に、少なくとも前記第一種抽選結果が当選として設定された抽選を行なう抽選手段と、
該抽選手段の抽選結果が当選になると、遊技者にとって通常よりも多くの遊技球が獲得可能な特別状態を発生させる特別状態発生手段と、
前記抽選手段によって行われる抽選の状態を、前記抽選手段の抽選結果が第二種抽選結果になると第一種抽選結果になる確率を高くした高確率状態とし、前記抽選手段の抽選結果が第三種抽選結果になると第一種抽選結果になる確率を低くした低確率状態とする抽選確率状態変更手段と、
コンピュータを用いて構成され、前記抽選入球口への遊技球の入球の有無を監視して、抽選入球口に遊技球が入球したタイミングに基づく処理によって抽選を行なうべく前記抽選手段を制御すると共に、抽選手段の抽選結果に応じて前記特別状態発生手段及び前記抽選確率状態変更手段を制御する主基板と、
該主基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示すると共に、各抽選結果に夫々に対応する図柄を表示することで、抽選結果の種類を特定可能に表示する特別図柄表示装置と、
コンピュータを用いて構成され、前記主基板からの信号に基づいた処理を行う周辺基板と、
該周辺基板によって制御され、前記抽選手段によって抽選が行なわれると直ちに表示の変動を開始した後、表示する図柄を更新して、前記抽選手段によって抽選が行なわれる毎に更新した図柄の表示によって抽選結果を表示すると共に、各抽選結果に夫々に対応する図柄を表示することで、抽選結果の種類を特定可能に表示する特図対応演出表示装置と、
前記周辺基板によって制御され、前記抽選手段によって抽選が行なわれる毎に、前記特別図柄表示装置にて表示の変動が開始した後に演出動作体（可動体）による抽選演出の動作を開始させて抽選演出を行なう動作演出手段（第一演出表示装置）と、
前記周辺基板によって制御され、前記動作演出手段（第一演出表示装置）の前記演出動作体（可動体）による抽選演出の動作が開始した後に表示の変動を開始して表示内容を更新し、更新した表示内容によって抽選結果を表示すると共に、少なくとも第二種抽選結果及び第三種抽選結果については夫々で兼用される共通の表示内容を表示することで抽選結果の種類を特定不能に表示する抽選結果表示手段（第二演出表示装置、第三演出表示装置及び第四演出表示装置）と
を備えることを特徴とする遊技機」
の一例であると言える。
【０３２１】
このような遊技機として具現化した本例のパチンコ機１によれば、次の通りの作用効果を得ることができる。
【０３２２】
複数の単位図柄の全てを変動させた後に停止させることで表示内容を更新して抽選結果を表示するようにした従来のパチンコ機では、最後の単位図柄が未だ変動中の状態において、リーチ演出によって表示の趣向を凝らしているが、抽選結果を表示する毎に全部の単位図柄を変動させるものであり、表示の変動が単調である。また、リーチ状態を形成しない状態では、最後の単位図柄の変動が無意味であり、遊技者を興醒めさせてしまう。
【０３２３】
これに対して、本例のパチンコ機１では、第二演出表示装置８２０にて一次通過表示がなされると、第四演出表示装置８４０にて表示内容を更新するのであるが、第二演出表示装置８２０にて一次落選表示がなされると、第四演出表示装置８４０にて表示内容を更新しない。このため、抽選が行われても、第四演出表示装置８４０にて表示内容を更新する場合と、更新しない場合とがあり、抽選演出表示装置８００全体での表示が変化に富む。よって、従来のものよりも表示の趣向を凝らすことができる。また、第二演出表示装置８２０にて一次落選表示がなされると、落選であることが早々に示されるのであるが、この場合、第四演出表示装置８４０では表示内容の更新を行わないため、無意味な表示内容の更新によって、遊技者を興醒めさせることがない。
【０３２４】
第四演出表示装置８４０にて表示の変動が開始されると、この第四演出表示装置８４０が常には表示内容を更新しないものであることから、第四演出表示装置８４０にて表示の変動が開始されるだけで、遊技者は、更新される表示内容に対して大きな興味を抱くと共に、抽選結果が当選であることに対して大きな期待感を抱き、第四演出表示装置８４０での表示に注目する。よって、遊技者に、今までにはない新たな感情を抱かせて、表示を楽しませることができる。
【０３２５】
第二演出表示装置８２０と第四演出表示装置８４０とが、夫々、個別の表示装置となっているため、第二演出表示装置８２０と第四演出表示装置８４０とを、個別に注目させて、遊技者に表示を楽しませることができる。特に、第二演出表示装置８２０が、例えば「〇」または「×」といった単純な図柄を表示するものであるのに対して、第四演出表示装置８４０は、例えば数字といった第二演出表示装置８２０よりも複雑な図柄を表示するものであるため、遊技者に、第四演出表示装置８４０に対して大きな興味を抱かせることができる。しかも、第四演出表示装置８４０は、抽選が行なわれる毎に表示内容を更新するものではないため、これも相乗効果となって、遊技者に、第四演出表示装置８４０に対して大きな興味を抱かせることができる。
【０３２６】
第二演出表示装置８２０での一次通過表示としては、複数種類のものがあり、一次通過表示の種類が、第四演出表示装置８４０での演出の種類に関与するため、第二演出表示装置８２０での表示が、早々に落選を示すか或いは第一段階をクリアしただけを示す単純な表示ではなく、第二演出表示装置８２０での表示についても、遊技者に大きな興味を抱かせることができる。
【０３２７】
第二演出表示装置８２０と第四演出表示装置８４０との間に、第三演出表示装置８３０があるため、表示による演出が第二演出表示装置８２０から第四演出表示装置８４０に移行する際に、第三演出表示装置８３０での表示がワンクッションの演出となる。よって、第四演出表示装置８４０にて表示内容の更新が開始される前の段階において、第三演出表示装置８３０のワンクッションの演出によって、遊技者の気持ちを盛上がらせることができる。
【０３２８】
抽選入球口５２０の下に抽選演出表示装置８００があり、この抽選演出表示装置８００において、第一演出表示装置８１０、第二演出表示装置８２０、第三演出表示装置８４０及び第四演出表示装置８４０が、夫々、上方から順次配設されており、動作や表示による演出が順次行われるため、この演出の流れが盤面上を落下する遊技球の動きと同じになる。よって、抽選入球口５２０への遊技球の入球を確認した遊技者に、盤面上を落下する遊技球を見るといった通常の遊技中の目の動きと同じような目の動きで煩わしさを感じさせずに、抽選演出表示装置８００での演出を見て楽しませることができる。特に、抽選入球口５２０に遊技球が入球してから、一呼吸おいて、第一演出表示装置８１０の可動体８１０Ｔの動作が開始して一連の演出が行なわれるため、遊技者に気構えさせて、抽選演出表示装置８００での演出を見せることができ、演出の開始があわただしくなく、趣のある演出を実現することができる。
【０３２９】
表示内容の更新により抽選結果を表示する第二演出表示装置８２０での表示の演出の始まりが、第三演出表示装置８３０での動作の演出の後であるため、表示の演出の開始が抽選入球口５２０への遊技球の入球からある程度の時間の経過後となる。よって、抽選入球口５２０への遊技球の入球を確認した遊技者に、第三演出表示装置８３０での動作の演出によって心の準備をさせると共に、次の表示の演出に対して大きな興味を抱かせることができる。
【０３３０】
抽選結果を表示する特別図柄表示装置７１０及び特図対応演出表示装置８５０を具備するパチンコ機１であるが、抽選結果を表示する抽選演出表示装置８００が目立つものであり、この抽選演出表示装置８００に遊技者を注目させることができる。よって、遊技者に、特別図柄表示装置７１０及び特図対応演出表示装置８５０よりも趣向を凝らした抽選演出表示装置８００での表示を見て楽しませることができる。特に、抽選演出表示装置８００での演出や表示が抽選入球口５２０への遊技球の入球の直後に開始せず、ある程度の時間の経過後に開始するものであり、第一演出表示装置８１０、第二演出表示装置８２０、第三演出表示装置８３０及び第四演出表示装置８４０での各演出が一方向に順次進行するため、特別図柄表示装置７１０及び特図対応演出表示装置８５０よりも抽選演出表示装置８００に遊技者の興味を惹きつけることができ、抽選演出表示装置８００での動作や表示による演出を見て楽しませることができる。
【０３３１】
抽選演出表示装置８００の第四演出表示装置８４０によって、抽選結果を特定できないように抽選結果を表示することで、抽選結果を遊技者に推測させるといった新規な遊技性をもたせたパチンコ機でありながら、特別図柄表示装置７１０及び特図対応演出表示装置８５０によって抽選結果の種類を特定できるように抽選結果を表示するパチンコ機でもある。このため、特別図柄表示装置７１０及び特図対応演出表示装置８５０に注目されると、上記の新規な遊技性が損なわれてしまう。しかしながら、特別図柄表示装置７１０及び特図対応演出表示装置８５０よりも抽選演出表示装置８００に注目させることができ、抽選演出表示装置８００での演出に遊技者の興味を惹きることができるのは上述の通りである。よって、上記の新規な遊技性を損なうことなく、この新規な遊技性の遊技を遊技者に楽しませることができる。
【図面の簡単な説明】
【０３３２】
【図１】パチンコ機の外枠の一側に本体枠が開かれ、その本体枠の一側に前面枠が開かれた状態を正面側から見た斜視図である。
【図２】パチンコ機の正面図である。
【図３】パチンコ機の本体枠と遊技盤とを分離した状態を正面側から見た斜視図である。
【図４】パチンコ機の背面図である。
【図５】パチンコ機を背面側から見た斜視図である。
【図６】パチンコ機の後ろカバー及び各種制御基板等を取り外した状態を背面側から見た斜視図である。
【図７】パチンコ機の本体枠に各種部材が組み付けられた状態を背面側から見た斜視図である。
【図８】本体枠を背面側から見た斜視図である。
【図９】遊技盤の正面図である。
【図１０】遊技盤を正面側から見た斜視図である。
【図１１】状態の変化を示すブロック図である。
【図１２】役物の正面図である。
【図１３】電気的構成の概略を示すブロック図である。
【図１４】機能的構成の概略を示すブロック図である。
【図１５】特別図柄表示装置、特図対応演出表示装置及び抽選演出表示装置の時間的な作動態様を示すタイミングチャートである。
【符号の説明】
【０３３３】
１  パチンコ機
５  遊技盤
３７  遊技領域
１３１  主制御基板
１１９  副制御基板
３１０  主基板
３１１  周辺基板
５００  盤面フレーム
５１０  障害釘
５２０  抽選入球口
５２１  開閉部材
５３０  作動入球口
５４０  特別入賞口
５４１  開閉部材
５４５  特別入賞口表示装置
５５０  一般入賞口
５６０  アウト口
６００  役物
７１０  特別図柄表示装置
７２０  状態表示装置
７３０  特図保留表示装置
８００  抽選演出表示装置
８１０  第一演出表示装置（動作演出手段）
８２０  第二演出表示装置（第一表示部）
８３０  第三演出表示装置（第一表示対応表示部）
８４０  第四演出表示装置（第二表示部）
８５０  特図対応演出表示装置
８６０  状態演出表示装置
９００  抽選手段
９１０  抽選確率状態変更手段
９２０  特別状態発生手段（特別遊技発生手段）
９２１  第一種特別遊技発生手段
９２２  第二種特別遊技Ａ発生手段
９２３  第二種特別遊技Ｂ発生手段
９５０  抽選演出表示手段
９６０  操作対応演出手段
９７０  特殊演出手段
【図１】
2008148978.tif 000003
【図２】
2008148978.tif 000004
【図３】
2008148978.tif 000005
【図４】
2008148978.tif 000006
【図５】
2008148978.tif 000007
【図６】
2008148978.tif 000008
【図７】
2008148978.tif 000009
【図８】
2008148978.tif 000010
【図９】
2008148978.tif 000011
【図１０】
2008148978.tif 000012
【図１１】
2008148978.tif 000013
【図１２】
2008148978.tif 000014
【図１３】
2008148978.tif 000015
【図１４】
2008148978.tif 000016
【図１５】
2008148978.tif 000017